(57)【要約】      （修正有）【課題】構造体の組み立てと解体の簡便化に加え、構造体の強度を向上させる事を図りつつ、使用する用途に応じて、構造体の拡張性及び安定性を格段に高め、製造コストを大幅に削減した構造体の製造手法を提供する。【解決手段】側板に用いる板状な素材に設けられた切り溝の両側に対し、ナット状な部品を嵌め込む或いは螺子締めした上で、棒螺子状な部品を切り溝の両側に在るナット状な部品に連結させる。全ての切り溝に対し棒螺子状な部品とナット状な部品を其々に連結したら、底板に用いる板状な素材から連結された座面の高さを調節する為に用いる柱状な部品に座面に用いる部品を差し込んで連結した上で、座面に用いる部品に対し側板に用いる部品に連結された棒螺子状な部品を螺子締めで連結する事に依り、構造体を形成する。【選択図】図１
2017082946.tif 000002
【特許請求の範囲】
【請求項１】
ベッドや椅子或いは、仮設住居や仮設ステージ等の構造体に於いて、木材、樹脂素材、
金属等の、一定の強度が在り且つ、可塑性が在る素材で形成された、側板に用いる板状な
素材に対し、側板同士を連結する為に用いる、木材、樹脂素材、金属等の、一定の強度が
在り且つ、可塑性が在る素材で形成された、棒螺子状な部品とナット状な部品を固定する
為、予め切り溝を設けた上で、側板に用いる板状な素材に対し、側板と同様な素材で形成
された、背板に用いる板状な素材を用意し、其々を、棒螺子状な部品と同様な素材で形成
された、棒状な部品を用いて、其々を連結する。次に、側板と同様な素材で形成された、
底板に用いる板状な素材同士を、棒状な部品を用いて用途に応じた大きさに連結したら、
側板と同様な素材で形成された、座面と成る部品に連結しつつ、座面の高さを調節する為
に用いる、棒螺子状な部品と同様な素材で形成された、柱状な部品を複数連結して、設定
したい高さ迄連結する。更に、側板に用いる板状な素材に設けた、切り溝の両側に対し、
ナット状な部品を、嵌め込む或いは螺子締めした上で、棒螺子状な部品を、切り溝の両側
に在る、ナット状な部品に仮固定で連結させる。全ての切り溝に対し、棒螺子状な部品と
ナット状な部品を連結したら、底板に用いる板状な素材から、複数連結された柱状な部品
に対し、座面に用いる部品を差し込んで連結した上で、座面に用いる部品に対し、側板に
用いる部品に仮固定で連結された、棒螺子状な部品を螺子締めで連結する事で、構造体を
形成する事に依り、各個人の体型、使用する用途、屋内外の広さ等に拘わらず、構造体の
設置、解体、再構築が容易な上、荷重や衝撃に強い構造体の製造手法。
【発明の詳細な説明】
【技術分野】
【０００１】
本発明は、ベッドや椅子或いは、仮設住居や仮設ステージ等の構造物に於ける、一定の
強度が在り且つ、簡易な組み立て及び、解体が求められる構造体に於いて、縦、横、高さ
其々を調節しつつ、構造体に用いる各部品及び、構造体同士を強固に連結する事に依り、
各個人の体格及び、使用する用途や屋内外の広さに拘わらず、構造体の設置及び、解体が
容易且つ、極めて強固で安定性が高い、構造体の製造手法に関する。
【背景技術】
【０００２】
従来に於ける、構造体の設置手段として、設置をする場所に対し、予め構造体の形状を
象られた状態或いは、既に組み立てられた状態で、設置をする構造体が在る。
【０００３】
或いは、予め形成された構造体の部品を、設置をする場所に搬入し、其処で組み立てて
設置をする構造体が在る。
【０００４】
以下に於いて、図２〜図４を用いて、従来の構造体を説明する。図２では、２を支える
３は、３と同等な部品を、複数連結する事に依り、或る程度、高さを調節する事を可能に
している。其れと、３の高さを調節する際、３の高さに応じて２を複数連結する為、４を
用いて２を連結している。
【０００５】
図３では、５及び９を６、７、８で連結し、更に、連結された６、７、８を支える為、
１０、１１、１２が８に連結されている。加えて、５と９に荷重が掛かる際、下方向への
負荷を分散させる為、１２に１３を連結している。そして、全ての部品が連結された状態
で在る構造体の、移動を容易にする為、１３に１４が連結されている。
【０００６】
更に、高さを使用者に合わせて調節する為に、１０の内部に圧縮されたガスを充填し、
１１を上下に動かす事で、１０の内部に充填されたガスの圧力が調節される結果、１２が
伸縮する事に依り、構造体の高さを、調節する事が可能に成っている。
【０００７】
図４では、木材、樹脂素材、金属素材等の、可塑性が在る素材で１５と１６を形成し、
１５に対して１６を連結する為、１５及び１６の接合部に対し、予め１６を差し込む穴を
設け、複数の１５を互いに組み込んだ上で、其々の接合部の頂点に対し、１６を差し込む
事に依り、構造体を形成している。
【先行技術文献】
【特許文献】
【０００８】
【特許文献１】特許公開２００６−１５３１３８  特許公開２００８−１６１６９２特許公開２００１−１２０３８７  特許公開２００５−１３３５０８
【０００９】
以上に述べた、従来に於ける構造体の問題点として、図２に於いては、構造上横からの
衝撃に弱く、衝撃の強さに依っては、３及び４が破損する結果、２を支える事が不可能と
成る場合が在る。又、２に於いては、繰り返し使った際、３及び４との接合部が疲弊する
事に依り、３及び４が破損する場合が在る。更に、２と４の接合部に対し、衣服や毛髪が
挟まれる結果、使用者が被害を受ける事が在る。
【００１０】
図３に於いては、５〜９を支える、１０〜１４の構造上、構造体の大きさが制限される
為、使用する人に依っては大きさが合わず、使用が困難な事が在る。又、５〜９を支える
１０、１１、１２は、繰り返し使用した際、接合部が疲弊する結果、１０、１１、１２が
破損する或いは変形する為、使用が困難に成る事が在る。
【００１１】
加えて、９の高さを調節する１０と１２は、９に掛かる荷重を受け止めるだけで無く、
１０の内部に対し、圧縮されたガスを充填する為、９からの荷重及び、１０内部の圧力に
耐え得るだけの強度が必須な結果、使用が可能な素材が限られる上に、使用者が構造体を
組み立てる或いは、解体する事が困難で在る。
【００１２】
図４に於いては、致命的な欠点として、１５と１６の底面に構造材が無い為、接地面が
平面で無い場合、設置及び安定が困難な事と、１５と１６の連結を、構造材の組み込みで
連結している為、長期使用に於ける、振動や摩耗が続くと、１５と１６が変形する結果、
接合部の脱落或いは、破損する事に依り、構造体の瓦解が生じる為、構造体の使用者が、
継続して使用する事が困難に成る。
【発明の開示】
【発明が解決しようとする課題】
【００１３】
本発明は、従来の構造体が有していた問題で在る、使用者に依る、構造体の組み立てと
解体の簡便化に加え、構造体の強度を向上させる事を図りつつ、使用する用途に応じて、
構造体の拡張性及び安定性を格段に高め、更に、製造コストを大幅に削減した、構造体の
実現を目的とする。
【課題を解決するための手段】
【００１４】
本発明は、上記目的を達成する為、先ず、側板に用いる板状な部品に対し（以下、側板
とする）、向かい合う側板同士を連結しつつ、使用者が上に乗る或いは、荷物等を乗せる
為に用いる部品を（以下、座面とする）、確りと固定し且つ、座面の高さを調節する事を
可能にする為、全ての側板に対し、予め差し込み穴と切り溝を設ける。其の際に留意する
事として、側板の両面に対し、切り溝を設ける事が挙げられる。
【００１５】
次に、予め差し込み穴を設けた、構造体に於ける、底板に用いる板状な部品と（以下、
底板とする）、背板に用いる板状な部品を用意し（以下、背板とする）、其々の接合部に
在る差込穴に対し、棒状な部品を差し込む或いは、螺子状な部品を締め付ける事に依り、
部品同士を連結する。
【００１６】
更に、底板に対し、座面の高さを調節する部品を、設定したい座面の高さ迄連結する。
其の上で、側板に設けた切り溝に対し、中央に螺子切り溝が在るナット状な部品を、切り
溝の両側に嵌め込んだ後、螺子状な部品を、切り溝の両側に在る、ナット状な部品に連結
させる事に依り、部品の仮固定をする。
【００１７】
全ての切り溝に対し、螺子状な部品及び、ナット状な部品を仮固定した上で、底板から
連結された、高さを調節する為の部品に対し、上から嵌め込む事に依り、座面を連結した
上で、座面の側面に対し、先に仮固定した螺子状な部品を締め付けて、側板と座面を連結
する事に依り、本案件の構造体を形成する。尚、使用用途に依っては、用途に応じた部品
（例えば、手摺、寝具、キャスター等）を設置する事に依り、構造体の使用者が、極めて
有用に使う事が出来る。
【００１８】
上述の結果、従来の製品と比較した際、構造体の強度と安定性が格段に高く、構造体に
用いる部品の形成が容易で且つ、組み立ても容易で在る為、本案件の使用者が、構造体の
部品を用意して組み立てる際に於ける、部品の購入費用の軽減や、工場で大量に生産する
際に於ける、製造費用の軽減及び、組み立て作業等に要する時間を、大幅に短縮する事が
出来る。
【００１９】
加えて、構造体の底面、側面、背面、連結に用いる部品が、強固に連結されている為、
従来の製品と比較して、衝撃や振動に強く、安定性も飛躍的に向上している。
【００２０】
更に、組み立てる際及び、組み立てた後から、構造体の大きさを変更する或いは、使用
用途に応じた部品を、構造体に設置する事が容易な為、使用目的に応じ、柔軟に対応する
事が出来る。
【図面の簡単な説明】
【００２１】
【図１】提出案件を用いて、椅子を形成した場合に於ける、全体の構造例を示した図面
【図２】従来の構造技術を用いた、高さの調節が可能な、ベッドの構造例を示した図面
【図３】従来の構造技術を用いた、高さの調節が可能な、椅子の構造例を示した図面
【図４】従来の構造技術を用いた、仮設住居の構造例を示した図面
【図５】提出案件に於ける、側面に用いる板状な部品の、形状を示した図面
【図６】提出案件に於ける、底面に用いる板状な部品の、形状を示した図面
【図７】提出案件に於ける、側面及び底面に用いる、板状な部品を連結する際に用いる、棒状な部品の形状を示した図面
【図８】提出案件に於ける、側面及び底面に用いる、板状な部品の連結と、底面及び高さの調節に用いる、部品同士を連結する際に用いる、螺子状な部品の形状を示した図面
【図９】提出案件に於ける、側面に用いる板状な部品と、螺子状な部品を、確りと固定する際に用いる、リング状な部品の形状を示した図面
【図１０】提出案件に於ける、側面に用いる板状な部品と、座面の高さを調節する為に用いる部品を、其々に連結して固定する、座面の形状を示した図面
【図１１】提出案件に於ける、座面に用いる部品の高さを調節しつつ、座面に用いる部品と、底面に用いる板状な部品を、其々に連結する為に用いる、柱状な部品の形状を示した図面
【図１２】提出案件に於ける、側面に用いる板状な部品、背面に用いる板状な部品、底面に用いる板状な部品、高さを調節する為に用いる柱状な部品を、連結して固定した状態の、上面を示した図面
【図１３】提出案件に於ける、側面に用いる板状な部品、背面に用いる板状な部品、底面に用いる板状な部品、高さを調節する為に用いる柱状な部品を、連結して固定した状態の、断面を示した図面
【図１４】提出案件に於ける、側面に用いる板状な部品、座面に用いる部品、高さを調節する為に用いる柱状な部品を、連結して固定した状態の、断面を示した図面
【図１５】提出案件に於ける、異なる構造体を連結して固定する目的で、側面に用いる板状な部品同士を、ボルト状な部品及び、棒状な部品を用いて、連結して固定した状態を示した図面
【図１６】提出案件に於ける、螺子状な部品及び、ナット状な部品を用いて、側面に用いる板状な部品を、複数連結して固定した状態を示した図面
【図１７】提出案件を用いて、シート及びデスクの高さを、調節する機構を備えつつ、構成部品を追加する事に依る、拡張性、安定性、防音性、保温性に優れた、シートと一体型で在る、デスクの構造を示した図面
【図１８】提出案件を用いて、組み立てに要する時間が短く、耐久性、防音性、保温性に優れた、建造物の構造を示した図面
【発明を実施するための形態】
【００２２】
以下に於いて、本発明に於ける実施の形態を、基本的な形態を図１、構造体に用いる、
各部品を図５〜図１１、構造体の組み立て方法を、図１２〜図１６、構造体の実施例を、
図１７及び図１８に基づいて説明する。
【００２３】
基本的な構造として、図１の様に、箱形に近い構造体と成り、其の上に、使用者や物を
乗せる事が出来る形状と成る。此の箱状に近い構造体を、使用用途に応じ、構造体の拡張
或いは、縮小をさせたり、高さを変更したりする事が出来る。
【００２４】
以下に於いて、構造体の組み立て方法を説明する。図５及び図６の様に、先ず、１７、
２１、３０の側面に対し、図７の様な形状の２２を用いて、其々の部品同士を連結する為
に１８を設ける。其の際に留意する事として、其々の部品に対し１８を設ける際、２２の
形状に合わせて、１８を形成する事が挙げられる。
【００２５】
次に、向かい合った１７同士を、２６を用いて連結し且つ、２６の高さを調節する為、
１７に対し１９を設ける。其の際に留意する事として、１７に対し１９を設ける際、図８
の様な形状の２３及び、図９の様な形状の２４に併せて、１９を形成する事と、２３及び
２４を確実に固定する為、１７の両面に対し、１９を設ける事が挙げられる。
【００２６】
更に、２１に対し、図１１の様な形状で在る２９を、縦に連結する為、２１に対し２０
を設ける。其の際に留意する事として、２９の高さを調節する事を容易に且つ、安定性を
高める為に、２０及び２１の高さは、出来る限り２９に併せる事と、２０の形状は、２９
に併せる事が挙げられる。
【００２７】
次に、構造体の大きさに応じて、２２を用いて２１同士を連結する。其の際に留意する
事として、２１同士を連結する際、先ず、一列に連結させた２１を複数用意し、更に別の
方向から２１同士を連結する事に依り、用途に応じた大きさにする事と、其々の接合部に
対し、隙間が出来無い事が挙げられる。
【００２８】
２１同士を連結したら、図１２の様に、２１同士の組み合わせに対し、２２及び２３を
用いて、２１を囲う様にして、１７と３０を組み合わせる事が挙げられる。其の際に留意
する事として、其々の接合部に隙間が出来無い事と、２３を螺子締めで連結する際、１７
及び３０から、２３の先端が食み出さ無い事が挙げられる。
【００２９】
１７、２１、３０を全て連結したら、２１に設けた２０に対し、２９を差し込む。其の
際に留意する事として、２１に差し込んだ２９の下部が、２１の底面から、食み出さ無い
様に差し込む事が挙げられる。
【００３０】
２１に２９を差し込んだら、安定した状態で、２６を固定し且つ、用途に応じた高さに
併せる為、図１３の様に、２１及び２９の下部に対し、予め下穴を設けた３１を設置し、
２３を用いて其々を連結した上で、複数の２９を差し込む或いは、螺子締めで連結する。
其の際に留意する事として、２９を連結する際、２９の接合部に対し隙間が出来無い様に
する事が挙げられる。
【００３１】
全ての２９を連結したら、１９の両面に対し、其々２４を嵌め込む或いは、螺子締めで
連結し、２３を用いて、二つの２４を螺子締めで仮組する。其の際に留意する事として、
２３に設けられた螺子締めの溝を、削ら無い事が挙げられる。
【００３２】
全ての２４を仮組したら、予め２６に設けられた２８に対し、２９の突起部を差し込む
事に依り連結する。其の際に留意する事として、２８と２９の接合部は荷重が掛かる為、
重量が在る物を載せる用途に使う場合、２８と２９の接合部に対し、可塑性が在る樹脂系
素材（例えば、接着剤やパテ等）を充填した上で、連結する事が挙げられる。
【００３３】
全ての２６を２９に連結したら、図１４の様に、先に仮組した、２３及び２４を２６に
合わせ、２６に対し、２３を螺子締めして固定する事に依り、１７、２３、２４、２６を
連結する。其の際に留意する事として、此の連結箇所は荷重が掛かる為、重量が在る物を
載せる場合、２３と２７の接合部に対し、樹脂系素材（例えば、接着剤やパテ等）を充填
した上で、確実に連結する事と、２３が１７から食み出さ無い事が挙げられる。
【００３４】
全ての部品を連結したら、使用用途に応じて、補助部品（例えば、キャスター、手摺、
マット等）を設置する事で、構造体の完成と成る。
【００３５】
補足事項として、完成後に形状を変更する場合、先ず、２３の螺子締めを緩めて１７を
外し、２６と２９の接合部で在る、２８から２９を抜いて２６を外す。
【００３６】
次に、連結された２９を外したら、新たに追加する、１７、２１、２２、２３、２４、
２６、３０を、外した箇所に対し、前述した様に、継ぎ足して組み直す事に依り、強度と
安定性を維持しつつ、形状を変更する事が出来る。
【００３７】
次に、異なる構造体同士の連結方法を、図１５及び図１６で説明する。
【００３８】
異なる構造体同士の連結方法として、図１５の様に、２３及び２４が連結された、複数
の１７に対し、２２及び３２を用いて連結する方法と、図１６の様に、２３及び２４が、
複数連結された１７を、重ねて連結する事に依り、連結する方法が在る。
【００３９】
２２及び３２を用いて、異なる構造体同士を連結する場合、先ず、３２に対し、２２を
差し込む事に依り３２同士を連結し、連結した３２同士を、両側から挟み込む様にして、
２３及び２４を用いて、異なる構造体の１７を、其々に連結する事が出来る。
【００４０】
１７、２３、２４を複数用いて連結する場合、螺子締めで連結する為、中心に位置する
１７から、順番に連結する事に依り、其々に於いて、同様な部品を用いつつ、異なる複数
の構造体を、強固に連結する事が出来る。
【００４１】
其々の方法に於いて留意する事として、２３及び２４を、１７に対し確実に固定する事
と、１７の接面に隙間が無い事が挙げられる。
【００４２】
更に、其れ等に対し、一定の強度が求められる場合、１９に対し形状に併せた、防護用
素材（例えば、防護カバー等）を用いて、１９を塞ぐ或いは、シリコン樹脂やセメント等
を始めとする、可塑性が在り且つ、剥離が容易な素材を、１９に対し充填する事に依り、
１７を保護する事が挙げられる。
【実施例】
【００４３】
以下に於いて、本発明に於ける実施例を、図１７及び図１８で説明する。
【００４４】
図１７に於いては、座面とするシートに連結された、デスク及びラックとした構成を、
３３〜４２で構成している。従来の工法で形成した場合、シートとは別に、デスク或いは
ラックを形成し、其々を配置して用いる或いは、専用の部品を形成した上で、其々が連結
された製品を用いる事に依り、使用目的を達成している。
【００４５】
然し、図例に於いては、３６及び３７に連結する様に、大きさを併せた３３を用いて、
シートの天井及び、デスクの天板を形成し、３６及び３７の内縁に大きさを併せた、３４
を用いて、シート面及び、デスク面を形成している。
【００４６】
更に、３４の下側に対し、３５及び４２を複数連結し、３４、３９、４０を連結する事
に依り、３４を下部から支えつつ、高さを調節している。
【００４７】
加えて、３８を用いて連結された、３６及び３７を用いて、３４、３９、４０を囲う様
に組み立て、其の上から、３８を用いて３３を連結している事に依り、実施例に於ける、
構造体の安定性及び、遮光性を高める事を可能にしている。
【００４８】
そして、３３の下側に対し、照明器具を設置する事で、少ない電力でも、内部を明るく
照らせる効果を得られる。又、３３及び３４の下側或いは、３６及び３７の内側に対し、
音響装置を設置する事に依り、音響効果を高める効果を得られる。
【００４９】
最後に、３６及び３７の内側に対し、シートベルトを設置する事で、災害時及び、事故
発生時に於いて、極めて安全性能が高い、シート及びデスクを構築する事が出来る。又、
４０の下部に対し、キャスターを付ける事に依り、構造体全体の移動も容易に成る。
【００５０】
図１８に於いては、仮設住居等を始めとする、小型の建造物とした構成を、４２〜５２
で構成している。先ず、按地をした上で、５３が地上に出る様に、５２を地中に埋設し、
５３に５１を貫通させて５０を設置したら、５３に対し４９を連結する。
【００５１】
次に、複数の４９を、必要に応じた高さ迄連結して固定したら、４８を用いて、５０に
対し４６及び４７を連結する。其の際に留意する事として、４６、４７、５０に設ける、
４３を形成する際、４３の位置ずれ或いは、歪みが無い様にする事が挙げられる。
【００５２】
５０に対し、４６及び４７を連結したら、既に連結された４９の上端に対し、４５を
差し込む様にして、４４を４９に連結する。其の際に留意する事として、４４に対し４５
を形成する際、４５の位置ずれ或いは、歪みが無い様にする事が挙げられる。
【００５３】
４４に対し４９を連結したら、４４に対し４６及び４７を連結する。其の際に留意する
事として、４４に対し４３を形成する際、４３の位置ずれ或いは、歪みが無い様にする事
が挙げられる。
【００５４】
４４に対し、４６及び４７を連結したら、最後に４２を、４６及び４７に連結する事に
依り、構造体の完成と成る。其の際に留意する事として、４２に対し４３を形成する際、
４３の位置ずれ或いは、歪みが無い様にする事と、４２同士に隙間が出来無い様に、連結
した後、４２の内側に対し、防水性及び、耐候性が在る部品を連結する或いは、接着剤、
パテ、コーキング剤等を充填する事が挙げられる。
【００５５】
以上の製造手法に依り、製造された建造物に於いては、安定性に於いて、建造物の地下
から、５２、４９、４４と連結する事に依り、上下の振動に対し極めて強い。又、左右の
振動に対しても、４９及び５２に連結された５０が、地面と連動して振動する為、５０に
連結される４６及び４７と、建造物内部の空間は、極めて高い安定性を保つ事が出来る。
【００５６】
加えて、４９の上端部分と４４を連結する事に依り、既製の建造物では困難で在った、
土台や柱に該当する材料の、取り外しが極めて容易な為、建造後の建造物に於ける、建造
物の修復、拡張、高さの変更を容易にしつつ、建造物としての強度を保つ事が出来る。
【産業上の利用可能性】
【００５７】
本発明に於ける、産業上の利用用途に関し、一般的な用途に於いては、屋内外に用いる
事が出来る、椅子、ベッド、テーブル、階段、ラック、児童遊具等が挙げられる。業務的
な用途に於いては、住居、階段、ステージ、コンテナ、橋脚、建造物等が挙げられる。
【００５８】
特に、住居及び建造物に於いては、構造上極めて強固な上に、高さの調節が可能な支柱
を、地中から構造体と連結させる事に依り、既製の建造物と比較すると、耐震性が極めて
高く且つ、組み立て及び解体が容易な事や、建築作業に要する時間が短い事、更に、共通
の部品を用いる事に依る、生産性の向上、製造コストの削減、部品の再利用等が出来る事
が挙げられる。
【符号の説明】
【００５９】
１      本案件に於ける、構造体の完成例
２      折り畳み式ベッドの座面
３      折り畳み式ベッドに於ける、高さの調節が可能な脚部
４      折り畳み式ベッドに於ける、座面同士の連結及び、高さの調節を可能にする為
に用いる部品
５      オフィスチェアの背凭れに用いる部品
６      オフィスチェアの背凭れを支える為に用いる部品
７      オフィスチェアに於ける、背凭れを支える為に用いる部品及び、座面を支える
為に用いる部品を、互いに連結する為に用いる部品
８      オフィスチェアの座面を支える為に用いる部品
９      オフィスチェアの座面に用いる部品
１０    オフィスチェアに於ける、圧縮ガスを用いる事に依り、座面を支えつつ、座面
の高さを調節する事を可能にした部品
１１    オフィスチェアに於ける、圧縮ガスの内圧を調整する為に用いる部品
１２    オフィスチェアに於ける、背凭れ及び座面を支える為に用いる部品
１３    オフィスチェアの脚に用いる部品
１４    オフィスチェアに於ける、移動を容易にする為に用いる、キャスター状な部品
１５    仮設住居に於ける、壁面に用いる部品
１６    仮設住居に於ける、壁面同士を連結する為に用いる部品
１７    構造体に於ける、側板に用いる部品
１８    構造体に於ける、側板に用いる部品、背板に用いる部品、底板に用いる部品、
底板を補強する為に用いる部品を、連結する為に設けられた、差し込む或いは、螺子締め
をして、固定する為に用いる差込穴
１９    構造体に於ける、側板に用いる部品に対し、ナット状な部品及び、棒螺子状な
部品を、連結する為に設けられた切り溝
２０    構造体の底板に設けられた、底板に用いる部品及び、座面の高さを調節する為
に用いる部品を、連結する為に用いる差込穴
２１    構造体に於ける、底板に用いる部品
２２    構造体に於ける、側板に用いる部品、背板に用いる部品、底板に用いる部品を
連結する為に用いる、棒状な部品
２３    構造体に於ける、側板に用いる部品、背板に用いる部品、底板に用いる部品、
座面の高さを調節する為に用いる部品を、連結する為に用いる、棒螺子状な部品
２４    側板に用いる部品及び、座面に用いる部品を、棒螺子状な部品で連結する為に
用いる、ナット状な部品
２５    構造体の座面に於ける、クッション及び防護カバー
２６    構造体の座面に於ける、座面の強度を保たせる為に用いる芯材
２７    構造体の座面に於ける、座面内部の芯材及び、側板に用いる部品を、リング状
な部品及び、棒螺子状な部品を用いて、連結する為に設ける螺子穴
２８    構造体の座面に於ける、座面内部に用いる芯材及び、座面の高さを調節する為
に用いる部品を、連結する為に設ける差込穴
２９    構造体に於ける、座面内部の芯材及び、底板に用いる部品を連結しつつ、座面
の高さを調節する為に用いる、柱状な部品
３０    構造体に於ける、背板に用いる部品
３１    構造体に於ける、底板に用いる部品を補強する為に用いる、板状な部品
３２    異なる構造体同士の連結に於ける、其々の側板に用いる部品を、棒状な部品、
螺子状な部品、ナット状な部品を用いて、其々を連結する為に用いる部品
３３    構造体の実施例に於ける、シート及びデスクの天板に用いる部品
３４    構造体の実施例に於ける、シート及びデスクに用いる部品
３５    構造体の実施例に於ける、デスクを支えつつ、高さを調節する為に用いる部品
３６    構造体の実施例に於ける、シート及びデスクの背板に用いる部品
３７    構造体の実施例に於ける、シート及びデスクの側板に用いる部品
３８    構造体の実施例に於ける、背板、側板、底板、天板を連結する為に用いる部品
３９    構造体の実施例に於ける、シート及びデスクの底板に用いる部品
４０    構造体の実施例に於ける、シート及びデスクの底板に用いる部品を、補強する
為に用いる部品
４１    構造体の実施例に於ける、シートとデスクの側板に用いる部品及び、シートと
デスクの底板に用いる部品を、連結する為に用いる部品
４２    構造体の実施例に於ける、シートとデスクの底板に用いる部品及び、シートと
デスクを連結しつつ、高さを調節する為に用いる部品
４３    構造体の実施例に於ける、建造物を構成する為の屋根材
４４    構造体の実施例に於ける、建造物を構成する為に設ける、建材を連結する為の
螺子穴
４５    構造体の実施例に於ける、建造物を構成する為の天板材
４６    構造体の実施例に於ける、天板材と柱材を連結する為に設ける差込穴
４７    構造体の実施例に於ける、建造物を構成する為の壁材
４８    構造体の実施例に於ける、建造物を構成する為の壁材
４９    構造体の実施例に於ける、建造物を構成する屋根材、天板材、壁材、床材を、
連結する為に用いる棒螺子
５０    構造体の実施例に於ける、建造物を構成する為に用いる、天板材と床材を連結
且つ、建造物の高さを調節しつつ、建造物をアンカーへと固定する為に用いる柱材
５１    構造体の実施例に於ける、建造物を構成する為の床材
５２    構造体の実施例に於ける、建造物を構成する為に設ける、地中のアンカーを、
柱材及び床材へと、連結する為に設ける差込穴
５３    構造体の実施例に於ける、建造物を安定させる為に用いるアンカー
５４    構造体の実施例に於ける、建造物を構成する為に設ける、地中のアンカーを、
柱材及び床材へと連結する為に設ける、アンカーの突起部分
【図１】
2017082946.tif 000003
【図２】
2017082946.tif 000004
【図３】
2017082946.tif 000005
【図４】
2017082946.tif 000006
【図５】
2017082946.tif 000007
【図６】
2017082946.tif 000008
【図７】
2017082946.tif 000009
【図８】
2017082946.tif 000010
【図９】
2017082946.tif 000011
【図１０】
2017082946.tif 000012
【図１１】
2017082946.tif 000013
【図１２】
2017082946.tif 000014
【図１３】
2017082946.tif 000015
【図１４】
2017082946.tif 000016
【図１５】
2017082946.tif 000017
【図１６】
2017082946.tif 000018
【図１７】
2017082946.tif 000019
【図１８】
2017082946.tif 000020
【手続補正書】
【提出日】平成28年4月15日(2016.4.15)
【手続補正１】
【補正対象書類名】明細書
【補正対象項目名】全文
【補正方法】変更
【補正の内容】
【発明の詳細な説明】
【技術分野】
【０００１】
本発明は、寝具のベッド（例えば、ベビーベッド・シングルベッド・二段ベッド・介護
用ベッド）や椅子（例えば、オフィスチェア・チャイルドチェア・公共施設等のベンチ・
娯楽施設等の遊具に用いるシート・椅子学習机の椅子）或いは大型建造物（例えば、軽量
鉄骨住宅・重量鉄骨住宅・仮設住居・高層ビル・仮設ライブステージ・堤防）の構造体に
於いて、使用用途毎に発生する、荷重・衝撃・振動等に、耐えられる素材で形成された、
構造体を構成する為の各部品を用いて、後述する、組み立て方法で組み立てる事に依り、
各個人の体型、使用する用途、屋内外の広さ等に拘わらず、構造体の設置、解体、再構築
が容易な上、荷重や衝撃に強い、構造体の製造方法を目的とする。
【背景技術】
【０００２】
従来に於ける、構造体の設置手段として、設置をする場所に対し、予め構造体の形状を
象られた状態或いは、既に組み立てられた状態で、設置をする構造体が在る。
【０００３】
或いは、予め形成された構造体の部品を、設置をする場所に搬入し、其処で組み立てて
設置をする構造体が在る。
【０００４】
以下に於いて、図２〜図４を用いて、従来の構造体を説明する。図２では、折り畳み式
ベッドの座面２を支える為に用いられる、折り畳み式ベッドに於ける、高さの調節が可能
な脚部３同士を、複数連結する事に依り、或る程度、高さを調節する事を可能にしている
。其れと、折り畳み式ベッドに於ける、高さの調節が可能な脚部３の高さを調節しつつ、
折り畳み式ベッドの座面２同士を連結する為に、折り畳み式ベッドに於ける、座面同士の
連結及び、高さの調節を可能にする為に用いる部品４を用いる事で、折り畳み式ベッドの
座面２を連結している。
【０００５】
図３では、オフィスチェアの背凭れに用いる部品５と、オフィスチェアの座面に用いる
部品９を、オフィスチェアの背凭れを支える為に用いる部品６、オフィスチェアに於ける
、背凭れを支える為に用いる部品及び、座面を支える為に用いる部品を、互いに連結する
為に用いる部品７、オフィスチェアの座面を支える為に用いる部品８で、其々を連結し、
更に、連結されたオフィスチェアの背凭れを支える為に用いる部品６と、オフィスチェア
に於ける、背凭れを支える為に用いる部品及び、座面を支える為に用いる部品を、互いに
連結する為に用いる部品７と、オフィスチェアの座面を支える為に用いる部品８を支える
為、オフィスチェアに於ける、圧縮ガスを用いる事に依り、座面を支えつつ、座面の高さ
を調節する事を可能にした部品１０と、オフィスチェアに於ける、圧縮ガスの内圧を調整
する為に用いる部品１１、オフィスチェアに於ける、背凭れ及び座面を支える為に用いる
部品１２が、オフィスチェアの座面を支える為に用いる部品８に連結されている。加えて
、オフィスチェアの背凭れに用いる部品５と、オフィスチェアの座面に用いる部品９に、
荷重が掛かる際、下方向への負荷を分散させる為、オフィスチェアに於ける、背凭れ及び
座面を支える為に用いる部品１２に対して、オフィスチェアの脚に用いる部品１３を連結
している。そして、全ての部品が連結された状態で在る構造体の、移動を容易にする為、
オフィスチェアの脚に用いる部品１３に、オフィスチェアに於ける、移動を容易にする為
に用いる、キャスター状な部品１４が連結されている。
【０００６】
更に、オフィスチェアの座面に用いる部品９の高さを、使用者に合わせて調節する為に
、オフィスチェアに於ける、圧縮ガスを用いる事に依り、座面を支えつつ、座面の高さを
調節する事を可能にした部品１０の内部に、圧縮されたガスを充填し、オフィスチェアに
於ける、圧縮ガスの内圧を調整する為に用いる部品１１を、上下に動かす事で、オフィス
チェアに於ける、圧縮ガスを用いる事に依り、座面を支えつつ、座面の高さを調節する事
を可能にした部品１０の内部に充填された、ガスの圧力が調節される事に依り、オフィス
チェアに於ける、背凭れ及び座面を支える為に用いる部品１２が伸縮する事で、オフィス
チェアの高さを、調節する事が可能に成っている。
【０００７】
図４では、木材（例えば、ベニヤ材、杉材、バルサ材）、樹脂素材（例えば、ウレタン
樹脂、塩化ビニル樹脂）、金属素材（例えば、鉄材、鋼材、強化アルミニウム材）等の、
可塑性が在る素材を用いて、仮設住居に於ける、壁面に用いる部品１５及び、仮設住居に
於ける、壁面同士を連結する為に用いる部品１６を形成したら、仮設住居に於ける、壁面
に用いる部品１５に対し、仮設住居に於ける、壁面同士を連結する為に用いる部品１６を
連結する為、仮設住居に於ける、壁面に用いる部品１５と、仮設住居に於ける、壁面同士
を連結する為に用いる部品１６の接合部に対し、予め仮設住居に於ける、壁面同士を連結
する為に用いる部品１６を、差し込む穴を設け、複数の仮設住居に於ける、壁面に用いる
部品１５を互いに組み込んだ上で、其々の接合部の頂点に対し、仮設住居に於ける、壁面
同士を連結する為に用いる部品１６を差し込む事に依り、構造体を形成している。
【先行技術文献】
【特許文献】
【０００８】
【特許文献１】特許公開２００６−１５３１３８  特許公開２００８−１６１６９２特許公開２００１−１２０３８７  特許公開２００５−１３３５０８
【０００９】
以上に述べた、従来に於ける構造体の問題点として、図２に於いては、構造上、横から
の衝撃に弱く、衝撃の強さに依っては、折り畳み式ベッドに於ける、高さの調節が可能な
脚部３及び、折り畳み式ベッドに於ける、座面同士の連結及び、高さの調節を可能にする
為に用いる部品４が破損する結果、折り畳み式ベッドの座面２を支える事が不可能と成る
場合が在る。又、折り畳み式ベッドの座面２に於いては、繰り返し使った際、折り畳み式
ベッドに於ける、高さの調節が可能な脚部３と、折り畳み式ベッドに於ける、座面同士の
連結及び、高さの調節を可能にする為に用いる部品４との、接合部が疲弊する事に依り、
折り畳み式ベッドに於ける、高さの調節が可能な脚部３と、折り畳み式ベッドに於ける、
座面同士の連結及び、高さの調節を可能にする為に用いる部品４が破損する場合が在る。
更に、折り畳み式ベッドの座面２と、折り畳み式ベッドに於ける、座面同士の連結及び、
高さの調節を可能にする為に用いる部品４の接合部に対し、衣服や毛髪が挟まれる結果、
使用者が被害を受ける事が在る。
【００１０】
図３に於いては、オフィスチェアの背凭れに用いる部品５〜到るオフィスチェアの座面
に用いる部品９を下から支える、オフィスチェアに於ける、圧縮ガスを用いる事に依り、
座面を支えつつ、座面の高さを調節する事を可能にした部品１０〜到るオフィスチェアに
於ける、移動を容易にする為に用いる、キャスター状な部品１４の構造上、製造が可能な
構造体の大きさが制限される為、使用する人に依っては大きさが合わず、使用が困難な事
が在る。加えて、オフィスチェアの背凭れに用いる部品５〜到るオフィスチェアの座面に
用いる部品９を支えている、オフィスチェアに於ける、圧縮ガスを用いる事に依り、座面
を支えつつ、座面の高さを調節する事を可能にした部品１０と、オフィスチェアに於ける
、圧縮ガスの内圧を調整する為に用いる部品１１、オフィスチェアに於ける、背凭れ及び
座面を支える為に用いる部品１２は、繰り返し使う事で接合部が疲弊する結果、オフィス
チェアに於ける、圧縮ガスを用いる事に依り、座面を支えつつ、座面の高さを調節する事
を可能にした部品１０、オフィスチェアに於ける、圧縮ガスの内圧を調整する為に用いる
部品１１、オフィスチェアに於ける、背凭れ及び座面を支える為に用いる部品１２が破損
する或いは、変形する為、使用が困難に成る事が在る。
【００１１】
加えて、オフィスチェアの座面に用いる部品９に対し、高さを調節する為の機構で在る
、オフィスチェアに於ける、圧縮ガスを用いる事に依り、座面を支えつつ、座面の高さを
調節する事を可能にした部品１０と、オフィスチェアに於ける、背凭れ及び座面を支える
為に用いる部品１２は、オフィスチェアの座面に用いる部品９に掛かる荷重を受け止める
事に加え、オフィスチェアに於ける、圧縮ガスを用いる事に依り、座面を支えつつ、座面
の高さを調節する事を可能にした部品１０の内部に対し、圧縮されたガスを充填する為、
オフィスチェアの座面に用いる部品９からの荷重と、オフィスチェアに於ける、圧縮ガス
を用いる事に依り、座面を支えつつ、座面の高さを調節する事を可能にした部品１０内部
に生じる圧力に、耐え得るだけの強度が必須な結果、使用が可能な素材が限られる上に、
使用者が構造体を組み立てる或いは、解体する事が困難で在る。
【００１２】
図４に於いては、致命的な欠点として、仮設住居に於ける、壁面に用いる部品１５と、
仮設住居に於ける、壁面同士を連結する為に用いる部品１６の底面に、構造材が無い為、
接地面が平面で無い場合、設置及び安定が困難な事と、仮設住居に於ける、壁面に用いる
部品１５に対し、仮設住居に於ける、壁面同士を連結する為に用いる部品１６の連結を、
構造材の組み込みで連結している為、長期使用に於ける、振動や摩耗が続くと、仮設住居
に於ける、壁面に用いる部品１５と、仮設住居に於ける、壁面同士を連結する為に用いる
部品１６が変形する結果、接合部の脱落或いは、接合部の破損が生じる事に依り、構造体
の瓦解が発生する為、構造体の使用者が、継続して使用する事が困難に成る。
【発明の開示】
【発明が解決しようとする課題】
【００１３】
本発明は、従来の構造体が有していた問題で在る、使用者に依る、構造体の組み立てと
解体の簡便化に加え、構造体の強度を向上させる事を図りつつ、使用する用途に応じて、
構造体の拡張性及び安定性を格段に高め、更に、製造コストを大幅に削減した、構造体の
実現を目的とする。
【課題を解決するための手段】
【００１４】
本発明は、上記目的を達成する為、先ず、側板に用いる板状な部品に対し（以下、側板
とする）、向かい合う側板同士を連結しつつ、使用者が上に乗る或いは、荷物等を乗せる
為に用いる部品を（以下、座面とする）、確りと固定し且つ、座面の高さを調節する事を
可能にする為、全ての側板に対し、予め差し込み穴と切り溝を設ける。其の際に留意する
事として、側板の両面に対し、切り溝を設ける事が挙げられる。
【００１５】
次に、予め差し込み穴を設けた、構造体に於ける、底板に用いる板状な部品と（以下、
底板とする）、背板に用いる板状な部品を用意し（以下、背板とする）、其々の接合部に
在る差込穴に対し、棒状な部品を差し込む或いは、螺子状な部品を締め付ける事に依り、
部品同士を連結する。
【００１６】
更に、底板に対し、座面の高さを調節する部品を、設定したい座面の高さ迄連結する。
其の上で、側板に設けた切り溝に対し、中央に螺子切り溝が在るナット状な部品を、切り
溝の両側に嵌め込んだ後、螺子状な部品を、切り溝の両側に在る、ナット状な部品に連結
させる事に依り、部品の仮固定をする。
【００１７】
全ての切り溝に対し、螺子状な部品及び、ナット状な部品を仮固定した上で、底板から
連結された、高さを調節する為の部品に対し、上から嵌め込む事に依り、座面を連結した
上で、座面の側面に対し、先に仮固定した螺子状な部品を締め付けて、側板と座面を連結
する事に依り、本案件の構造体を形成する。尚、使用用途に依っては、用途に応じた部品
（例えば、手摺、寝具、キャスター等）を設置する事に依り、構造体の使用者が、極めて
有用に使う事が出来る。
【００１８】
上述の結果、従来の製品と比較した際、構造体の強度と安定性が格段に高く、構造体に
用いる部品の形成が容易で且つ、組み立ても容易で在る為、本案件の使用者が、構造体の
部品を用意して組み立てる際に於ける、部品の購入費用の軽減や、工場で大量に生産する
際に於ける、製造費用の軽減及び、組み立て作業等に要する時間を、大幅に短縮する事が
出来る。
【００１９】
加えて、構造体の底面、側面、背面、連結に用いる部品が、強固に連結されている為、
従来の製品と比較して、衝撃や振動に強く、安定性も飛躍的に向上している。
【００２０】
更に、組み立てる際及び、組み立てた後から、構造体の大きさを変更する或いは、使用
用途に応じた部品を、構造体に設置する事が容易な為、使用目的に応じ、柔軟に対応する
事が出来る。
【図面の簡単な説明】
【００２１】
【図１】提出案件を用いて、椅子を形成した場合に於ける、全体の構造例を示した図面
【図２】従来の構造技術を用いた、高さの調節が可能な、ベッドの構造例を示した図面
【図３】従来の構造技術を用いた、高さの調節が可能な、椅子の構造例を示した図面
【図４】従来の構造技術を用いた、仮設住居の構造例を示した図面
【図５】提出案件に於ける、側面に用いる板状な部品の、形状を示した図面
【図６】提出案件に於ける、底面に用いる板状な部品の、形状を示した図面
【図７】提出案件に於ける、側面及び底面に用いる、板状な部品を連結する際に用いる、棒状な部品の形状を示した図面
【図８】提出案件に於ける、側面及び底面に用いる、板状な部品の連結と、底面及び高さの調節に用いる、部品同士を連結する際に用いる、螺子状な部品の形状を示した図面
【図９】提出案件に於ける、側面に用いる板状な部品と、螺子状な部品を、確りと固定する際に用いる、リング状な部品の形状を示した図面
【図１０】提出案件に於ける、側面に用いる板状な部品と、座面の高さを調節する為に用いる部品を、其々に連結して固定する、座面の形状を示した図面
【図１１】提出案件に於ける、座面に用いる部品の高さを調節しつつ、座面に用いる部品と、底面に用いる板状な部品を、其々に連結する為に用いる、柱状な部品の形状を示した図面
【図１２】提出案件に於ける、側面に用いる板状な部品、背面に用いる板状な部品、底面に用いる板状な部品、高さを調節する為に用いる柱状な部品を、連結して固定した状態の、上面を示した図面
【図１３】提出案件に於ける、側面に用いる板状な部品、背面に用いる板状な部品、底面に用いる板状な部品、高さを調節する為に用いる柱状な部品を、連結して固定した状態の、断面を示した図面
【図１４】提出案件に於ける、側面に用いる板状な部品、座面に用いる部品、高さを調節する為に用いる柱状な部品を、連結して固定した状態の、断面を示した図面
【図１５】提出案件に於ける、異なる構造体を連結して固定する目的で、側面に用いる板状な部品同士を、ボルト状な部品及び、棒状な部品を用いて、連結して固定した状態を示した図面
【図１６】提出案件に於ける、螺子状な部品及び、ナット状な部品を用いて、側面に用いる板状な部品を、複数連結して固定した状態を示した図面
【図１７】提出案件を用いて、シート及びデスクの高さを、調節する機構を備えつつ、構成部品を追加する事に依る、拡張性、安定性、防音性、保温性に優れた、シートと一体型で在る、デスクの構造を示した図面
【図１８】提出案件を用いて、組み立てに要する時間が短く、耐久性、防音性、保温性に優れた、建造物の構造を示した図面
【発明を実施するための形態】
【００２２】
以下に於いて、本発明に於ける実施の形態を、基本的な形態を図１、構造体に用いる各
部品を図５〜到る図１１、構造体の組み立て方法を図１２〜到る図１６、構造体の実施例
を、図１７及び図１８に基づいて説明する。
【００２３】
基本的な構造として、図１の様に、箱形に近い構造体と成り、其の上に、使用者や物を
乗せる事が出来る形状と成る。此の箱状に近い構造体を、使用用途に応じ、構造体の拡張
或いは、縮小をさせたり、高さを変更したりする事が出来る。
【００２４】
以下に於いて、構造体の組み立て方法を説明する。図５及び図６の様に、先ず、構造体
に於ける、側板に用いる部品１７と、構造体に於ける、底板に用いる部品２１、構造体に
於ける、背板に用いる部品３０の側面に対し、図７の様な形状の、構造体に於ける、側板
に用いる部品、背板に用いる部品、底板に用いる部品を連結する為に用いる、棒状な部品
２２を用いて、其々の部品同士を確り連結する為、構造体に於ける、側板に用いる部品、
背板に用いる部品、底板に用いる部品、底板を補強する為に用いる部品を、連結する為に
設けられた、差し込む或いは、螺子締めをして、固定する為に用いる差込穴１８を設ける
。其の際に留意する事として、其々の部品に対し、構造体に於ける、側板に用いる部品、
背板に用いる部品、底板に用いる部品、底板を補強する為に用いる部品を、連結する為に
設けられた、差し込む或いは、螺子締めをして、固定する為に用いる差込穴１８を設ける
際に、構造体に於ける、側板に用いる部品、背板に用いる部品、底板に用いる部品を連結
する為に用いる、棒状な部品２２の形状に合わせて、構造体に於ける、側板に用いる部品
、背板に用いる部品、底板に用いる部品、底板を補強する為に用いる部品を、連結する為
に設けられた、差し込む或いは、螺子締めをして、固定する為に用いる差込穴１８を形成
する事が挙げられる。
【００２５】
次に、互いに向かい合った、構造体に於ける、側板に用いる部品１７同士を、構造体の
座面に於ける、座面の強度を保たせる為に用いる芯材２６を用いて連結し且つ、構造体の
座面に於ける、座面の強度を保たせる為に用いる芯材２６の高さを調節する為、構造体に
於ける、側板に用いる部品１７に、構造体に於ける、側板に用いる部品に対し、ナット状
な部品及び、棒螺子状な部品を、連結する為に設けられた切り溝１９を設ける。其の際に
留意する事として、構造体に於ける、側板に用いる部品１７側に、構造体に於ける、側板
に用いる部品に対し、ナット状な部品及び、棒螺子状な部品を、連結する為に設けられた
切り溝１９を設ける際に、図８の様な形状の、構造体に於ける、側板に用いる部品、背板
に用いる部品、底板に用いる部品、座面の高さを調節する為に用いる部品を、連結する為
に用いる、棒螺子状な部品２３及び、図９の様な形状の、構造体に於ける、側板に用いる
部品及び、座面の芯材に用いる部品を、棒螺子状な部品で連結する為に用いる、ナット状
な部品２４に併せて、構造体に於ける、側板に用いる部品に対し、ナット状な部品及び、
棒螺子状な部品を、連結する為に設けられた切り溝１９を形成する事と、構造体に於ける
、側板に用いる部品、背板に用いる部品、底板に用いる部品、座面の高さを調節する為に
用いる部品を、連結する為に用いる、棒螺子状な部品２３並びに、構造体に於ける、側板
に用いる部品及び、座面の芯材に用いる部品を、棒螺子状な部品で連結する為に用いる、
ナット状な部品２４を、確実に固定する為に、構造体に於ける、側板に用いる部品１７の
両面に対し、構造体に於ける、側板に用いる部品に対し、ナット状な部品及び、棒螺子状
な部品を、連結する為に設けられた切り溝１９を、予め設ける事が挙げられる。
【００２６】
更に、構造体に於ける、底板に用いる部品２１に対し、図１１の様な形状の、構造体に
於ける、座面内部の芯材及び、底板に用いる部品を連結しつつ、座面の高さを調節する為
に用いる、柱状な部品２９を縦に連結する為、構造体の底板に設けられた、底板に用いる
部品及び、座面の高さを調節する為に用いる部品を、連結する為に用いる差込穴２０を、
予め設ける。其の際に留意する事として、構造体に於ける、座面内部の芯材及び、底板に
用いる部品を連結しつつ、座面の高さを調節する為に用いる、柱状な部品２９の高さを、
調節する事を容易に且つ、安定性を高める為、構造体の底板に設けられた、底板に用いる
部品及び、座面の高さを調節する為に用いる部品を、連結する為に用いる差込穴２０と、
構造体に於ける、底板に用いる部品２１の高さは、出来る限り構造体に於ける、座面内部
の芯材及び、底板に用いる部品を連結しつつ、座面の高さを調節する為に用いる、柱状な
部品２９に併せる事と、構造体の底板に設けられた、底板に用いる部品及び、座面の高さ
を調節する為に用いる部品を、連結する為に用いる差込穴２０の形は、構造体に於ける、
座面内部の芯材及び、底板に用いる部品を連結しつつ、座面の高さを調節する為に用いる
、柱状な部品２９に併せる事が挙げられる。
【００２７】
次に、使用する構造体の大きさに応じて、構造体に於ける、側板に用いる部品、背板に
用いる部品、底板に用いる部品を連結する為に用いる、棒状な部品２２を用いて、構造体
に於ける、底板に用いる部品２１同士を連結する。其の際に留意する事として、構造体に
於ける、底板に用いる部品２１同士を連結する際に、先ず、一列に連結させた、構造体に
於ける、底板に用いる部品２１を用意し、更に、連結した別の方向から、構造体に於ける
、底板に用いる部品２１同士を連結する事に依り、用途に応じた大きさにする事と、構造
体に於ける、底板に用いる部品２１の接合部に対し、隙間が出来無い事が挙げられる。
【００２８】
構造体に於ける、底板に用いる部品２１同士を、確実に連結したら、図１２の様にして
、構造体に於ける、底板に用いる部品２１同士の、組み合わせに対し、構造体に於ける、
側板に用いる部品、背板に用いる部品、底板に用いる部品を連結する為に用いる、棒状な
部品２２と、構造体に於ける、側板に用いる部品、背板に用いる部品、底板に用いる部品
、座面の高さを調節する為に用いる部品を、連結する為に用いる、棒螺子状な部品２３を
用いて、構造体に於ける、底板に用いる部品２１を囲う様にして、構造体に於ける、側板
に用いる部品１７並びに、構造体に於ける、背板に用いる部品３０を、組み合わせる事が
挙げられる。其の際に留意する事として、其々の接合部に対して、隙間が出来無い事と、
構造体に於ける、側板に用いる部品、背板に用いる部品、底板に用いる部品、座面の高さ
を調節する為に用いる部品を、連結する為に用いる、棒螺子状な部品２３を、螺子締めで
連結する際、構造体に於ける、側板に用いる部品１７と、構造体に於ける、背板に用いる
部品３０の連結箇所から、構造体に於ける、側板に用いる部品、背板に用いる部品、底板
に用いる部品、座面の高さを調節する為に用いる部品を、連結する為に用いる、棒螺子状
な部品２３の、先端が食み出さ無い事が挙げられる。
【００２９】
構造体に於ける、側板に用いる部品１７と、構造体に於ける、底板に用いる部品２１、
構造体に於ける、背板に用いる部品３０を、全て連結したら、構造体の底板に設けられた
、底板に用いる部品及び、座面の高さを調節する為に用いる部品を、連結する為に用いる
差込穴２０に対して、構造体に於ける、座面内部の芯材及び、底板に用いる部品を連結し
つつ、座面の高さを調節する為に用いる、柱状な部品２９を、差し込んで連結する。其の
際に留意する事として、構造体に於ける、底板に用いる部品２１に差し込んだ、構造体に
於ける、座面内部の芯材及び、底板に用いる部品を連結しつつ、座面の高さを調節する為
に用いる、柱状な部品２９の、下側の部分が、構造体に於ける、底板に用いる部品２１の
底面から、食み出さ無い様に差し込む事が挙げられる。
【００３０】
構造体に於ける、底板に用いる部品２１に対し、構造体に於ける、座面内部の芯材及び
、底板に用いる部品を連結しつつ、座面の高さを調節する為に用いる、柱状な部品２９を
差し込んだら、部品が安定した状態で、構造体の座面に於ける、座面の強度を保たせる為
に用いる芯材２６を固定し且つ、用途に応じた高さに併せる為、図１３の様に、構造体に
於ける、底板に用いる部品２１と、構造体に於ける、座面内部の芯材及び、底板に用いる
部品を連結しつつ、座面の高さを調節する為に用いる、柱状な部品２９の、下側の部分に
対し、予め構造体に於ける、側板に用いる部品、背板に用いる部品、底板に用いる部品、
底板を補強する為に用いる部品を、連結する為に設けられた、差し込む或いは、螺子締め
をして、固定する為に用いる差込穴１８を設けた、構造体に於ける、底板に用いる部品を
補強する為に用いる、板状な部品３１を設置したら、構造体に於ける、側板に用いる部品
、背板に用いる部品、底板に用いる部品、座面の高さを調節する為に用いる部品を、連結
する為に用いる、棒螺子状な部品２３を用いて、構造体に於ける、底板に用いる部品２１
並びに、構造体に於ける、座面内部の芯材及び、底板に用いる部品を連結しつつ、座面の
高さを調節する為に用いる、柱状な部品２９の、下側の部分を、構造体に於ける、底板に
用いる部品を補強する為に用いる、板状な部品３１に連結させて、構造体の座面に於ける
、座面の強度を保たせる為に用いる芯材２６を、構造体に於ける、側板に用いる部品１７
に、連結をする高さ迄、構造体に於ける、座面内部の芯材及び、底板に用いる部品を連結
しつつ、座面の高さを調節する為に用いる、柱状な部品２９同士を、差し込む或いは螺子
締めで以て、複数個を連結する。其の際に留意する事として、構造体に於ける、座面内部
の芯材及び、底板に用いる部品を連結しつつ、座面の高さを調節する為に用いる、柱状な
部品２９同士を連結する際、構造体に於ける、座面内部の芯材及び、底板に用いる部品を
連結しつつ、座面の高さを調節する為に用いる、柱状な部品２９の接合部に対し、隙間が
出来無い様にする事が挙げられる。
【００３１】
構造体に於ける、座面内部の芯材及び、底板に用いる部品を連結しつつ、座面の高さを
調節する為に用いる、柱状な部品２９を、全て確実に連結したら、構造体に於ける、側板
に用いる部品に対し、ナット状な部品及び、棒螺子状な部品を、連結する為に設けられた
切り溝１９の両面に対して、其々の構造体に於ける、側板に用いる部品及び、座面の芯材
に用いる部品を、棒螺子状な部品で連結する為に用いる、ナット状な部品２４を嵌め込む
或いは、螺子締めで連結をして、構造体に於ける、側板に用いる部品、背板に用いる部品
、底板に用いる部品、座面の高さを調節する為に用いる部品を、連結する為に用いる、棒
螺子状な部品２３を用いて、二つ在る、構造体に於ける、側板に用いる部品及び、座面の
芯材に用いる部品を、棒螺子状な部品で連結する為に用いる、ナット状な部品２４同士を
、螺子締めで仮組する。其の際に留意する事として、構造体に於ける、側板に用いる部品
、背板に用いる部品、底板に用いる部品、座面の高さを調節する為に用いる部品を、連結
する為に用いる、棒螺子状な部品２３に設けられている、螺子締めの溝を、削ら無い事が
挙げられる。
【００３２】
全ての、構造体に於ける、側板に用いる部品及び、座面の芯材に用いる部品を、棒螺子
状な部品で連結する為に用いる、ナット状な部品２４を仮組した上で、予め構造体の座面
に於ける、座面の強度を保たせる為に用いる芯材２６に設けられている、構造体の座面に
於ける、座面内部に用いる芯材及び、座面の高さを調節する為に用いる部品を、連結する
為に設ける差込穴２８に対し、構造体に於ける、座面内部の芯材及び、底板に用いる部品
を連結しつつ、座面の高さを調節する為に用いる、柱状な部品２９の突起部を、差し込む
事に依って連結をさせる。其の際に留意する事として、構造体の座面に於ける、座面内部
に用いる芯材及び、座面の高さを調節する為に用いる部品を、連結する為に設ける差込穴
２８と、構造体に於ける、座面内部の芯材及び、底板に用いる部品を連結しつつ、座面の
高さを調節する為に用いる、柱状な部品２９の接合部は荷重が掛かる為、重量が在る物を
載せる用途に使う場合には、構造体の座面に於ける、座面内部に用いる芯材及び、座面の
高さを調節する為に用いる部品を、連結する為に設ける差込穴２８と、構造体に於ける、
座面内部の芯材及び、底板に用いる部品を連結しつつ、座面の高さを調節する為に用いる
、柱状な部品２９の接合部に対し、可塑性が在る樹脂系素材（例えば、接着剤やパテ等）
を充填した上で、連結する事が挙げられる。
【００３３】
全ての、構造体の座面に於ける、座面の強度を保たせる為に用いる芯材２６を、構造体
に於ける、座面内部の芯材及び、底板に用いる部品を連結しつつ、座面の高さを調節する
為に用いる、柱状な部品２９に連結したら、図１４の様に、仮組をした、構造体に於ける
、側板に用いる部品、背板に用いる部品、底板に用いる部品、座面の高さを調節する為に
用いる部品を、連結する為に用いる、棒螺子状な部品２３並びに、構造体に於ける、側板
に用いる部品及び、座面の芯材に用いる部品を、棒螺子状な部品で連結する為に用いる、
ナット状な部品２４同士とを、構造体の座面に於ける、座面の強度を保たせる為に用いる
芯材２６に合わせて、構造体の座面に於ける、座面の強度を保たせる為に用いる芯材２６
に対して、構造体に於ける、側板に用いる部品、背板に用いる部品、底板に用いる部品、
座面の高さを調節する為に用いる部品を、連結する為に用いる、棒螺子状な部品２３を、
螺子締めして固定する事で、構造体に於ける、側板に用いる部品１７に、構造体に於ける
、側板に用いる部品、背板に用いる部品、底板に用いる部品、座面の高さを調節する為に
用いる部品を、連結する為に用いる、棒螺子状な部品２３並びに、構造体に於ける、側板
に用いる部品及び、座面の芯材に用いる部品を、棒螺子状な部品で連結する為に用いる、
ナット状な部品２４、構造体の座面に於ける、座面の強度を保たせる為に用いる芯材２６
を連結する。其の際に留意する事として、此れ等の連結箇所は、荷重が掛かる為、重量が
在る物を載せる場合は、構造体に於ける、側板に用いる部品、背板に用いる部品、底板に
用いる部品、座面の高さを調節する為に用いる部品を、連結する為に用いる、棒螺子状な
部品２３と、構造体の座面に於ける、座面内部の芯材及び、側板に用いる部品を、リング
状な部品及び、棒螺子状な部品を用いて、連結する為に設ける螺子穴２７の接合部に対し
、樹脂系素材（例えば、接着剤やパテ等）を充填した上で、確実に、接合する箇所を連結
する事と、構造体に於ける、側板に用いる部品、背板に用いる部品、底板に用いる部品、
座面の高さを調節する為に用いる部品を、連結する為に用いる、棒螺子状な部品２３が、
構造体に於ける、側板に用いる部品１７から、食み出さ無い事が挙げられる。
【００３４】
全ての部品を連結したら、使用用途に応じて、補助部品（例えば、キャスター、手摺、
マット等）を設置する事で、構造体の完成と成る。
【００３５】
補足事項として、完成後に形状を変更する場合、先ず、構造体に於ける、側板に用いる
部品１７に連結された、構造体に於ける、側板に用いる部品、背板に用いる部品、底板に
用いる部品、座面の高さを調節する為に用いる部品を、連結する為に用いる、棒螺子状な
部品２３の、螺子締めを緩めて全て外す事で、構造体に於ける、側板に用いる部品１７と
、構造体の座面に於ける、座面の強度を保たせる為に用いる芯材２６の連結を外したら、
構造体に於ける、側板に用いる部品、背板に用いる部品、底板に用いる部品を連結する為
に用いる、棒状な部品２２を抜く事に依り、構造体に於ける、背板に用いる部品３０から
、構造体に於ける、側板に用いる部品１７を外した上で、構造体の座面に於ける、座面の
強度を保たせる為に用いる芯材２６に対し、構造体に於ける、座面内部の芯材及び、底板
に用いる部品を連結しつつ、座面の高さを調節する為に用いる、柱状な部品２９の接合部
で在る、構造体の座面に於ける、座面内部に用いる芯材及び、座面の高さを調節する為に
用いる部品を、連結する為に設ける差込穴２８に連結された、構造体に於ける、座面内部
の芯材及び、底板に用いる部品を連結しつつ、座面の高さを調節する為に用いる、柱状な
部品２９を抜く事で、構造体の座面に於ける、座面の強度を保たせる為に用いる芯材２６
を外す。
【００３６】
次に、構造体に於ける、底板に用いる部品を補強する為に用いる、板状な部品３１から
、複数個連結している、構造体に於ける、座面内部の芯材及び、底板に用いる部品を連結
しつつ、座面の高さを調節する為に用いる、柱状な部品２９から、構造体に於ける、側板
に用いる部品、背板に用いる部品、底板に用いる部品、座面の高さを調節する為に用いる
部品を、連結する為に用いる、棒螺子状な部品２３の螺子締めを、緩めて外したら、構造
体に於ける、底板に用いる部品２１から、構造体に於ける、座面内部の芯材及び、底板に
用いる部品を連結しつつ、座面の高さを調節する為に用いる、柱状な部品２９を引き抜き
、新たに追加する、構造体に於ける、側板に用いる部品１７と、構造体に於ける、底板に
用いる部品２１〜到る構造体に於ける、側板に用いる部品及び、座面の芯材に用いる部品
を、棒螺子状な部品で連結する為に用いる、ナット状な部品２４、構造体の座面に於ける
、座面の強度を保たせる為に用いる芯材２６、更に構造体に於ける、座面内部の芯材及び
、底板に用いる部品を連結しつつ、座面の高さを調節する為に用いる、柱状な部品２９〜
到る構造体に於ける、底板に用いる部品を補強する為に用いる、板状な部品３１を、必要
に応じて、外した箇所に対し、前述した様に、継ぎ足して組み直す事に依り、強度と安定
性を維持しつつ、形状を変更する事が出来る。
【００３７】
次に、異なる構造体同士の連結方法を、図１５及び図１６で説明する。
【００３８】
異なる構造体同士の、連結方法として、図１５の様に、構造体に於ける、側板に用いる
部品、背板に用いる部品、底板に用いる部品、座面の高さを調節する為に用いる部品を、
連結する為に用いる、棒螺子状な部品２３と、構造体に於ける、側板に用いる部品及び、
座面の芯材に用いる部品を、棒螺子状な部品で連結する為に用いる、ナット状な部品２４
が連結されている、複数個在る構造体に於ける、側板に用いる部品１７に対し、構造体に
於ける、側板に用いる部品、背板に用いる部品、底板に用いる部品を連結する為に用いる
、棒状な部品２２と、異なる構造体同士の連結に於ける、其々の側板に用いる部品を、棒
状な部品、螺子状な部品、ナット状な部品を用いて、其々を連結する為に用いる部品３２
を用いる事で連結する方法と、図１６の様に、構造体に於ける、側板に用いる部品、背板
に用いる部品、底板に用いる部品、座面の高さを調節する為に用いる部品を、連結する為
に用いる、棒螺子状な部品２３と、構造体に於ける、側板に用いる部品及び、座面の芯材
に用いる部品を、棒螺子状な部品で連結する為に用いる、ナット状な部品２４が、複数個
連結された、構造体に於ける、側板に用いる部品１７を、重ねて連結する事に依り、連結
する方法が在る。
【００３９】
構造体に於ける、側板に用いる部品、背板に用いる部品、底板に用いる部品を連結する
為に用いる、棒状な部品２２に対して、異なる構造体同士の連結に於ける、其々の側板に
用いる部品を、棒状な部品、螺子状な部品、ナット状な部品を用いて、其々を連結する為
に用いる部品３２を用いて、異なる構造体同士を連結する場合は、最初に、異なる構造体
同士の連結に於ける、其々の側板に用いる部品を、棒状な部品、螺子状な部品、ナット状
な部品を用いて、其々を連結する為に用いる部品３２に、構造体に於ける、側板に用いる
部品、背板に用いる部品、底板に用いる部品を連結する為に用いる、棒状な部品２２を、
確実に差し込む事に依り、異なる構造体同士の連結に於ける、其々の側板に用いる部品を
、棒状な部品、螺子状な部品、ナット状な部品を用いて、其々を連結する為に用いる部品
３２同士を連結した上で、連結をされた、異なる構造体同士の連結に於ける、其々の側板
に用いる部品を、棒状な部品、螺子状な部品、ナット状な部品を用いて、其々を連結する
為に用いる部品３２同士を、両側から挟み込む様にして、構造体に於ける、側板に用いる
部品、背板に用いる部品、底板に用いる部品、座面の高さを調節する為に用いる部品を、
連結する為に用いる、棒螺子状な部品２３と、構造体に於ける、側板に用いる部品及び、
座面の芯材に用いる部品を、棒螺子状な部品で連結する為に用いる、ナット状な部品２４
を用いて、異なる構造体に、其々が構成された、構造体に於ける、側板に用いる部品１７
同士を、連結する事が出来る。
【００４０】
構造体に於ける、側板に用いる部品１７に対して、構造体に於ける、側板に用いる部品
、背板に用いる部品、底板に用いる部品、座面の高さを調節する為に用いる部品を、連結
する為に用いる、棒螺子状な部品２３と、構造体に於ける、側板に用いる部品及び、座面
の芯材に用いる部品を、棒螺子状な部品で連結する為に用いる、ナット状な部品２４を、
複数個用いて連結する場合、螺子締めで連結する為、中心に位置する、構造体に於ける、
側板に用いる部品１７から、順番に重ねて連結する事に依り、其々に於いて、同様な部品
を用いつつ、異なる複数の構造体を、強固に連結する事が出来る。
【００４１】
其々の方法に於いて留意する事としては、構造体に於ける、側板に用いる部品、背板に
用いる部品、底板に用いる部品、座面の高さを調節する為に用いる部品を、連結する為に
用いる、棒螺子状な部品２３と、構造体に於ける、側板に用いる部品及び、座面の芯材に
用いる部品を、棒螺子状な部品で連結する為に用いる、ナット状な部品２４を、構造体に
於ける、側板に用いる部品１７に対して、確実に固定する事と、構造体に於ける、側板に
用いる部品１７の接面に、隙間が無い事が挙げられる。
【００４２】
更に、其れ等の部品に対して、一定の強度が求められる場合は、構造体に於ける、側板
に用いる部品に対し、ナット状な部品及び、棒螺子状な部品を、連結する為に設けられた
切り溝１９に対して、構造体に於ける、側板に用いる部品に対し、ナット状な部品及び、
棒螺子状な部品を、連結する為に設けられた切り溝１９の形状に併せた、防護に用いる為
の補助部品（例えば、防護カバー等）を用いる事で、構造体に於ける、側板に用いる部品
に対し、ナット状な部品及び、棒螺子状な部品を、連結する為に設けられた切り溝１９を
塞ぐ或いは、シリコン樹脂やセメント等を始めとする、可塑性が在り且つ、剥離が容易な
充填素材を、構造体に於ける、側板に用いる部品に対し、ナット状な部品及び、棒螺子状
な部品を、連結する為に設けられた切り溝１９に対し、斑無く充填する事に依り、構造体
に於ける、側板に用いる部品１７を、保護する事が挙げられる。
【実施例】
【００４３】
以下に於いて、本発明に於ける実施例を、図１７及び図１８で説明する。
【００４４】
図１７に於いては、構造体の座面とするシートに連結されている、デスク及びラックと
した、構造体の構成を、構造体の実施例に於ける、シート及びデスクの天板に用いる部品
３３〜到る、構造体の実施例に於ける、シートとデスクの底板に用いる部品及び、シート
とデスクを連結しつつ、高さを調節する為に用いる部品４２で構成している。従来の工法
で形成した場合、シートとは別に、デスク或いはラックを形成し、其々を配置して用いる
或いは、専用の部品を形成した上で、其々が連結された製品を用いる事に依り、使用目的
を達成している。
【００４５】
然し、本案件の図例に於いては、構造体の実施例に於ける、シート及びデスクの背板に
用いる部品３６と、構造体の実施例に於ける、シート及びデスクの側板に用いる部品３７
に連結する様に、大きさを併せた、構造体の実施例に於ける、シート及びデスクの天板に
用いる部品３３を用いて、シートの天井及び、デスクの天板を形成し、構造体の実施例に
於ける、シート及びデスクの背板に用いる部品３６と、構造体の実施例に於ける、シート
及びデスクの側板に用いる部品３７の内縁に大きさを併せた、構造体の実施例に於ける、
シート及びデスクに用いる部品３４を用いて、シート面及び、デスク面を形成している。
【００４６】
更に、構造体の実施例に於ける、シート及びデスクに用いる部品３４の下側に対して、
構造体の実施例に於ける、デスクを支えつつ、高さを調節する為に用いる部品３５並びに
、構造体の実施例に於ける、シートとデスクの底板に用いる部品及び、シートとデスクを
連結しつつ、高さを調節する為に用いる部品４２を、複数個連結して、構造体の実施例に
於ける、シート及びデスクに用いる部品３４に対して、構造体の実施例に於ける、シート
及びデスクの底板に用いる部品３９及び、構造体の実施例に於ける、シート及びデスクの
底板に用いる部品を、補強する為に用いる部品４０を連結する事に依り、構造体の実施例
に於ける、シート及びデスクに用いる部品３４を、部品の下側から支えつつ、高さを調節
している。
【００４７】
加えて、構造体の実施例に於ける、背板、側板、底板、天板を連結する為に用いる部品
３８を用いて連結をされた、構造体の実施例に於ける、シート及びデスクの背板に用いる
部品３６並びに、構造体の実施例に於ける、シート及びデスクの背板に用いる部品３７を
用いて、構造体の実施例に於ける、シート及びデスクに用いる部品３４、構造体の実施例
に於ける、シート及びデスクの底板に用いる部品３９、構造体の実施例に於ける、シート
及びデスクの底板に用いる部品を、補強する為に用いる部品４０を、囲う様に組み立てて
、其の上から、構造体の実施例に於ける、背板、側板、底板、天板を連結する為に用いる
部品３８を用いて、構造体の実施例に於ける、シート及びデスクの天板に用いる部品３３
を連結する事に依り、実施例に於ける、構造体の安定性及び、遮光性を高める事を可能に
している。
【００４８】
そして、構造体の実施例に於ける、シート及びデスクの天板に用いる部品３３の下側に
対し、照明器具を設置する事で、少ない電力でも、構造体内部を、明るく照らせる効果を
得られる。又、構造体の実施例に於ける、シート及びデスクの天板に用いる部品３３及び
、構造体の実施例に於ける、シート及びデスクに用いる部品３４の下側或いは、構造体の
実施例に於ける、シート及びデスクの背板に用いる部品３６と、構造体の実施例に於ける
、シート及びデスクの背板に用いる部品３７の内側に対し、音響装置を設置する事に依り
、音響効果を高める効果を得られる。
【００４９】
最後に、構造体の実施例に於ける、シート及びデスクの背板に用いる部品３６と、構造
体の実施例に於ける、シート及びデスクの背板に用いる部品３７の内側に対して、シート
ベルトを設置する事に依り、災害時及び、事故発生時に於いて、極めて安全性能が高い、
シート並びに、デスクを構築する事が出来る。又、構造体の実施例に於ける、シート及び
デスクの底板に用いる部品を、補強する為に用いる部品４０の下部に対し、キャスターを
付ける事に依り、構造体全体の移動も容易に成る。
【００５０】
図１８に於いては、仮設住居等の建築を始めとする、小型の建造物とした構成を、構造
体の実施例に於ける、建造物を構成する為の屋根材４３〜到る構造体の実施例に於ける、
建造物を構成する為に設ける、地中のアンカーを、柱材及び床材へと連結する為に設ける
、アンカーの突起部分５４で構成している。先ず、建造する土地の按地をした上で、構造
体の実施例に於ける、建造物を構成する為に設ける、地中のアンカーを、柱材及び床材へ
と連結する為に設ける、アンカーの突起部分５４が地上に出る様にして、構造体の実施例
に於ける、建造物を安定させる為に用いるアンカー５３を地中に埋設し、構造体の実施例
に於ける、建造物を構成する為に設ける、地中のアンカーを、柱材及び床材へと連結する
為に設ける、アンカーの突起部分５４に、構造体の実施例に於ける、建造物を構成する為
に設ける、地中のアンカーを、柱材及び床材へと、連結する為に設ける差込穴５２を貫通
させて、構造体の実施例に於ける、建造物を構成する為の床材５１を設置したら、構造体
の実施例に於ける、建造物を構成する為に設ける、地中のアンカーを、柱材及び床材へと
連結する為に設ける、アンカーの突起部分５４に対し、構造体の実施例に於ける、建造物
を構成する為に用いる、天板材と床材を連結且つ、建造物の高さを調節しつつ、建造物を
アンカーへと固定する為に用いる柱材５０を連結する。
【００５１】
次に、複数個在る、構造体の実施例に於ける、建造物を構成する為に用いる、天板材と
床材を連結且つ、建造物の高さを調節しつつ、建造物をアンカーへと固定する為に用いる
柱材５０を、必要に応じた高さ迄、連結して固定したら、構造体の実施例に於ける、建造
物を構成する屋根材、天板材、壁材、床材を、連結する為に用いる棒螺子４９を用いて、
構造体の実施例に於ける、建造物を構成する為に設ける、建材を連結する為の螺子穴４４
を、螺子締めで固定する事で、構造体の実施例に於ける、建造物を構成する為の床材５１
に対し、構造体の実施例に於ける、建造物を構成する為の、五角形を象った壁材４７と、
構造体の実施例に於ける、建造物を構成する為の、四角形を象った壁材４８を連結する。
其の際に留意する事として、構造体の実施例に於ける、建造物を構成する為の、五角形を
象った壁材４７、構造体の実施例に於ける、建造物を構成する為の、四角形を象った壁材
４８、構造体の実施例に於ける、建造物を構成する為の床材５１に設ける、構造体の実施
例に於ける、建造物を構成する為に設ける、建材を連結する為の螺子穴４４を形成する際
に、構造体の実施例に於ける、建造物を構成する為に設ける、建材を連結する為の螺子穴
４４の、位置ずれ或いは、歪みが無い様にする事が挙げられる。
【００５２】
構造体の実施例に於ける、建造物を構成する為の床材５１に対して、構造体の実施例に
於ける、建造物を構成する為の、五角形を象った壁材４７と、構造体の実施例に於ける、
建造物を構成する為の、四角形を象った壁材４８を連結したら、既に連結している、構造
体の実施例に於ける、建造物を構成する為に用いる、天板材と床材を連結且つ、建造物の
高さを調節しつつ、建造物をアンカーへと固定する為に用いる柱材５０の上端に対して、
構造体の実施例に於ける、天板材と柱材を連結する為に設ける差込穴４６を、差し込む事
に依り、構造体の実施例に於ける、建造物を構成する為の天板材４５を、構造体の実施例
に於ける、建造物を構成する為に用いる、天板材と床材を連結且つ、建造物の高さを調節
しつつ、建造物をアンカーへと固定する為に用いる柱材５０に連結させる。其の際に留意
する事として、構造体の実施例に於ける、建造物を構成する為の天板材４５に対し、構造
体の実施例に於ける、天板材と柱材を連結する為に設ける差込穴４６を形成する際、構造
体の実施例に於ける、天板材と柱材を連結する為に設ける差込穴４６の位置ずれ或いは、
歪みが無い様にする事が挙げられる。
【００５３】
構造体の実施例に於ける、建造物を構成する為の天板材４５に対し、構造体の実施例に
於ける、建造物を構成する為に用いる、天板材と床材を連結且つ、建造物の高さを調節し
つつ、建造物をアンカーへと固定する為に用いる柱材５０を連結したら、構造体の実施例
に於ける、建造物を構成する為の天板材４５に、構造体の実施例に於ける、建造物を構成
する屋根材、天板材、壁材、床材を、連結する為に用いる棒螺子４９を用いて、構造体の
実施例に於ける、建造物を構成する為に設ける、建材を連結する為の螺子穴４４を、螺子
締めで固定をする事に依り、構造体の実施例に於ける、建造物を構成する為の、五角形を
象った壁材４７及び、構造体の実施例に於ける、建造物を構成する為の、四角形を象った
壁材４８を連結させる。其の際に留意する事として、構造体の実施例に於ける、建造物を
構成する為の天板材４５に対し、構造体の実施例に於ける、建造物を構成する為に設ける
、建材を連結する為の螺子穴４４を形成する際、構造体の実施例に於ける、建造物を構成
する為に設ける、建材を連結する為の螺子穴４４の位置ずれ或いは、歪みが無い様にする
事が挙げられる。
【００５４】
構造体の実施例に於ける、建造物を構成する為の天板材４５に対し、構造体の実施例に
於ける、建造物を構成する為の、五角形を象った壁材４７と、構造体の実施例に於ける、
建造物を構成する為の、四角形を象った壁材４８を連結させたら、最後に、構造体の実施
例に於ける、建造物を構成する為の屋根材４３に対して、構造体の実施例に於ける、建造
物を構成する屋根材、天板材、壁材、床材を、連結する為に用いる棒螺子４９を用いて、
構造体の実施例に於ける、建造物を構成する為に設ける、建材を連結する為の螺子穴４４
を螺子締めで固定する事に依り、構造体の実施例に於ける、建造物を構成する為の、五角
形を象った壁材４７に連結する事で、構造体の完成と成る。其の際に留意する事として、
構造体の実施例に於ける、建造物を構成する為の屋根材４３に対して、構造体の実施例に
於ける、建造物を構成する為に設ける、建材を連結する為の螺子穴４４を形成する際に、
構造体の実施例に於ける、建造物を構成する為に設ける、建材を連結する為の螺子穴４４
の位置ずれ或いは、歪みが無い様にする事と、構造上、構造体の実施例に於ける、建造物
を構成する為の屋根材４３同士に、隙間が出来無い様に連結をした後で、構造体の実施例
に於ける、建造物を構成する為の屋根材４３の内側に対して、防水性及び、耐候性が在る
部品を連結する或いは、接着剤、パテ、コーキング剤等を充填する事が挙げられる。
【００５５】
以上の製造手法に依り、製造された建造物に於いては、安定性に於いて、建造物の地下
から、構造体の実施例に於ける、建造物を安定させる為に用いるアンカー５３から、構造
体の実施例に於ける、建造物を構成する為に用いる、天板材と床材を連結且つ、建造物の
高さを調節しつつ、建造物をアンカーへと固定する為に用いる柱材５０に連結され、其処
から更に、構造体の実施例に於ける、建造物を構成する為の天板材４５、と連結する事に
依り、上下の振動に対し、極めて強い構造と成る。又、左右の振動に対しても、構造体の
実施例に於ける、建造物を構成する為に用いる、天板材と床材を連結且つ、建造物の高さ
を調節しつつ、建造物をアンカーへと固定する為に用いる柱材５０及び構造体の実施例に
於ける、建造物を安定させる為に用いるアンカー５３に連結されている、構造体の実施例
に於ける、建造物を構成する為の床材５１が、地面と連動して振動する為、構造体の実施
例に於ける、建造物を構成する為の床材５１に連結されている、構造体の実施例に於ける
、建造物を構成する為の、五角形を象った壁材４７及び、構造体の実施例に於ける、建造
物を構成する為の、五角形を象った壁材４７に連結されている、構造体の実施例に於ける
、建造物を構成する為の、四角形を象った壁材４８と、建造物内部の空間は、極めて高い
安定性を保つ事が出来る。
【００５６】
更には、構造体の実施例に於ける、建造物を構成する為に用いる、天板材と床材を連結
且つ、建造物の高さを調節しつつ、建造物をアンカーへと固定する為に用いる柱材５０の
上端部分と、構造体の実施例に於ける、建造物を構成する為の天板材４５を、確実に連結
する事に依り、既製の建造物では困難で在った、土台や柱に該当する材料の、取り外しが
極めて容易な為、建造後の建造物に於ける、建造物の修復、拡張、高さの変更を容易にし
つつ、建造物としての強度を保つ事が出来る。
【産業上の利用可能性】
【００５７】
本発明に於ける、産業上の利用用途に関し、一般的な用途に於いては、屋内外に用いる
事が出来る、椅子、ベッド、テーブル、階段、ラック、児童遊具等が挙げられる。業務的
な用途に於いては、住居、階段、ステージ、コンテナ、橋脚、建造物等が挙げられる。
【００５８】
特に、住居及び建造物に於いては、構造上極めて強固な上に、高さの調節が可能な支柱
を、地中から構造体と連結させる事に依り、既製の建造物と比較すると、耐震性が極めて
高く且つ、組み立て及び解体が容易な事や、建築作業に要する時間が短い事、更に、共通
の部品を用いる事に依る、生産性の向上、製造コストの削減、部品の再利用等が出来る事
が挙げられる。
【符号の説明】
【００５９】
１      本案件に於ける、構造体の完成例
２      折り畳み式ベッドの座面
３      折り畳み式ベッドに於ける、高さの調節が可能な脚部
４      折り畳み式ベッドに於ける、座面同士の連結及び、高さの調節を可能にする為
に用いる部品
５      オフィスチェアの背凭れに用いる部品
６      オフィスチェアの背凭れを支える為に用いる部品
７      オフィスチェアに於ける、背凭れを支える為に用いる部品及び、座面を支える
為に用いる部品を、互いに連結する為に用いる部品
８      オフィスチェアの座面を支える為に用いる部品
９      オフィスチェアの座面に用いる部品
１０    オフィスチェアに於ける、圧縮ガスを用いる事に依り、座面を支えつつ、座面
の高さを調節する事を可能にした部品
１１    オフィスチェアに於ける、圧縮ガスの内圧を調整する為に用いる部品
１２    オフィスチェアに於ける、背凭れ及び座面を支える為に用いる部品
１３    オフィスチェアの脚に用いる部品
１４    オフィスチェアに於ける、移動を容易にする為に用いる、キャスター状な部品
１５    仮設住居に於ける、壁面に用いる部品
１６    仮設住居に於ける、壁面同士を連結する為に用いる部品
１７    構造体に於ける、側板に用いる部品
１８    構造体に於ける、側板に用いる部品、背板に用いる部品、底板に用いる部品、
底板を補強する為に用いる部品を、連結する為に設けられた、差し込む或いは、螺子締め
をして、固定する為に用いる差込穴
１９    構造体に於ける、側板に用いる部品に対し、ナット状な部品及び、棒螺子状な
部品を、連結する為に設けられた切り溝
２０    構造体の底板に設けられた、底板に用いる部品及び、座面の高さを調節する為
に用いる部品を、連結する為に用いる差込穴
２１    構造体に於ける、底板に用いる部品
２２    構造体に於ける、側板に用いる部品、背板に用いる部品、底板に用いる部品を
連結する為に用いる、棒状な部品
２３    構造体に於ける、側板に用いる部品、背板に用いる部品、底板に用いる部品、
座面の高さを調節する為に用いる部品を、連結する為に用いる、棒螺子状な部品
２４    構造体に於ける、側板に用いる部品及び、座面の芯材に用いる部品を、棒螺子
状な部品で連結する為に用いる、ナット状な部品
２５    構造体の座面に於ける、クッション及び防護カバー
２６    構造体の座面に於ける、座面の強度を保たせる為に用いる芯材
２７    構造体の座面に於ける、座面内部の芯材及び、側板に用いる部品を、リング状
な部品及び、棒螺子状な部品を用いて、連結する為に設ける螺子穴
２８    構造体の座面に於ける、座面内部に用いる芯材及び、座面の高さを調節する為
に用いる部品を、連結する為に設ける差込穴
２９    構造体に於ける、座面内部の芯材及び、底板に用いる部品を連結しつつ、座面
の高さを調節する為に用いる、柱状な部品
３０    構造体に於ける、背板に用いる部品
３１    構造体に於ける、底板に用いる部品を補強する為に用いる、板状な部品
３２    異なる構造体同士の連結に於ける、其々の側板に用いる部品を、棒状な部品、
螺子状な部品、ナット状な部品を用いて、其々を連結する為に用いる部品
３３    構造体の実施例に於ける、シート及びデスクの天板に用いる部品
３４    構造体の実施例に於ける、シート及びデスクに用いる部品
３５    構造体の実施例に於ける、デスクを支えつつ、高さを調節する為に用いる部品
３６    構造体の実施例に於ける、シート及びデスクの背板に用いる部品
３７    構造体の実施例に於ける、シート及びデスクの側板に用いる部品
３８    構造体の実施例に於ける、背板、側板、底板、天板を連結する為に用いる部品
３９    構造体の実施例に於ける、シート及びデスクの底板に用いる部品
４０    構造体の実施例に於ける、シート及びデスクの底板に用いる部品を、補強する
為に用いる部品
４１    構造体の実施例に於ける、シートとデスクの側板に用いる部品及び、シートと
デスクの底板に用いる部品を、連結する為に用いる部品
４２    構造体の実施例に於ける、シートとデスクの底板に用いる部品及び、シートと
デスクを連結しつつ、高さを調節する為に用いる部品
４３    構造体の実施例に於ける、建造物を構成する為の屋根材
４４    構造体の実施例に於ける、建造物を構成する為に設ける、建材を連結する為の
螺子穴
４５    構造体の実施例に於ける、建造物を構成する為の天板材
４６    構造体の実施例に於ける、天板材と柱材を連結する為に設ける差込穴
４７    構造体の実施例に於ける、建造物を構成する為の、五角形を象った壁材
４８    構造体の実施例に於ける、建造物を構成する為の、四角形を象った壁材
４９    構造体の実施例に於ける、建造物を構成する屋根材、天板材、壁材、床材を、
連結する為に用いる棒螺子
５０    構造体の実施例に於ける、建造物を構成する為に用いる、天板材と床材を連結
且つ、建造物の高さを調節しつつ、建造物をアンカーへと固定する為に用いる柱材
５１    構造体の実施例に於ける、建造物を構成する為の床材
５２    構造体の実施例に於ける、建造物を構成する為に設ける、地中のアンカーを、
柱材及び床材へと、連結する為に設ける差込穴
５３    構造体の実施例に於ける、建造物を安定させる為に用いるアンカー
５４    構造体の実施例に於ける、建造物を構成する為に設ける、地中のアンカーを、
柱材及び床材へと連結する為に設ける、アンカーの突起部分
【手続補正２】
【補正対象書類名】特許請求の範囲
【補正対象項目名】請求項１
【補正方法】変更
【補正の内容】
【請求項１】
寝具のベッド（例えば、ベビーベッド・シングルベッド・二段ベッド・介護用ベッド）
や椅子（例えば、オフィスチェア・チャイルドチェア・公共施設等のベンチ・娯楽施設等
の遊具に用いるシート・椅子学習机の椅子）或いは、大型建造物（例えば、軽量鉄骨住宅
・重量鉄骨住宅・仮設住居・高層ビル・仮設ライブステージ・堤防）の構造体に於いて、
使用用途毎に発生する、荷重・衝撃・振動等に、耐えられる素材で形成された、構造体を
構成する為の各部品を用いて、後述する、組み立て方法で組み立てる事に依り、各個人の
体型、使用する用途、屋内外の広さ等に拘わらず、構造体の設置、解体、再構築が容易な
上、荷重や衝撃に強い、構造体の製造方法を目的とする。尚、構造体に用いる素材及び、
構造体の組み立てに於ける手順に関しては、下記の通りとする。
使用する素材
木材：杉、檜、桐、欅、栗、椚、樫、唐檜、バルサ、オーク、リグナムバイタ等の木材
樹脂：シリコン樹脂、ウレタン樹脂、アクリル樹脂、塩化ビニル樹脂、カーボン樹脂等
の樹脂素材
金属：金、銀、銅、鉄、鋼、アルミニウム、タングステン等の金属素材或いは、其れ等
を混合して、形成した合金素材
其の他：石膏、石灰等を混合して形成された、セメント素材
構造体の組み立て手順
１．側板に用いる板状な部品１７に対して、側板に用いる板状な部品１７同士を、連結
する為に用いる、棒螺子状な部品２３と、ナット状な部品２４を固定する為、予め切り溝
１９を設ける。
２．側板に用いる板状な部品１７に対し、側板に用いる板状な部品１７と同様な、素材
を用いて形成した、底板に用いる板状な部品２１及び、背板に用いる板状な部品３０を、
棒螺子状な部品２３と同様な素材で形成した、棒状な部品２２及び、棒螺子状な部品２３
を用いて連結する為、側板に用いる板状な部品１７、底板に用いる板状な部品２１、背板
に用いる板状な部品３０に対し、差込穴１８を予め設ける。
３．差込穴１８を、必要な数だけ設けたら、側板に用いる板状な部品１７に対し、背板
に用いる板状な部品３０を、棒状な部品２２を用いて連結する。
４．底板に用いる板状な部品２１に対し、棒状な部品２２と、同様な素材で形成した、
柱状な部品２９を連結する為に、底板に用いる板状な部品２１に、差込穴２０を設ける。
５．底板に用いる板状な部品２１に対し、必要数の差込穴２０を設けたら、座面と成る
部品の芯材２６に対し、棒螺子状な部品２３を、連結する為に用いる螺子穴２７と、柱状
な部品２９を、連結する為に用いる差込穴２８を、予め設ける。
６．底板に用いる板状な部品２１に対し、補強の為に用いる板状な部品３１を、棒螺子
状な部品２３を用いて連結する為に、底板に用いる板状な部品２１の底面に対し、差込穴
１８を設ける。同様に、補強の為に用いる板状な部品３１に対し、差込穴１８を設ける。
７．底板に用いる板状な部品２１同士を、棒状な部品２２を用いて、使用用途に応じた
大きさに連結したら、底板に用いる板状な部品２１に設けた、差込穴２０に対し、柱状な
部品２９を差し込んで連結する。
８．底板に用いる板状な部品２１に対し、柱状な部品２９を、必要数差し込んで連結を
したら、底板に用いる板状な部品２１及び、柱状な部品２９に対し、棒螺子状な部品２３
を用いて、補強の為に用いる板状な部品３１を、螺子締めで連結する。
９．側板に用いる板状な部品１７と、背板に用いる板状な部品３０を、棒螺子状な部品
２３を用いて、底板に用いる板状な部品２１と、螺子締めで連結する。
１０．底板に用いる板状な部品２１に差し込んだ、柱状な部品２９を複数個連結して、
座面と成る部品の芯材２６を、固定したい高さ迄連結する。
１１．側板に用いる板状な部品１７に設けた、切り溝１９の両側にナット状な部品２４
を、嵌め込む或いは、螺子締めをして仮固定をした上で、棒螺子状な部品２３を、切り溝
１９の両側に仮固定した、ナット状な部品２４に連結させる。
１２．棒螺子状な部品２３及び、ナット状な部品２４を、切り溝１９に必要数の仮固定
を施したら、底板に用いる板状な部品２１から、複数個連結されている柱状な部品２９の
上端を、座面と成る部品の芯材２６に設けられた、差込穴２８に差し込んで連結する。
１３．座面と成る部品の芯材２６に対し、柱状な部品２９に連結したら、切り溝１９に
仮固定で連結された、棒螺子状な部品２３とナット状な部品２４を、予め２６に設けた、
連結する為の螺子穴２７に対し、螺子締めで連結する事に依り、構造体を形成する。
【手続補正書】
【提出日】平成28年9月15日(2016.9.15)
【手続補正２】
【補正対象書類名】明細書
【補正対象項目名】全文
【補正方法】変更
【補正の内容】
【発明の詳細な説明】
【技術分野】
【０００１】
本発明は、ベッド（ベビーベッド・シングルベッド・二段ベッド・介護用ベッド）や、
椅子（オフィスチェア・チャイルドチェア・公共施設等のベンチ・娯楽施設等の遊具に用
いるシート・椅子学習机の椅子）を構築する際に於いて、使用用途毎に発生する、荷重・
衝撃・振動等に、耐えられる素材で形成された部品を用いて、後述する、組み立て方法で
組み立てる事に依り、設置・解体・再構築が容易な上に、荷重や衝撃に強い、ベッド及び
椅子の製造方法を目的とする。
【背景技術】
【０００２】
従来に於ける、ベッド及び椅子の設置手段として、設置をする場所に対し、予めベッド
及び椅子の形状を、象られた状態或いは、既に組み立てられた状態で、設置をするベッド
及び椅子が在る。
【０００３】
或いは、予め形成された、ベッド及び椅子の部品を、設置をする場所に搬入し、其処で
組み立てて設置をする、ベッド及び椅子が在る。
【０００４】
以下に於いて、図２及び図３を用いて、従来のベッド及び椅子を説明する。図２では、
折り畳み式ベッドの座面２を支える為に用いられる、折り畳み式ベッドに於ける、高さの
調節が可能な脚部３同士を、複数連結する事に依り、或る程度、高さを調節する事を可能
にしている。其れと、折り畳み式ベッドに於ける、高さの調節が可能な脚部３の、高さを
調節しつつ、折り畳み式ベッドの座面２同士を連結する為、折り畳み式ベッドに於ける、
座面同士の連結及び、高さの調節を可能にする為に用いる部品４を用いる事で、折り畳み
式ベッドの座面２を連結している。
【０００５】
図３では、オフィスチェアの背凭れに用いる部品５と、オフィスチェアの座面に用いる
部品９を、オフィスチェアの背凭れを支える為に用いる部品６、オフィスチェアに於ける
、背凭れを支える為に用いる部品及び、座面を支える為に用いる部品を、互いに連結する
為に用いる部品７、オフィスチェアの座面を支える為に用いる部品８で、其々を連結し、
更に、連結されたオフィスチェアの背凭れを支える為に用いる部品６と、オフィスチェア
に於ける、背凭れを支える為に用いる部品及び、座面を支える為に用いる部品を、互いに
連結する為に用いる部品７と、オフィスチェアの座面を支える為に用いる部品８を支える
為、オフィスチェアに於ける、圧縮ガスを用いる事に依り、座面を支えつつ、座面の高さ
を調節する事を可能にした部品１０と、オフィスチェアに於ける、圧縮ガスの内圧を調整
する為に用いる部品１１、オフィスチェアに於ける、背凭れ及び座面を支える為に用いる
部品１２が、オフィスチェアの座面を支える為に用いる部品８に連結されている。
【０００６】
加えて、オフィスチェアの背凭れに用いる部品５及び、オフィスチェアの座面に用いる
部品９に、荷重が掛かる際、下方向への負荷を分散させる為、オフィスチェアに於ける、
背凭れ及び座面を支える為に用いる部品１２に対して、オフィスチェアの脚に用いる部品
１３を連結している。そして、全ての部品が、連結された状態で在る、オフィスチェアの
移動を容易にする為、オフィスチェアの脚に用いる部品１３に、オフィスチェアに於ける
、移動を容易にする為に用いる、キャスター状な部品１４が連結されている。
【０００７】
更に、オフィスチェアの座面に用いる部品９の高さを、使用者に合わせて調節する為に
、オフィスチェアに於ける、圧縮ガスを用いる事に依り、座面を支えつつ、座面の高さを
調節する事を可能にした部品１０の内部に、圧縮されたガスを充填し、オフィスチェアに
於ける、圧縮ガスの内圧を調整する為に用いる部品１１を、上下に動かす事で、オフィス
チェアに於ける、圧縮ガスを用いる事に依り、座面を支えつつ、座面の高さを調節する事
を可能にした部品１０の内部に充填された、ガスの圧力が調節される事に依り、オフィス
チェアに於ける、背凭れ及び座面を支える為に用いる部品１２が伸縮する事で、オフィス
チェアの高さを、調節する事が可能に成っている。
【先行技術文献】
【特許文献】
【０００８】
【特許文献１】特許公開２００６−１５３１３８  特許公開２００８−１６１６９２特許公開２００１−１２０３８７
【０００９】
以上に述べた、従来に於けるベッド及び椅子の問題点として、図２に於いては、構造上
、横からの衝撃に弱く、衝撃の強さに依っては、折り畳み式ベッドに於ける、高さの調節
が可能な脚部３と、折り畳み式ベッドに於ける、座面同士の連結及び、高さの調節を可能
にする為に用いる部品４が破損する結果、折り畳み式ベッドの座面２を支える事が不可能
と成る場合が在る。又、折り畳み式ベッドの座面２に於いては、繰り返し使った際、折り
畳み式ベッドに於ける、高さの調節が可能な脚部３と、折り畳み式ベッドに於ける、座面
同士の連結及び、高さの調節を可能にする為に用いる部品４との、接合部が疲弊する事に
依って、折り畳み式ベッドに於ける、高さの調節が可能な脚部３と、折り畳み式ベッドに
於ける、座面同士の連結及び、高さの調節を可能にする為に用いる部品４が破損する場合
が在る。
【００１０】
更に、折り畳み式ベッドの座面２と、折り畳み式ベッドに於ける、座面同士の連結及び
、高さの調節を可能にする為に用いる部品４の接合部に対し、衣服や毛髪が挟まれる結果
、使用者が被害を受ける事が在る。
【００１１】
図３に於いては、オフィスチェアの背凭れに用いる部品５〜到るオフィスチェアの座面
に用いる部品９を下から支える、オフィスチェアに於ける、圧縮ガスを用いる事に依り、
座面を支えつつ、座面の高さを調節する事を可能にした部品１０〜到るオフィスチェアに
於ける、移動を容易にする為に用いる、キャスター状な部品１４の構造上、製造が可能な
オフィスチェアの大きさが制限される為、使用する人に依っては大きさが合わず、使用が
困難な事が在る。
【００１２】
加えて、オフィスチェアの背凭れに用いる部品５〜到るオフィスチェアの座面に用いる
部品９を支えている、オフィスチェアに於ける、圧縮ガスを用いる事に依り、座面を支え
つつ、座面の高さを調節する事を可能にした部品１０と、オフィスチェアに於ける、圧縮
ガスの内圧を調整する為に用いる部品１１、オフィスチェアに於ける、背凭れ及び座面を
支える為に用いる部品１２は、繰り返し使う事で接合部が疲弊する結果、オフィスチェア
に於ける、圧縮ガスを用いる事に依り、座面を支えつつ、座面の高さを調節する事を可能
にした部品１０と、オフィスチェアに於ける、圧縮ガスの内圧を調整する為に用いる部品
１１、オフィスチェアに於ける、背凭れ及び座面を支える為に用いる部品１２が破損する
或いは、変形する為、使用が困難に成る事が在る。
【００１３】
加えて、オフィスチェアの座面に用いる部品９に対し、高さを調節する為の機構で在る
、オフィスチェアに於ける、圧縮ガスを用いる事に依り、座面を支えつつ、座面の高さを
調節する事を可能にした部品１０と、オフィスチェアに於ける、背凭れ及び座面を支える
為に用いる部品１２は、オフィスチェアの座面に用いる部品９に掛かる荷重を受け止める
事に加え、オフィスチェアに於ける、圧縮ガスを用いる事に依り、座面を支えつつ、座面
の高さを調節する事を可能にした部品１０の内部に対し、圧縮されたガスを充填する為、
オフィスチェアの座面に用いる部品９からの荷重と、オフィスチェアに於ける、圧縮ガス
を用いる事に依り、座面を支えつつ、座面の高さを調節する事を可能にした部品１０内部
に生じる圧力に、耐え得るだけの強度が必須な結果、使用が可能な素材が限られる上に、
使用者がオフィスチェアを組み立てる或いは、解体する事が困難で在る。
【発明の開示】
【発明が解決しようとする課題】
【００１４】
本発明は、従来のベッド及び椅子が有していた問題で在る、使用者に依る、ベッド及び
椅子の組み立てと、解体の簡便化に加え、ベッド及び椅子の強度を、向上させる事を図り
つつ、使用する用途に応じて、ベッド及び椅子の拡張性及び安定性を格段に高め、更に、
製造コストを大幅に削減した、ベッド及び椅子の実現を目的とする。
【課題を解決するための手段】
【００１５】
本発明は、上記目的を達成する為、先ず、側板に用いる板状な部品に対し（以下、側板
とする）、向かい合う側板同士を連結しつつ、使用者が上に乗る或いは、荷物等を乗せる
為に用いる部品を（以下、座面とする）、確りと固定し且つ、座面の高さを調節する事を
可能にする為、全ての側板に対し、予め差し込み穴と切り溝を設ける。其の際に留意する
事として、側板の両面に対し、切り溝を設ける事が挙げられる。
【００１６】
次に、予め差し込み穴を設けた、ベッド及び椅子に於ける、底板に用いる板状な部品と
（以下、底板とする）、背板に用いる板状な部品を用意し（以下、背板とする）、其々の
接合部に在る差込穴に対し、棒状な部品を差し込む或いは、螺子状な部品を締め付ける事
に依り、部品同士を連結する。
【００１７】
更に、底板に対し、座面の高さを調節する部品を、設定したい座面の高さ迄連結する。
其の上で、側板に設けた切り溝に対し、中央に螺子切り溝が在るナット状な部品を、切り
溝の両側に嵌め込んだ後、螺子状な部品を、切り溝の両側に在る、ナット状な部品に連結
させる事に依り、部品の仮固定をする。
【００１８】
全ての切り溝に対し、螺子状な部品及び、ナット状な部品を仮固定した上で、底板から
連結された、高さを調節する為の部品に対し、上から嵌め込む事に依り、座面を連結した
上で、座面の側面に対し、先に仮固定した螺子状な部品を締め付けて、側板と座面を連結
する事に依り、本案件のベッド及び椅子を形成する。尚、使用用途に依っては、各用途に
応じた部品（例えば、手摺、寝具、キャスター等）を設置する事に依り、ベッド及び椅子
の使用者が、極めて有用に使う事が出来る。
【００１９】
上述の結果、従来の製品と比較した際、ベッド及び椅子の強度と安定性が格段に高く、
ベッド及び椅子に用いる、部品の形成が容易で且つ、組み立ても容易で在る為、本案件の
使用者が、ベッド及び椅子の部品を用意して、組み立てる際に於ける、使用部品の購入費
用の軽減や、工場で大量に、ベッド及び椅子を生産する際に於ける、製造費用の軽減と、
組み立て作業等に要する時間を、大幅に短縮する事が出来る。
【００２０】
加えて、ベッド及び椅子の底面、側面、背面、連結に用いる部品が、強固に連結されて
いる為、従来の製品と比較して、衝撃や振動に強く、安定性も飛躍的に向上している。
【００２１】
更には、組み立てる際及び、組み立てた後から、ベッド及び椅子の大きさを、変更する
或いは、使用用途に応じた部品を、ベッド及び椅子に設置する事が容易な為、使用目的に
応じ、柔軟に対応する事が出来る。
【図面の簡単な説明】
【００２２】
【図１】提出案件を用いて、椅子を形成した場合に於ける、全体の構造例を示した図面
【図２】従来の構造技術を用いた、高さの調節が可能な、ベッドの構造例を示した図面
【図３】従来の構造技術を用いた、高さの調節が可能な、椅子の構造例を示した図面
【図４】提出案件に於ける、側面に用いる板状な部品の、形状を示した図面
【図５】提出案件に於ける、底面に用いる板状な部品の、形状を示した図面
【図６】提出案件に於ける、側面及び底面に用いる、板状な部品を連結する際に用いる、棒状な部品の形状を示した図面
【図７】提出案件に於ける、側面及び底面に用いる、板状な部品の連結と、底面及び高さの調節に用いる、部品同士を連結する際に用いる、螺子状な部品の形状を示した図面
【図８】提出案件に於ける、側面に用いる板状な部品と、螺子状な部品を、確りと固定する際に用いる、リング状な部品の形状を示した図面
【図９】提出案件に於ける、側面に用いる板状な部品と、座面の高さを調節する為に用いる部品を、其々に連結して固定する、座面の形状を示した図面
【図１０】提出案件に於ける、座面に用いる部品の高さを調節しつつ、座面に用いる部品と、底面に用いる板状な部品を、其々に連結する為に用いる、柱状な部品の形状を示した図面
【図１１】提出案件に於ける、側面に用いる板状な部品、背面に用いる板状な部品、底面に用いる板状な部品、高さを調節する為に用いる柱状な部品を、連結して固定した状態の、上面を示した図面
【図１２】提出案件に於ける、側面に用いる板状な部品、背面に用いる板状な部品、底面に用いる板状な部品、高さを調節する為に用いる柱状な部品を、連結して固定した状態の、断面を示した図面
【図１３】提出案件に於ける、側面に用いる板状な部品、座面に用いる部品、高さを調節する為に用いる柱状な部品を、連結して固定した状態の、断面を示した図面
【図１４】提出案件に於ける、異なるベッド及び椅子を、連結して固定する目的で、側面に用いる板状な部品同士を、ボルト状な部品及び、棒状な部品を用いて、連結して固定した状態を示した図面
【図１５】提出案件に於ける、螺子状な部品及び、ナット状な部品を用いて、側面に用いる板状な部品を、複数連結して固定した状態を示した図面
【図１６】提出案件を用いて、シート及びデスクの高さを、調節する機構を備えつつ、構成部品を追加する事に依る、拡張性、安定性、防音性、保温性に優れた、シートと一体型で在る、デスクの構造を示した図面
【発明を実施するための形態】
【００２３】
以下に於いて、本発明に於ける実施の形態を、基本的な形態を図１、ベッド及び椅子に
用いる各部品を図４〜到る図１０、ベッド及び椅子の組み立て方法を図１１〜到る図１５
、ベッド及び椅子の実施例を、図１６に基づいて説明する。
【００２４】
基本的な構造として、図１の様に、箱形に近いベッド及び椅子と成り、其の上に、使用
者及び、物体を乗せる事が出来る形状と成る。此の箱状に近いベッド及び椅子を、各使用
用途に応じ、ベッド及び椅子の拡張或いは、縮小をさせたり、高さを変更したりする事が
出来る。
【００２５】
以下に於いて、ベッド及び椅子の組み立て方法を説明する。図４及び図５の様に、先ず
、ベッド及び椅子に於ける、側板に用いる部品１５及び、ベッド及び椅子に於ける、底板
に用いる部品１９、ベッド及び椅子に於ける、背板に用いる部品２８の側面に対し、図６
の様な形状の、ベッド及び椅子に於ける、側板に用いる部品、背板に用いる部品、底板に
用いる部品を連結する為に用いる、棒状な部品２０を用いて、其々の部品同士を、確りと
連結する為、ベッド及び椅子に於ける、側板に用いる部品、背板に用いる部品、底板に用
いる部品、底板を補強する為に用いる部品を、連結する為に設けられた、差し込む或いは
、螺子締めをして、固定する為に用いる差込穴１６を設ける。其の際に留意する事として
、其々の部品に対して、ベッド及び椅子に於ける、側板に用いる部品、背板に用いる部品
、底板に用いる部品、底板を補強する為に用いる部品を、連結する為に設けられた、差し
込む或いは、螺子締めをして、固定する為に用いる差込穴１６を設ける際に、ベッド及び
椅子に於ける、側板に用いる部品、背板に用いる部品、底板に用いる部品を連結する為に
用いる、棒状な部品２０の形状に合わせて、ベッド及び椅子に於ける、側板に用いる部品
、背板に用いる部品、底板に用いる部品、底板を補強する為に用いる部品を、連結する為
に設けられた、差し込む或いは、螺子締めをして、固定する為に用いる差込穴１６を形成
する事が挙げられる。
【００２６】
次に、互いに向かい合った、ベッド及び椅子に於ける、側板に用いる部品１５同士を、
ベッド及び椅子の座面に於ける、座面の強度を保たせる為に用いる芯材２４を用いて連結
し、且つ、ベッド及び椅子の座面に於ける、座面の強度を保たせる為に用いる芯材２４の
高さを調節する為、ベッド及び椅子に於ける、側板に用いる部品１５に、ベッド及び椅子
に於ける、側板に用いる部品に対し、ナット状な部品及び、棒螺子状な部品を、連結する
為に設けられた切り溝１７を、予め設ける。其の際に留意する事として、ベッド及び椅子
に於ける、側板に用いる部品１５の側に、ベッド及び椅子に於ける、側板に用いる部品に
対し、ナット状な部品及び、棒螺子状な部品を、連結する為に設けられた切り溝１７を、
予め設ける際に、図７の様な形状の、ベッド及び椅子に於ける、側板に用いる部品、背板
に用いる部品、底板に用いる部品、座面の高さを調節する為に用いる部品を、連結する為
に用いる、棒螺子状な部品２１及び、図８の様な形状の、ベッド及び椅子に於ける、側板
に用いる部品及び、座面の芯材に用いる部品を、棒螺子状な部品で連結する為に用いる、
ナット状な部品２２に併せ、ベッド及び椅子に於ける、側板に用いる部品に対し、ナット
状な部品及び、棒螺子状な部品を、連結する為に設けられた切り溝１７を形成する事と、
ベッド及び椅子に於ける、側板に用いる部品、背板に用いる部品、底板に用いる部品、座
面の高さを調節する為に用いる部品を、連結する為に用いる、棒螺子状な部品２１並びに
、ベッド及び椅子に於ける、側板に用いる部品及び、座面の芯材に用いる部品を、棒螺子
状な部品で連結する為に用いる、ナット状な部品２２を、確実に固定する為、ベッド及び
椅子に於ける、側板に用いる部品１５の両面に対し、ベッド及び椅子に於ける、側板に用
いる部品に対し、ナット状な部品及び、棒螺子状な部品を、連結する為に設けられた切り
溝１７を、予め設ける事が挙げられる。
【００２７】
更に、ベッド及び椅子に於ける、底板に用いる部品１９に対して、図９の様な形状の、
ベッド及び椅子に於ける、座面内部の芯材及び、底板に用いる部品を連結しつつ、座面の
高さを調節する為に用いる、柱状な部品２７を縦に連結する為、ベッド及び椅子の底板に
設けられた、底板に用いる部品及び、座面の高さを調節する為に用いる部品を、連結する
為に用いる差込穴１８を、予め設けて措く。其の際に留意する事として、ベッド及び椅子
に於ける、座面内部の芯材及び、底板に用いる部品を連結しつつ、座面の高さを調節する
為に用いる、柱状な部品２７の高さを、調節する事を容易にし、且つ、安定性を高める為
、ベッド及び椅子の底板に設けられた、底板に用いる部品及び、座面の高さを調節する為
に用いる部品を、連結する為に用いる差込穴１８と、ベッド及び椅子に於ける、底板に用
いる部品１９の高さは、出来る限りベッド及び椅子に於ける、座面内部の芯材及び、底板
に用いる部品を連結しつつ、座面の高さを調節する為に用いる、柱状な部品２７に併せる
事、ベッド及び椅子の底板に設けられた、底板に用いる部品及び、座面の高さを調節する
為に用いる部品を、連結する為に用いる差込穴１８の形は、ベッド及び椅子に於ける、座
面内部の芯材及び、底板に用いる部品を連結しつつ、座面の高さを調節する為に用いる、
柱状な部品２７に併せる事が挙げられる。
【００２８】
次に、使用するベッド及び椅子の大きさに応じて、ベッド及び椅子に於ける、側板に用
いる部品、背板に用いる部品、底板に用いる部品を連結する為に用いる、棒状な部品２０
を使い、ベッド及び椅子に於ける、底板に用いる部品１９同士を連結する。其の際に留意
する事として、ベッド及び椅子に於ける、底板に用いる部品１９同士を連結する際、先ず
、一列に連結させた、ベッド及び椅子に於ける、底板に用いる部品１９を用意し、更に、
連結をした別の方向から、ベッド及び椅子に於ける、底板に用いる部品１９同士を、連結
させる事に依り、使用用途に応じた大きさにする事と、ベッド及び椅子に於ける、底板に
用いる部品１９の接合部に対し、隙間が出来無い事が挙げられる。
【００２９】
ベッド及び椅子に於ける、底板に用いる部品１９同士を、確実に連結したら、図１１の
様にして、ベッド及び椅子に於ける、底板に用いる部品１９同士の、組み合わせに対して
、ベッド及び椅子に於ける、側板に用いる部品、背板に用いる部品、底板に用いる部品を
連結する為に用いる、棒状な部品２０及び、ベッド及び椅子に於ける、側板に用いる部品
、背板に用いる部品、底板に用いる部品、座面の高さを調節する為に用いる部品を、連結
する為に用いる、棒螺子状な部品２１を用いて、ベッド及び椅子に於ける、底板に用いる
部品１９を囲う様にして、ベッド及び椅子に於ける、側板に用いる部品１５及び、ベッド
及び椅子に於ける、背板に用いる部品２８を、確実に組み合わせる事が挙げられる。其の
際に留意する事として、其々の接合部に隙間が出来無い事と、ベッド及び椅子に於ける、
側板に用いる部品、背板に用いる部品、底板に用いる部品、座面の高さを調節する為に用
いる部品を、連結する為に用いる、棒螺子状な部品２１を、螺子締めで連結させる際に、
ベッド及び椅子に於ける、側板に用いる部品１５と、ベッド及び椅子に於ける、背板に用
いる部品２８の、各連結箇所から、ベッド及び椅子に於ける、側板に用いる部品、背板に
用いる部品、底板に用いる部品、座面の高さを調節する為に用いる部品を、連結する為に
用いる、棒螺子状な部品２１の、先端が食み出さ無い事が挙げられる。
【００３０】
ベッド及び椅子に於ける、側板に用いる部品１５と、ベッド及び椅子に於ける、底板に
用いる部品１９、ベッド及び椅子に於ける、背板に用いる部品２８を、全て連結したら、
ベッド及び椅子の底板に設けられた、底板に用いる部品及び、座面の高さを調節する為に
用いる部品を、連結する為に用いる差込穴１８に対して、ベッド及び椅子に於ける、座面
内部の芯材及び、底板に用いる部品を連結しつつ、座面の高さを調節する為に用いる、柱
状な部品２７を、差し込む事で連結する。其の際に留意する事として、ベッド及び椅子に
於ける、底板に用いる部品１９に差し込まれた、ベッド及び椅子に於ける、座面内部の芯
材及び、底板に用いる部品を連結しつつ、座面の高さを調節する為に用いる、柱状な部品
２７の下側の部分が、ベッド及び椅子に於ける、底板に用いる部品１９の底面から、食み
出さ無い様に差し込む事が挙げられる。
【００３１】
ベッド及び椅子に於ける、底板に用いる部品１９に対し、ベッド及び椅子に於ける、座
面内部の芯材及び、底板に用いる部品を連結しつつ、座面の高さを調節する為に用いる、
柱状な部品２７を差し込んだら、部品が安定した状態で、ベッド及び椅子の座面に於ける
、座面の強度を保たせる為に用いる芯材２４を固定し且つ、用途に応じた高さに併せる為
、図１２の様に、ベッド及び椅子に於ける、底板に用いる部品１９と、ベッド及び椅子に
於ける、座面内部の芯材及び、底板に用いる部品を連結しつつ、座面の高さを調節する為
に用いる、柱状な部品２７の、下側の部分に対し、予めベッド及び椅子に於ける、側板に
用いる部品、背板に用いる部品、底板に用いる部品、底板を補強する為に用いる部品を、
連結する為に設けられた、差し込む或いは、螺子締めをして、固定する為に用いる差込穴
１６を設けた、ベッド及び椅子に於ける、底板に用いる部品を補強する為に用いる、板状
な部品２９を設置したら、ベッド及び椅子に於ける、側板に用いる部品、背板に用いる部
品、底板に用いる部品、座面の高さを調節する為に用いる部品を、連結する為に用いる、
棒螺子状な部品２１を用いて、ベッド及び椅子に於ける、底板に用いる部品１９並びに、
ベッド及び椅子に於ける、座面内部の芯材及び、底板に用いる部品を連結しつつ、座面の
高さを調節する為に用いる、柱状な部品２７の、下側の部分を、ベッド及び椅子に於ける
、底板に用いる部品を補強する為に用いる、板状な部品２９に連結して、ベッド及び椅子
の座面に於ける、座面の強度を保たせる為に用いる芯材２４を、ベッド及び椅子に於ける
、側板に用いる部品１５に、連結をする高さ迄、ベッド及び椅子に於ける、座面内部の芯
材及び、底板に用いる部品を連結しつつ、座面の高さを調節する為に用いる、柱状な部品
２７同士を、差し込む或いは螺子締めで以て、複数個を連結する。其の際に留意する事と
して、ベッド及び椅子に於ける、座面内部の芯材及び、底板に用いる部品を連結しつつ、
座面の高さを調節する為に用いる、柱状な部品２７同士を連結する際、ベッド及び椅子に
於ける、座面内部の芯材及び、底板に用いる部品を連結しつつ、座面の高さを調節する為
に用いる、柱状な部品２７の接合部に対し、隙間が出来無い様にする事が挙げられる。
【００３２】
ベッド及び椅子に於ける、座面内部の芯材及び、底板に用いる部品を連結しつつ、座面
の高さを調節する為に用いる、柱状な部品２７を、全て確実に連結させたら、ベッド及び
椅子に於ける、側板に用いる部品に対し、ナット状な部品及び、棒螺子状な部品を、連結
する為に設けられた切り溝１７の両面に対して、其々の、ベッド及び椅子に於ける、側板
に用いる部品及び、座面の芯材に用いる部品を、棒螺子状な部品で連結する為に用いる、
ナット状な部品２２を嵌め込む或いは、螺子締めで連結をして、ベッド及び椅子に於ける
、側板に用いる部品、背板に用いる部品、底板に用いる部品、座面の高さを調節する為に
用いる部品を、連結する為に用いる、棒螺子状な部品２１を使う事で、二つのベッド及び
椅子に於ける、側板に用いる部品及び、座面の芯材に用いる部品を、棒螺子状な部品で連
結する為に用いる、ナット状な部品２２同士を、螺子締めを用いて仮組をする。其の際に
留意する事として、ベッド及び椅子に於ける、側板に用いる部品、背板に用いる部品、底
板に用いる部品、座面の高さを調節する為に用いる部品を、連結する為に用いる、棒螺子
状な部品２１に設けられている、螺子締めの溝を、削ら無い事が挙げられる。
【００３３】
全てのベッド及び椅子に於ける、側板に用いる部品及び、座面の芯材に用いる部品を、
棒螺子状な部品で連結する為に用いる、ナット状な部品２２を仮組した上で、予めベッド
及び椅子の座面に於ける、座面の強度を保たせる為に用いる芯材２４に設けられている、
ベッド及び椅子の座面に於ける、座面内部に用いる芯材及び、座面の高さを調節する為に
用いる部品を、連結する為に設ける差込穴２６に対して、ベッド及び椅子に於ける、座面
内部の芯材及び、底板に用いる部品を連結しつつ、座面の高さを調節する為に用いる、柱
状な部品２７の突起部を、差し込む事に依って連結をさせる。其の際に留意する事として
、ベッド及び椅子の座面に於ける、座面内部に用いる芯材及び、座面の高さを調節する為
に用いる部品を、連結する為に設ける差込穴２６と、ベッド及び椅子に於ける、座面内部
の芯材及び、底板に用いる部品を連結しつつ、座面の高さを調節する為に用いる、柱状な
部品２７の接合部は荷重が掛かる為、重量が在る物を載せる用途に使う場合には、ベッド
及び椅子の座面に於ける、座面内部に用いる芯材及び、座面の高さを調節する為に用いる
部品を、連結する為に設ける差込穴２６並びに、ベッド及び椅子に於ける、座面内部の芯
材及び、底板に用いる部品を連結しつつ、座面の高さを調節する為に用いる、柱状な部品
２７の接合部に対し、可塑性が在る樹脂素材（例えば、接着剤やパテ等）を充填した上で
、連結する事が挙げられる。
【００３４】
全てのベッド及び椅子の座面に於ける、座面の強度を保たせる為に用いる芯材２４を、
ベッド及び椅子に於ける、座面内部の芯材及び、底板に用いる部品を連結しつつ、座面の
高さを調節する為に用いる、柱状な部品２７に連結したら、図１３の様に、仮組をした、
ベッド及び椅子に於ける、側板に用いる部品、背板に用いる部品、底板に用いる部品、座
面の高さを調節する為に用いる部品を、連結する為に用いる、棒螺子状な部品２１並びに
、ベッド及び椅子に於ける、側板に用いる部品及び、座面の芯材に用いる部品を、棒螺子
状な部品で連結する為に用いる、複数のナット状な部品２２同士を、ベッド及び椅子の座
面に於ける、座面の強度を保たせる為に用いる芯材２４に合わせて、ベッド及び椅子の座
面に於ける、座面の強度を保たせる為に用いる芯材２４に対し、ベッド及び椅子に於ける
、側板に用いる部品、背板に用いる部品、底板に用いる部品、座面の高さを調節する為に
用いる部品を、連結する為に用いる、棒螺子状な部品２１を、螺子締めして固定する事で
、ベッド及び椅子に於ける、側板に用いる部品１５に、ベッド及び椅子に於ける、側板に
用いる部品、背板に用いる部品、底板に用いる部品、座面の高さを調節する為に用いる部
品を、連結する為に用いる、棒螺子状な部品２１並びに、ベッド及び椅子に於ける、側板
に用いる部品及び、座面の芯材に用いる部品を、棒螺子状な部品で連結する為に用いる、
ナット状な部品２２、ベッド及び椅子の座面に於ける、座面の強度を保たせる為に用いる
芯材２４を連結する。其の際に留意する事として、此れ等の連結箇所は、荷重が掛かる為
、重量が在る物を載せる場合は、ベッド及び椅子に於ける、側板に用いる部品、背板に用
いる部品、底板に用いる部品、座面の高さを調節する為に用いる部品を、連結する為に用
いる、棒螺子状な部品２１並びに、ベッド及び椅子の座面に於ける、座面内部の芯材及び
、側板に用いる部品を、リング状な部品及び、棒螺子状な部品を用いて、連結する為に設
ける螺子穴２５の接合部に対し、樹脂素材（例えば、接着剤やパテ等）を充填した上で、
確実に、接合する箇所を連結する事、ベッド及び椅子に於ける、側板に用いる部品、背板
に用いる部品、底板に用いる部品、座面の高さを調節する為に用いる部品を、連結する為
に用いる、棒螺子状な部品２１が、ベッド及び椅子に於ける、側板に用いる部品１５から
、食み出さ無い事が挙げられる。
【００３５】
全ての部品を連結したら、使用用途に応じて、補助部品（例えば、キャスター、手摺、
マット等）を設置する事で、ベッド及び椅子の完成と成る。
【００３６】
補足事項として、完成後に形状を変更する場合、先ず、ベッド及び椅子に於ける、側板
に用いる部品１５に連結された、ベッド及び椅子に於ける、側板に用いる部品、背板に用
いる部品、底板に用いる部品、座面の高さを調節する為に用いる部品を、連結する為に用
いる、棒螺子状な部品２１の、螺子締めを緩めて全て外す事で、ベッド及び椅子に於ける
、側板に用いる部品１５と、ベッド及び椅子の座面に於ける、座面の強度を保たせる為に
用いる芯材２４の連結を外したら、ベッド及び椅子に於ける、側板に用いる部品、背板に
用いる部品、底板に用いる部品を連結する為に用いる、棒状な部品２０を抜く事に依り、
ベッド及び椅子に於ける、背板に用いる部品２８から、ベッド及び椅子に於ける、側板に
用いる部品１５を外した上で、ベッド及び椅子の座面に於ける、座面の強度を保たせる為
に用いる芯材２４に対し、ベッド及び椅子に於ける、座面内部の芯材及び、底板に用いる
部品を連結しつつ、座面の高さを調節する為に用いる、柱状な部品２７の接合部で在る、
ベッド及び椅子の座面に於ける、座面内部に用いる芯材及び、座面の高さを調節する為に
用いる部品を、連結する為に設ける差込穴２６に連結された、ベッド及び椅子に於ける、
座面内部の芯材及び、底板に用いる部品を連結しつつ、座面の高さを調節する為に用いる
、柱状な部品２７を抜く事で、ベッド及び椅子の座面に於ける、座面の強度を保たせる為
に用いる芯材２４を外す。
【００３７】
次に、ベッド及び椅子に於ける、底板に用いる部品を補強する為に用いる、板状な部品
２９から、複数個連結された状態の、ベッド及び椅子に於ける、座面内部の芯材及び、底
板に用いる部品を連結しつつ、座面の高さを調節する為に用いる、柱状な部品２７から、
ベッド及び椅子に於ける、側板に用いる部品、背板に用いる部品、底板に用いる部品、座
面の高さを調節する為に用いる部品を、連結する為に用いる、棒螺子状な部品２１の螺子
締めを外したら、ベッド及び椅子に於ける、底板に用いる部品１９から、ベッド及び椅子
に於ける、座面内部の芯材及び、底板に用いる部品を連結しつつ、座面の高さを調節する
為に用いる、柱状な部品２７を引き抜き、新たに追加する、ベッド及び椅子に於ける、側
板に用いる部品１５、ベッド及び椅子に於ける、底板に用いる部品１９〜到るベッド及び
椅子に於ける、側板に用いる部品及び、座面の芯材に用いる部品を、棒螺子状な部品で連
結する為に用いる、ナット状な部品２２、ベッド及び椅子の座面に於ける、座面の強度を
保たせる為に用いる芯材２４、更に、ベッド及び椅子に於ける、座面内部の芯材及び、底
板に用いる部品を連結しつつ、座面の高さを調節する為に用いる、柱状な部品２７〜到る
ベッド及び椅子に於ける、底板に用いる部品を補強する為に用いる、板状な部品２９を、
必要に応じて、外した箇所に対し、前述した様に、継ぎ足して組み直す事に依り、強度と
安定性を維持しつつ、形状を変更する事が出来る。
【００３８】
次に、異なるベッド及び椅子同士の連結方法を、図１４及び図１５で説明する。
【００３９】
異なるベッド及び椅子同士の連結方法として、図１４の様に、ベッド及び椅子に於ける
、側板に用いる部品、背板に用いる部品、底板に用いる部品、座面の高さを調節する為に
用いる部品を、連結する為に用いる、棒螺子状な部品２１、ベッド及び椅子に於ける、側
板に用いる部品及び、座面の芯材に用いる部品を、棒螺子状な部品で連結する為に用いる
、ナット状な部品２２が連結されている、複数個在るベッド及び椅子に於ける、側板に用
いる部品１５に対して、ベッド及び椅子に於ける、側板に用いる部品、背板に用いる部品
、底板に用いる部品を連結する為に用いる、棒状な部品２０並びに、複数の異なるベッド
及び椅子同士の連結に於ける、其々の側板に用いる部品を、棒状な部品、螺子状な部品、
ナット状な部品を用いて、其々を連結する為に用いる部品３０を使う事で連結する方法と
、図１５の様に、ベッド及び椅子に於ける、側板に用いる部品、背板に用いる部品、底板
に用いる部品、座面の高さを調節する為に用いる部品を、連結する為に用いる、棒螺子状
な部品２１、ベッド及び椅子に於ける、側板に用いる部品及び、座面の芯材に用いる部品
を、棒螺子状な部品で連結する為に用いる、ナット状な部品２２が、複数個連結をされた
状態の、ベッド及び椅子に於ける、側板に用いる部品１５を、重ねて連結する事で、連結
する方法が在る。
【００４０】
ベッド及び椅子に於ける、側板に用いる部品、背板に用いる部品、底板に用いる部品を
連結する為に用いる、棒状な部品２０に対して、複数の異なるベッド及び椅子同士の連結
に於ける、其々の側板に用いる部品を、棒状な部品、螺子状な部品、ナット状な部品を用
いて、其々を連結する為に用いる部品３０を使って、複数の異なるベッド及び椅子同士を
連結する場合は、最初に、複数の異なるベッド及び椅子同士の連結に於ける、其々の側板
に用いる部品を、棒状な部品、螺子状な部品、ナット状な部品を用いて、其々を連結する
為に用いる部品３０に、ベッド及び椅子に於ける、側板に用いる部品、背板に用いる部品
、底板に用いる部品を連結する為に用いる、棒状な部品２０を、確実に差し込む事に依り
、複数の異なるベッド及び椅子同士の連結に於ける、其々の側板に用いる部品を、棒状な
部品、螺子状な部品、ナット状な部品を用いて、其々を連結する為に用いる部品３０同士
を連結した上で、連結をされた、複数の異なるベッド及び椅子同士の連結に於ける、其々
の側板に用いる部品を、棒状な部品、螺子状な部品、ナット状な部品を用いて、其々を連
結する為に用いる部品３０同士を、両側から挟み込む様にして、ベッド及び椅子に於ける
、側板に用いる部品、背板に用いる部品、底板に用いる部品、座面の高さを調節する為に
用いる部品を、連結する為に用いる、棒螺子状な部品２１及び、ベッド及び椅子に於ける
、側板に用いる部品及び、座面の芯材に用いる部品を、棒螺子状な部品で連結する為に用
いる、ナット状な部品２２を用いて、複数の異なるベッド及び椅子に、其々が構成された
、ベッド及び椅子に於ける、側板に用いる部品１５同士を、連結する事が出来る。
【００４１】
ベッド及び椅子に於ける、側板に用いる部品１５に対して、ベッド及び椅子に於ける、
側板に用いる部品、背板に用いる部品、底板に用いる部品、座面の高さを調節する為に用
いる部品を、連結する為に用いる、棒螺子状な部品２１と、ベッド及び椅子に於ける、側
板に用いる部品及び、座面の芯材に用いる部品を、棒螺子状な部品で連結する為に用いる
、ナット状な部品２２を、複数個用いて連結する場合、螺子締めで連結する為に、中心に
位置する、ベッド及び椅子に於ける、側板に用いる部品１５から、順番に重ねて連結する
事に依り、其々に於いて、同様な部品を用いつつ、異なる複数のベッド及び椅子を、強固
に連結する事が出来る。
【００４２】
其々の方法に於いて留意する事としては、ベッド及び椅子に於ける、側板に用いる部品
、背板に用いる部品、底板に用いる部品、座面の高さを調節する為に用いる部品を、連結
する為に用いる、棒螺子状な部品２１及び、ベッド及び椅子に於ける、側板に用いる部品
と、座面の芯材に用いる部品を、棒螺子状な部品で連結する為に用いる、ナット状な部品
２２を、ベッド及び椅子に於ける、側板に用いる部品１５に対し、確実に固定する事と、
ベッド及び椅子に於ける、側板に用いる部品１５の接面に、隙間が無い事が挙げられる。
【００４３】
更に、其れ等の部品に対して、一定の強度が求められる場合、ベッド及び椅子に於ける
、側板に用いる部品に対し、ナット状な部品及び、棒螺子状な部品を、連結する為に設け
られた切り溝１７に対して、ベッド及び椅子に於ける、側板に用いる部品に対し、ナット
状な部品及び、棒螺子状な部品を、連結する為に設けられた切り溝１７の形状に併せた、
防護に用いる為の、補助部品（例えば、防護カバー等）を用いる事で、ベッド及び椅子に
於ける、側板に用いる部品に対し、ナット状な部品及び、棒螺子状な部品を、連結する為
に設けられた切り溝１７を塞ぐ或いは、シリコン樹脂やセメント等を始めとする、可塑性
が在り、且つ、剥離が容易な充填素材を、ベッド及び椅子に於ける、側板に用いる部品に
対し、ナット状な部品及び、棒螺子状な部品を、連結する為に設けられた切り溝１７に、
斑無く充填する事に依り、ベッド及び椅子に於ける、側板に用いる部品１５を、保護する
事が挙げられる。
【実施例】
【００４４】
以下に於いて、本発明に於ける実施例を、図１６で説明する。
【００４５】
図１６に於いては、椅子の座面とする、シートに連結されている、デスク及びラックと
した椅子の構成を、ベッド及び椅子の実施例に於ける、シート及びデスクの天板に用いる
部品３１〜到る、ベッド及び椅子の実施例に於ける、シートとデスクの底板に用いる部品
及び、シートとデスクを連結しつつ、高さを調節する為に用いる部品４０で構成している
。従来の工法で形成した場合、シートとは別に、デスク或いはラックを形成して、其々を
配置して用いる或いは、専用の部品を形成した上で、其々が連結された製品を用いる事に
依り、使用目的を達成している。
【００４６】
然し、本案件の図例に於いては、ベッド及び椅子の実施例に於ける、シート及びデスク
の背板に用いる部品３４と、ベッド及び椅子の実施例に於ける、シート及びデスクの側板
に用いる部品３５に連結する様に、大きさを併せた、ベッド及び椅子の実施例に於ける、
シート及びデスクの天板に用いる部品３１を用いて、シートの天井及び、デスクの天板を
形成し、ベッド及び椅子の実施例に於ける、シート及びデスクの背板に用いる部品３４と
、ベッド及び椅子の実施例に於ける、シート及びデスクの側板に用いる部品３５の内縁に
大きさを併せた、ベッド及び椅子の実施例に於ける、シート及びデスクに用いる部品３２
を用いて、シート面及び、デスク面を形成している。
【００４７】
更に、ベッド及び椅子の実施例に於ける、シート及びデスクに用いる部品３２の下側に
対し、ベッド及び椅子の実施例に於ける、デスクを支えつつ、高さを調節する為に用いる
部品３３並びに、ベッド及び椅子の実施例に於ける、シートとデスクの底板に用いる部品
及び、シートとデスクを連結しつつ、高さを調節する為に用いる部品４０を、複数個連結
する事に依り、ベッド及び椅子の実施例に於ける、シート及びデスクに用いる部品３２に
対して、ベッド及び椅子の実施例に於ける、シート及びデスクの底板に用いる部品３７と
、ベッド及び椅子の実施例に於ける、シート及びデスクの底板に用いる部品を、補強する
為に用いる部品３８を、強固に連結する事で、ベッド及び椅子の実施例に於ける、シート
及びデスクに用いる部品３２を、部品の下側から支えつつ、高さを調節している。
【００４８】
加えて、椅子の座面とする、シートの実施例に於ける、背板、側板、底板、天板を連結
する為に用いる部品３６で連結をされた、ベッド及び椅子の実施例に於ける、シート及び
デスクの背板に用いる部品３４と、ベッド及び椅子の実施例に於ける、シート及びデスク
の背板に用いる部品３５を使って、ベッド及び椅子の実施例に於ける、シート及びデスク
に用いる部品３２、ベッド及び椅子の実施例に於ける、シート及びデスクの底板に用いる
部品３７、ベッド及び椅子の実施例に於ける、シート及びデスクの底板に用いる部品を、
補強する為に用いる部品３８を囲う様に組み立て、其の上から、ベッド及び椅子の実施例
に於ける、背板、側板、底板、天板を連結する為に用いる部品３６を使って、ベッド及び
椅子の実施例に於ける、シート及びデスクの天板に用いる部品３１を連結する事に依り、
ベッド及び椅子の実施例に於ける、椅子の座面とする、シートの安定性並びに、遮光性を
高める事を可能にしている。
【００４９】
そして、ベッド及び椅子の実施例に於ける、シート及びデスクの天板に用いる部品３１
の下側に対し、照明器具を設置する事で、少ない電力でも、椅子の座面とする、シートの
内部を、明るく照らせる効果を得られる。又、ベッド及び椅子の実施例に於ける、シート
及びデスクの天板に用いる部品３１及び、ベッド及び椅子の実施例に於ける、シート及び
デスクに用いる部品３２の、下側或いは、ベッド及び椅子の実施例に於ける、シート及び
デスクの背板に用いる部品３４と、ベッド及び椅子の実施例に於ける、シート及びデスク
の背板に用いる部品３５の内側に対し、音響装置を設置する事に依り、音響効果を高める
効果を得られる。
【００５０】
最後に、ベッド及び椅子の実施例に於ける、シート及びデスクの背板に用いる部品３４
と、ベッド及び椅子の実施例に於ける、シート及びデスクの背板に用いる部品３５の内側
に対して、シートベルトを設置する事に依り、災害時及び、事故発生時に於いて、極めて
安全性能が高い、シート並びにデスクを構築する事が出来る。又、ベッド及び椅子の実施
例に於ける、シート及びデスクの底板に用いる部品を、補強する為に用いる部品３８の、
下部に対し、キャスターを付ける事に依り、椅子の座面とする、シート全体の移動も容易
に成る。
【産業上の利用可能性】
【００５１】
本発明に於ける、産業上の利用用途に関し、一般的な用途に於いては、屋内外に用いる
事が出来る、椅子、ベッド、テーブル、ラックが挙げられる。
【符号の説明】
【００５２】
１      本案件に於ける、ベッド及び椅子の完成例
２      折り畳み式ベッドの座面
３      折り畳み式ベッドに於ける、高さの調節が可能な脚部
４      折り畳み式ベッドに於ける、座面同士の連結及び、高さの調節を可能にする為
に用いる部品
５      オフィスチェアの背凭れに用いる部品
６      オフィスチェアの背凭れを支える為に用いる部品
７      オフィスチェアに於ける、背凭れを支える為に用いる部品及び、座面を支える
為に用いる部品を、互いに連結する為に用いる部品
８      オフィスチェアの座面を支える為に用いる部品
９      オフィスチェアの座面に用いる部品
１０    オフィスチェアに於ける、圧縮ガスを用いる事に依り、座面を支えつつ、座面
の高さを調節する事を可能にした部品
１１    オフィスチェアに於ける、圧縮ガスの内圧を調整する為に用いる部品
１２    オフィスチェアに於ける、背凭れ及び座面を支える為に用いる部品
１３    オフィスチェアの脚に用いる部品
１４    オフィスチェアに於ける、移動を容易にする為に用いる、キャスター状な部品
１５    ベッド及び椅子に於ける、側板に用いる部品
１６    ベッド及び椅子に於ける、側板に用いる部品、背板に用いる部品、底板に用い
る部品、底板を補強する為に用いる部品を、連結する為に設けられた、差し込む或いは、
螺子締めをして、固定する為に用いる差込穴
１７    ベッド及び椅子に於ける、側板に用いる部品に対し、ナット状な部品及び、棒
螺子状な部品を、連結する為に設けられた切り溝
１８    ベッド及び椅子の底板に設けられた、底板に用いる部品及び、座面の高さを調
節する為に用いる部品を、連結する為に用いる差込穴
１９    ベッド及び椅子に於ける、底板に用いる部品
２０    ベッド及び椅子に於ける、側板に用いる部品、背板に用いる部品、底板に用い
る部品を連結する為に用いる、棒状な部品
２１    ベッド及び椅子に於ける、側板に用いる部品、背板に用いる部品、底板に用い
る部品、座面の高さを調節する為に用いる部品を、連結する為に用いる、棒螺子状な部品
２２    ベッド及び椅子に於ける、側板に用いる部品及び、座面の芯材に用いる部品を
、棒螺子状な部品で連結する為に用いる、ナット状な部品
２３    ベッド及び椅子の座面に於ける、クッション及び防護カバー
２４    ベッド及び椅子の座面に於ける、座面の強度を保たせる為に用いる芯材
２５    ベッド及び椅子の座面に於ける、座面内部の芯材及び、側板に用いる部品を、
リング状な部品及び、棒螺子状な部品を用いて、連結する為に設ける螺子穴
２６    ベッド及び椅子の座面に於ける、座面内部に用いる芯材及び、座面の高さを調
節する為に用いる部品を、連結する為に設ける差込穴
２７    ベッド及び椅子に於ける、座面内部の芯材及び、底板に用いる部品を連結しつ
つ、座面の高さを調節する為に用いる、柱状な部品
２８    ベッド及び椅子に於ける、背板に用いる部品
２９    ベッド及び椅子に於ける、底板に用いる部品を補強する為に用いる、板状な部
品
３０    複数の異なるベッド及び椅子同士の連結に於ける、其々の側板に用いる部品を
、棒状な部品、螺子状な部品、ナット状な部品を用いて、其々を連結する為に用いる部品
３１    ベッド及び椅子の実施例に於ける、シート及びデスクの天板に用いる部品
３２    ベッド及び椅子の実施例に於ける、シート及びデスクに用いる部品
３３    ベッド及び椅子の実施例に於ける、デスクを支えつつ、高さを調節する為に用
いる部品
３４    ベッド及び椅子の実施例に於ける、シート及びデスクの背板に用いる部品
３５    ベッド及び椅子の実施例に於ける、シート及びデスクの側板に用いる部品
３６    ベッド及び椅子の実施例に於ける、背板、側板、底板、天板を連結する為に用
いる部品
３７    ベッド及び椅子の実施例に於ける、シート及びデスクの底板に用いる部品
３８    ベッド及び椅子の実施例に於ける、シート及びデスクの底板に用いる部品を、
補強する為に用いる部品
３９    ベッド及び椅子の実施例に於ける、シートとデスクの側板に用いる部品及び、
シートとデスクの底板に用いる部品を、連結する為に用いる部品
４０    ベッド及び椅子の実施例に於ける、シートとデスクの底板に用いる部品及び、
シートとデスクを連結しつつ、高さを調節する為に用いる部品
【手続補正３】
【補正対象書類名】特許請求の範囲
【補正対象項目名】全文
【補正方法】変更
【補正の内容】
【特許請求の範囲】
【請求項１】
寝具のベッド（ベビーベッド・シングルベッド・二段ベッド・介護用ベッド）や、椅子
（オフィスチェア・チャイルドチェア・公共施設等のベンチ・娯楽施設等の遊具に用いる
シート・椅子学習机の椅子）を構築する際に於いて、使用用途毎に発生する、荷重・衝撃
・振動等に、耐えられる素材で形成された部品を用いて、後述する、組み立て方法で組み
立てる事に依り、設置・解体・再構築が容易な上、荷重や衝撃に強い、ベッド及び椅子の
製造方法を目的とする。
尚、ベッド及び椅子に用いる素材と、ベッド及び椅子の組み立てに於ける手順に関して
は、下記の通りとする。
使用する素材
木材・樹脂素材・金属素材
ベッド及び椅子の組み立て手順
１．側板に用いる板状な部品１５に対して、側板に用いる板状な部品１５同士を、連結
する為に用いる、棒螺子状な部品２１と、ナット状な部品２２を固定する為、予め切り溝
１７を設ける。
２．側板に用いる板状な部品１５に対し、側板に用いる板状な部品１５と同様な、素材
を用いて形成した、底板に用いる板状な部品１９及び、背板に用いる板状な部品２８を、
棒螺子状な部品２１と同様な素材で形成した、棒状な部品２０及び、棒螺子状な部品２１
を用いて連結する為、側板に用いる板状な部品１５、底板に用いる板状な部品１９、背板
に用いる板状な部品２８に対し、差込穴１６を予め設ける。
３．差込穴１６を、必要な数だけ設けたら、側板に用いる板状な部品１５に対し、背板
に用いる板状な部品２８を、棒状な部品２０を用いて連結する。
４．底板に用いる板状な部品１９に対し、棒状な部品２０と、同様な素材で形成した、
柱状な部品２７を連結する為に、底板に用いる板状な部品１９に、差込穴１８を設ける。
５．底板に用いる板状な部品１９に対し、必要数の差込穴１８を設けたら、座面と成る
部品の芯材２４に対し、棒螺子状な部品２１を、連結する為に用いる螺子穴２５と、柱状
な部品２７を、連結する為に用いる差込穴２６を、予め設ける。
６．底板に用いる板状な部品１９に対し、補強の為に用いる板状な部品２９を、棒螺子
状な部品２１を用いて連結する為に、底板に用いる板状な部品１９の底面に対し、差込穴
１６を設ける。同様に、補強の為に用いる板状な部品２９に対し、差込穴１６を設ける。
７．底板に用いる板状な部品１９同士を、棒状な部品２０を用いて、使用用途に応じた
大きさに連結したら、底板に用いる板状な部品１９に設けた、差込穴１８に対し、柱状な
部品２７を差し込んで連結する。
８．底板に用いる板状な部品１９に対し、柱状な部品２７を、必要数差し込んで連結を
したら、底板に用いる板状な部品１９及び、柱状な部品２７に対し、棒螺子状な部品２１
を用いて、補強の為に用いる板状な部品２９を、螺子締めで連結する。
９．側板に用いる板状な部品１５と、背板に用いる板状な部品２８を、棒螺子状な部品
２１を用いて、底板に用いる板状な部品１９と、螺子締めで連結する。
１０．底板に用いる板状な部品１９に差し込んだ、柱状な部品２７を複数個連結して、
座面と成る部品の芯材２４を、固定したい高さ迄連結する。
１１．側板に用いる板状な部品１５に設けた、切り溝１７の両側にナット状な部品２２
を、嵌め込む或いは、螺子締めをして仮固定をした上で、棒螺子状な部品２１を、切り溝
１７の両側に仮固定した、ナット状な部品２２に連結させる。
１２．棒螺子状な部品２１及び、ナット状な部品２２を、切り溝１７に必要数の仮固定
を施したら、底板に用いる板状な部品１９から、複数個連結されている柱状な部品２７の
上端を、座面と成る部品の芯材２４に設けられた、差込穴２６に差し込んで連結する。
１３．座面と成る部品の芯材２４に対し、柱状な部品２７に連結したら、切り溝１７に
仮固定で連結された、棒螺子状な部品２１とナット状な部品２２を、予め２４に設けた、
連結する為の螺子穴２５に対し、螺子締めで連結する事に依って、ベッド及び椅子を形成
する。
【手続補正４】
【補正対象書類名】図面
【補正対象項目名】全図
【補正方法】変更
【補正の内容】
【図１】
2017082946.tif 000021
【図２】
2017082946.tif 000022
【図３】
2017082946.tif 000023
【図４】
2017082946.tif 000024
【図５】
2017082946.tif 000025
【図６】
2017082946.tif 000026
【図７】
2017082946.tif 000027
【図８】
2017082946.tif 000028
【図９】
2017082946.tif 000029
【図１０】
2017082946.tif 000030
【図１１】
2017082946.tif 000031
【図１２】
2017082946.tif 000032
【図１３】
2017082946.tif 000033
【図１４】
2017082946.tif 000034
【図１５】
2017082946.tif 000035
【図１６】
2017082946.tif 000036
【手続補正書】
【提出日】平成29年2月15日(2017.2.15)
【手続補正１】
【補正対象書類名】明細書
【補正対象項目名】全文
【補正方法】変更
【補正の内容】
【発明の詳細な説明】
【技術分野】
【０００１】
本発明は、寝具のベッド（例えば、ベビーベッド・シングルベッド・二段ベッド・介護
用ベッド）や椅子（例えば、オフィスチェア・チャイルドチェア・公共施設等のベンチ・
娯楽施設等の遊具に用いるシート・椅子学習机の椅子）或いは大型建造物（例えば、軽量
鉄骨住宅・重量鉄骨住宅・仮設住居・高層ビル・仮設ライブステージ・堤防）の構造体に
於いて、使用用途毎に発生する、荷重・衝撃・振動等に、耐えられる素材で形成された、
構造体を構成する為の各部品を用いて、後述する、組み立て方法で組み立てる事に依り、
各個人の体型、使用する用途、屋内外の広さ等に拘わらず、構造体の設置、解体、再構築
が容易な上、荷重や衝撃に強い、構造体の製造方法を目的とする。
【背景技術】
【０００２】
従来に於ける、構造体の設置手段として、設置をする場所に対し、予め構造体の形状を
象られた状態或いは、既に組み立てられた状態で、設置をする構造体が在る。
【０００３】
或いは、予め形成された構造体の部品を、設置をする場所に搬入し、其処で組み立てて
設置をする構造体が在る。
【０００４】
以下に於いて、図２〜図４を用いて、従来の構造体を説明する。図２では、折り畳み式
ベッドの座面２を支える為に用いられる、折り畳み式ベッドに於ける、高さの調節が可能
な脚部３同士を、複数連結する事に依り、或る程度、高さを調節する事を可能にしている
。其れと、折り畳み式ベッドに於ける、高さの調節が可能な脚部３の高さを調節しつつ、
折り畳み式ベッドの座面２同士を連結する為に、折り畳み式ベッドに於ける、座面同士の
連結及び、高さの調節を可能にする為に用いる部品４を用いる事で、折り畳み式ベッドの
座面２を連結している。
【０００５】
図３では、オフィスチェアの背凭れに用いる部品５と、オフィスチェアの座面に用いる
部品９を、オフィスチェアの背凭れを支える為に用いる部品６、オフィスチェアに於ける
、背凭れを支える為に用いる部品及び、座面を支える為に用いる部品を、互いに連結する
為に用いる部品７、オフィスチェアの座面を支える為に用いる部品８で、其々を連結し、
更に、連結されたオフィスチェアの背凭れを支える為に用いる部品６と、オフィスチェア
に於ける、背凭れを支える為に用いる部品及び、座面を支える為に用いる部品を、互いに
連結する為に用いる部品７と、オフィスチェアの座面を支える為に用いる部品８を支える
為、オフィスチェアに於ける、圧縮ガスを用いる事に依り、座面を支えつつ、座面の高さ
を調節する事を可能にした部品１０と、オフィスチェアに於ける、圧縮ガスの内圧を調整
する為に用いる部品１１、オフィスチェアに於ける、背凭れ及び座面を支える為に用いる
部品１２が、オフィスチェアの座面を支える為に用いる部品８に連結されている。加えて
、オフィスチェアの背凭れに用いる部品５と、オフィスチェアの座面に用いる部品９に、
荷重が掛かる際、下方向への負荷を分散させる為、オフィスチェアに於ける、背凭れ及び
座面を支える為に用いる部品１２に対して、オフィスチェアの脚に用いる部品１３を連結
している。そして、全ての部品が連結された状態で在る構造体の、移動を容易にする為、
オフィスチェアの脚に用いる部品１３に、オフィスチェアに於ける、移動を容易にする為
に用いる、キャスター状な部品１４が連結されている。
【０００６】
更に、オフィスチェアの座面に用いる部品９の高さを、使用者に合わせて調節する為に
、オフィスチェアに於ける、圧縮ガスを用いる事に依り、座面を支えつつ、座面の高さを
調節する事を可能にした部品１０の内部に、圧縮されたガスを充填し、オフィスチェアに
於ける、圧縮ガスの内圧を調整する為に用いる部品１１を、上下に動かす事で、オフィス
チェアに於ける、圧縮ガスを用いる事に依り、座面を支えつつ、座面の高さを調節する事
を可能にした部品１０の内部に充填された、ガスの圧力が調節される事に依り、オフィス
チェアに於ける、背凭れ及び座面を支える為に用いる部品１２が伸縮する事で、オフィス
チェアの高さを、調節する事が可能に成っている。
【０００７】
図４では、木材（例えば、ベニヤ材、杉材、バルサ材）、樹脂素材（例えば、ウレタン
樹脂、塩化ビニル樹脂）、金属素材（例えば、鉄材、鋼材、強化アルミニウム材）等の、
可塑性が在る素材を用いて、仮設住居に於ける、壁面に用いる部品１５及び、仮設住居に
於ける、壁面同士を連結する為に用いる部品１６を形成したら、仮設住居に於ける、壁面
に用いる部品１５に対し、仮設住居に於ける、壁面同士を連結する為に用いる部品１６を
連結する為、仮設住居に於ける、壁面に用いる部品１５と、仮設住居に於ける、壁面同士
を連結する為に用いる部品１６の接合部に対し、予め仮設住居に於ける、壁面同士を連結
する為に用いる部品１６を、差し込む穴を設け、複数の仮設住居に於ける、壁面に用いる
部品１５を互いに組み込んだ上で、其々の接合部の頂点に対し、仮設住居に於ける、壁面
同士を連結する為に用いる部品１６を差し込む事に依り、構造体を形成している。
【先行技術文献】
【特許文献】
【０００８】
【特許文献１】特許公開２００６−１５３１３８  特許公開２００８−１６１６９２    特許公開２００１−１２０３８７  特許公開２００５−１３３５０８
【０００９】
以上に述べた、従来に於ける構造体の問題点として、図２に於いては、構造上、横から
の衝撃に弱く、衝撃の強さに依っては、折り畳み式ベッドに於ける、高さの調節が可能な
脚部３及び、折り畳み式ベッドに於ける、座面同士の連結及び、高さの調節を可能にする
為に用いる部品４が破損する結果、折り畳み式ベッドの座面２を支える事が不可能と成る
場合が在る。又、折り畳み式ベッドの座面２に於いては、繰り返し使った際、折り畳み式
ベッドに於ける、高さの調節が可能な脚部３と、折り畳み式ベッドに於ける、座面同士の
連結及び、高さの調節を可能にする為に用いる部品４との、接合部が疲弊する事に依り、
折り畳み式ベッドに於ける、高さの調節が可能な脚部３と、折り畳み式ベッドに於ける、
座面同士の連結及び、高さの調節を可能にする為に用いる部品４が破損する場合が在る。
更に、折り畳み式ベッドの座面２と、折り畳み式ベッドに於ける、座面同士の連結及び、
高さの調節を可能にする為に用いる部品４の接合部に対し、衣服や毛髪が挟まれる結果、
使用者が被害を受ける事が在る。
【００１０】
図３に於いては、オフィスチェアの背凭れに用いる部品５〜到るオフィスチェアの座面
に用いる部品９を下から支える、オフィスチェアに於ける、圧縮ガスを用いる事に依り、
座面を支えつつ、座面の高さを調節する事を可能にした部品１０〜到るオフィスチェアに
於ける、移動を容易にする為に用いる、キャスター状な部品１４の構造上、製造が可能な
構造体の大きさが制限される為、使用する人に依っては大きさが合わず、使用が困難な事
が在る。加えて、オフィスチェアの背凭れに用いる部品５〜到るオフィスチェアの座面に
用いる部品９を支えている、オフィスチェアに於ける、圧縮ガスを用いる事に依り、座面
を支えつつ、座面の高さを調節する事を可能にした部品１０と、オフィスチェアに於ける
、圧縮ガスの内圧を調整する為に用いる部品１１、オフィスチェアに於ける、背凭れ及び
座面を支える為に用いる部品１２は、繰り返し使う事で接合部が疲弊する結果、オフィス
チェアに於ける、圧縮ガスを用いる事に依り、座面を支えつつ、座面の高さを調節する事
を可能にした部品１０、オフィスチェアに於ける、圧縮ガスの内圧を調整する為に用いる
部品１１、オフィスチェアに於ける、背凭れ及び座面を支える為に用いる部品１２が破損
する或いは、変形する為、使用が困難に成る事が在る。
【００１１】
加えて、オフィスチェアの座面に用いる部品９に対し、高さを調節する為の機構で在る
、オフィスチェアに於ける、圧縮ガスを用いる事に依り、座面を支えつつ、座面の高さを
調節する事を可能にした部品１０と、オフィスチェアに於ける、背凭れ及び座面を支える
為に用いる部品１２は、オフィスチェアの座面に用いる部品９に掛かる荷重を受け止める
事に加え、オフィスチェアに於ける、圧縮ガスを用いる事に依り、座面を支えつつ、座面
の高さを調節する事を可能にした部品１０の内部に対し、圧縮されたガスを充填する為、
オフィスチェアの座面に用いる部品９からの荷重と、オフィスチェアに於ける、圧縮ガス
を用いる事に依り、座面を支えつつ、座面の高さを調節する事を可能にした部品１０内部
に生じる圧力に、耐え得るだけの強度が必須な結果、使用が可能な素材が限られる上に、
使用者が構造体を組み立てる或いは、解体する事が困難で在る。
【００１２】
図４に於いては、致命的な欠点として、仮設住居に於ける、壁面に用いる部品１５と、
仮設住居に於ける、壁面同士を連結する為に用いる部品１６の底面に、構造材が無い為、
接地面が平面で無い場合、設置及び安定が困難な事と、仮設住居に於ける、壁面に用いる
部品１５に対し、仮設住居に於ける、壁面同士を連結する為に用いる部品１６の連結を、
構造材の組み込みで連結している為、長期使用に於ける、振動や摩耗が続くと、仮設住居
に於ける、壁面に用いる部品１５と、仮設住居に於ける、壁面同士を連結する為に用いる
部品１６が変形する結果、接合部の脱落或いは、接合部の破損が生じる事に依り、構造体
の瓦解が発生する為、構造体の使用者が、継続して使用する事が困難に成る。
【発明の開示】
【発明が解決しようとする課題】
【００１３】
本発明は、従来の構造体が有していた問題で在る、使用者に依る、構造体の組み立てと
解体の簡便化に加え、構造体の強度を向上させる事を図りつつ、使用する用途に応じて、
構造体の拡張性及び安定性を格段に高め、更に、製造コストを大幅に削減した、構造体の
実現を目的とする。
【課題を解決するための手段】
【００１４】
本発明は、上記目的を達成する為、先ず、側板に用いる板状な部品に対し（以下、側板
とする）、向かい合う側板同士を連結しつつ、使用者が上に乗る或いは、荷物等を乗せる
為に用いる部品を（以下、座面とする）、確りと固定し且つ、座面の高さを調節する事を
可能にする為、全ての側板に対し、予め差し込み穴と切り溝を設ける。其の際に留意する
事として、側板の両面に対し、切り溝を設ける事が挙げられる。
【００１５】
次に、予め差し込み穴を設けた、構造体に於ける、底板に用いる板状な部品と（以下、
底板とする）、背板に用いる板状な部品を用意し（以下、背板とする）、其々の接合部に
在る差込穴に対し、棒状な部品を差し込む或いは、螺子状な部品を締め付ける事に依り、
部品同士を連結する。
【００１６】
更に、底板に対し、座面の高さを調節する部品を、設定したい座面の高さ迄連結する。
其の上で、側板に設けた切り溝に対し、中央に螺子切り溝が在るナット状な部品を、切り
溝の両側に嵌め込んだ後、螺子状な部品を、切り溝の両側に在る、ナット状な部品に連結
させる事に依り、部品の仮固定をする。
【００１７】
全ての切り溝に対し、螺子状な部品及び、ナット状な部品を仮固定した上で、底板から
連結された、高さを調節する為の部品に対し、上から嵌め込む事に依り、座面を連結した
上で、座面の側面に対し、先に仮固定した螺子状な部品を締め付けて、側板と座面を連結
する事に依り、本案件の構造体を形成する。尚、使用用途に依っては、用途に応じた部品
（例えば、手摺、寝具、キャスター等）を設置する事に依り、構造体の使用者が、極めて
有用に使う事が出来る。
【００１８】
上述の結果、従来の製品と比較した際、構造体の強度と安定性が格段に高く、構造体に
用いる部品の形成が容易で且つ、組み立ても容易で在る為、本案件の使用者が、構造体の
部品を用意して組み立てる際に於ける、部品の購入費用の軽減や、工場で大量に生産する
際に於ける、製造費用の軽減及び、組み立て作業等に要する時間を、大幅に短縮する事が
出来る。
【００１９】
加えて、構造体の底面、側面、背面、連結に用いる部品が、強固に連結されている為、
従来の製品と比較して、衝撃や振動に強く、安定性も飛躍的に向上している。
【００２０】
更に、組み立てる際及び、組み立てた後から、構造体の大きさを変更する或いは、使用
用途に応じた部品を、構造体に設置する事が容易な為、使用目的に応じ、柔軟に対応する
事が出来る。
【図面の簡単な説明】
【００２１】
【図１】提出案件を用いて、椅子を形成した場合に於ける、全体の構造例を示した図    面
【図２】従来の構造技術を用いた、高さの調節が可能な、ベッドの構造例を示した図    面
【図３】従来の構造技術を用いた、高さの調節が可能な、椅子の構造例を示した図面
【図４】従来の構造技術を用いた、仮設住居の構造例を示した図面
【図５】提出案件に於ける、側面に用いる板状な部品の、形状を示した図面
【図６】提出案件に於ける、底面に用いる板状な部品の、形状を示した図面
【図７】提出案件に於ける、側面及び底面に用いる、板状な部品を連結する際に用い    る、棒状な部品の形状を示した図面
【図８】提出案件に於ける、側面及び底面に用いる、板状な部品の連結と、底面及び    高さの調節に用いる、部品同士を連結する際に用いる、螺子状な部品の形状を示した    図面
【図９】提出案件に於ける、側面に用いる板状な部品と、螺子状な部品を、確りと固    定する際に用いる、リング状な部品の形状を示した図面
【図１０】提出案件に於ける、側面に用いる板状な部品と、座面の高さを調節する為    に用いる部品を、其々に連結して固定する、座面の形状を示した図面
【図１１】提出案件に於ける、座面に用いる部品の高さを調節しつつ、座面に用いる    部品と、底面に用いる板状な部品を、其々に連結する為に用いる、柱状な部品の形状    を示した図面
【図１２】提出案件に於ける、側面に用いる板状な部品、背面に用いる板状な部品、    底面に用いる板状な部品、高さを調節する為に用いる柱状な部品を、連結して固定し    た状態の、上面を示した図面
【図１３】提出案件に於ける、側面に用いる板状な部品、背面に用いる板状な部品、    底面に用いる板状な部品、高さを調節する為に用いる柱状な部品を、連結して固定し    た状態の、断面を示した図面
【図１４】提出案件に於ける、側面に用いる板状な部品、座面に用いる部品、高さを    調節する為に用いる柱状な部品を、連結して固定した状態の、断面を示した図面
【図１５】提出案件に於ける、異なる構造体を連結して固定する目的で、側面に用い    る板状な部品同士を、ボルト状な部品及び、棒状な部品を用いて、連結して固定した    状態を示した図面
【図１６】提出案件に於ける、螺子状な部品及び、ナット状な部品を用いて、側面に    用いる板状な部品を、複数連結して固定した状態を示した図面
【図１７】提出案件を用いて、シート及びデスクの高さを、調節する機構を備えつつ    、構成部品を追加する事に依る、拡張性、安定性、防音性、保温性に優れた、シート    と一体型で在る、デスクの構造を示した図面
【図１８】提出案件を用いて、組み立てに要する時間が短く、耐久性、防音性、保温性に優れた、建造物の構造を示した図面
【発明を実施するための形態】
【００２２】
以下に於いて、本発明に於ける実施の形態を、基本的な形態を図１、構造体に用いる各
部品を図５〜到る図１１、構造体の組み立て方法を図１２〜到る図１６、構造体の実施例
を、図１７及び図１８に基づいて説明する。
【００２３】
基本的な構造として、図１の様に、箱形に近い構造体と成り、其の上に、使用者や物を
乗せる事が出来る形状と成る。此の箱状に近い構造体を、使用用途に応じ、構造体の拡張
或いは、縮小をさせたり、高さを変更したりする事が出来る。
【００２４】
以下に於いて、構造体の組み立て方法を説明する。図５及び図６の様に、先ず、構造体
に於ける、側板に用いる部品１７と、構造体に於ける、底板に用いる部品２１、構造体に
於ける、背板に用いる部品３０の側面に対し、図７の様な形状の、構造体に於ける、側板
に用いる部品、背板に用いる部品、底板に用いる部品を連結する為に用いる、棒状な部品
２２を用いて、其々の部品同士を確り連結する為、構造体に於ける、側板に用いる部品、
背板に用いる部品、底板に用いる部品、底板を補強する為に用いる部品を、連結する為に
設けられた、差し込む或いは、螺子締めをして、固定する為に用いる差込穴１８を設ける
。其の際に留意する事として、其々の部品に対し、構造体に於ける、側板に用いる部品、
背板に用いる部品、底板に用いる部品、底板を補強する為に用いる部品を、連結する為に
設けられた、差し込む或いは、螺子締めをして、固定する為に用いる差込穴１８を設ける
際に、構造体に於ける、側板に用いる部品、背板に用いる部品、底板に用いる部品を連結
する為に用いる、棒状な部品２２の形状に合わせて、構造体に於ける、側板に用いる部品
、背板に用いる部品、底板に用いる部品、底板を補強する為に用いる部品を、連結する為
に設けられた、差し込む或いは、螺子締めをして、固定する為に用いる差込穴１８を形成
する事が挙げられる。
【００２５】
次に、互いに向かい合った、構造体に於ける、側板に用いる部品１７同士を、構造体の
座面に於ける、座面の強度を保たせる為に用いる芯材２６を用いて連結し且つ、構造体の
座面に於ける、座面の強度を保たせる為に用いる芯材２６の高さを調節する為、構造体に
於ける、側板に用いる部品１７に、構造体に於ける、側板に用いる部品に対し、ナット状
な部品及び、棒螺子状な部品を、連結する為に設けられた切り溝１９を設ける。其の際に
留意する事として、構造体に於ける、側板に用いる部品１７側に、構造体に於ける、側板
に用いる部品に対し、ナット状な部品及び、棒螺子状な部品を、連結する為に設けられた
切り溝１９を設ける際に、図８の様な形状の、構造体に於ける、側板に用いる部品、背板
に用いる部品、底板に用いる部品、座面の高さを調節する為に用いる部品を、連結する為
に用いる、棒螺子状な部品２３及び、図９の様な形状の、構造体に於ける、側板に用いる
部品及び、座面の芯材に用いる部品を、棒螺子状な部品で連結する為に用いる、ナット状
な部品２４に併せて、構造体に於ける、側板に用いる部品に対し、ナット状な部品及び、
棒螺子状な部品を、連結する為に設けられた切り溝１９を形成する事と、構造体に於ける
、側板に用いる部品、背板に用いる部品、底板に用いる部品、座面の高さを調節する為に
用いる部品を、連結する為に用いる、棒螺子状な部品２３並びに、構造体に於ける、側板
に用いる部品及び、座面の芯材に用いる部品を、棒螺子状な部品で連結する為に用いる、
ナット状な部品２４を、確実に固定する為に、構造体に於ける、側板に用いる部品１７の
両面に対し、構造体に於ける、側板に用いる部品に対し、ナット状な部品及び、棒螺子状
な部品を、連結する為に設けられた切り溝１９を、予め設ける事が挙げられる。
【００２６】
更に、構造体に於ける、底板に用いる部品２１に対し、図１１の様な形状の、構造体に
於ける、座面内部の芯材及び、底板に用いる部品を連結しつつ、座面の高さを調節する為
に用いる、柱状な部品２９を縦に連結する為、構造体の底板に設けられた、底板に用いる
部品及び、座面の高さを調節する為に用いる部品を、連結する為に用いる差込穴２０を、
予め設ける。其の際に留意する事として、構造体に於ける、座面内部の芯材及び、底板に
用いる部品を連結しつつ、座面の高さを調節する為に用いる、柱状な部品２９の高さを、
調節する事を容易に且つ、安定性を高める為、構造体の底板に設けられた、底板に用いる
部品及び、座面の高さを調節する為に用いる部品を、連結する為に用いる差込穴２０と、
構造体に於ける、底板に用いる部品２１の高さは、出来る限り構造体に於ける、座面内部
の芯材及び、底板に用いる部品を連結しつつ、座面の高さを調節する為に用いる、柱状な
部品２９に併せる事と、構造体の底板に設けられた、底板に用いる部品及び、座面の高さ
を調節する為に用いる部品を、連結する為に用いる差込穴２０の形は、構造体に於ける、
座面内部の芯材及び、底板に用いる部品を連結しつつ、座面の高さを調節する為に用いる
、柱状な部品２９に併せる事が挙げられる。
【００２７】
次に、使用する構造体の大きさに応じて、構造体に於ける、側板に用いる部品、背板に
用いる部品、底板に用いる部品を連結する為に用いる、棒状な部品２２を用いて、構造体
に於ける、底板に用いる部品２１同士を連結する。其の際に留意する事として、構造体に
於ける、底板に用いる部品２１同士を連結する際に、先ず、一列に連結させた、構造体に
於ける、底板に用いる部品２１を用意し、更に、連結した別の方向から、構造体に於ける
、底板に用いる部品２１同士を連結する事に依り、用途に応じた大きさにする事と、構造
体に於ける、底板に用いる部品２１の接合部に対し、隙間が出来無い事が挙げられる。
【００２８】
構造体に於ける、底板に用いる部品２１同士を、確実に連結したら、図１２の様にして
、構造体に於ける、底板に用いる部品２１同士の、組み合わせに対し、構造体に於ける、
側板に用いる部品、背板に用いる部品、底板に用いる部品を連結する為に用いる、棒状な
部品２２と、構造体に於ける、側板に用いる部品、背板に用いる部品、底板に用いる部品
、座面の高さを調節する為に用いる部品を、連結する為に用いる、棒螺子状な部品２３を
用いて、構造体に於ける、底板に用いる部品２１を囲う様にして、構造体に於ける、側板
に用いる部品１７並びに、構造体に於ける、背板に用いる部品３０を、組み合わせる事が
挙げられる。其の際に留意する事として、其々の接合部に対して、隙間が出来無い事と、
構造体に於ける、側板に用いる部品、背板に用いる部品、底板に用いる部品、座面の高さ
を調節する為に用いる部品を、連結する為に用いる、棒螺子状な部品２３を、螺子締めで
連結する際、構造体に於ける、側板に用いる部品１７と、構造体に於ける、背板に用いる
部品３０の連結箇所から、構造体に於ける、側板に用いる部品、背板に用いる部品、底板
に用いる部品、座面の高さを調節する為に用いる部品を、連結する為に用いる、棒螺子状
な部品２３の、先端が食み出さ無い事が挙げられる。
【００２９】
構造体に於ける、側板に用いる部品１７と、構造体に於ける、底板に用いる部品２１、
構造体に於ける、背板に用いる部品３０を、全て連結したら、構造体の底板に設けられた
、底板に用いる部品及び、座面の高さを調節する為に用いる部品を、連結する為に用いる
差込穴２０に対して、構造体に於ける、座面内部の芯材及び、底板に用いる部品を連結し
つつ、座面の高さを調節する為に用いる、柱状な部品２９を、差し込んで連結する。其の
際に留意する事として、構造体に於ける、底板に用いる部品２１に差し込んだ、構造体に
於ける、座面内部の芯材及び、底板に用いる部品を連結しつつ、座面の高さを調節する為
に用いる、柱状な部品２９の、下側の部分が、構造体に於ける、底板に用いる部品２１の
底面から、食み出さ無い様に差し込む事が挙げられる。
【００３０】
構造体に於ける、底板に用いる部品２１に対し、構造体に於ける、座面内部の芯材及び
、底板に用いる部品を連結しつつ、座面の高さを調節する為に用いる、柱状な部品２９を
差し込んだら、部品が安定した状態で、構造体の座面に於ける、座面の強度を保たせる為
に用いる芯材２６を固定し且つ、用途に応じた高さに併せる為、図１３の様に、構造体に
於ける、底板に用いる部品２１と、構造体に於ける、座面内部の芯材及び、底板に用いる
部品を連結しつつ、座面の高さを調節する為に用いる、柱状な部品２９の、下側の部分に
対し、予め構造体に於ける、側板に用いる部品、背板に用いる部品、底板に用いる部品、
底板を補強する為に用いる部品を、連結する為に設けられた、差し込む或いは、螺子締め
をして、固定する為に用いる差込穴１８を設けた、構造体に於ける、底板に用いる部品を
補強する為に用いる、板状な部品３１を設置したら、構造体に於ける、側板に用いる部品
、背板に用いる部品、底板に用いる部品、座面の高さを調節する為に用いる部品を、連結
する為に用いる、棒螺子状な部品２３を用いて、構造体に於ける、底板に用いる部品２１
並びに、構造体に於ける、座面内部の芯材及び、底板に用いる部品を連結しつつ、座面の
高さを調節する為に用いる、柱状な部品２９の、下側の部分を、構造体に於ける、底板に
用いる部品を補強する為に用いる、板状な部品３１に連結させて、構造体の座面に於ける
、座面の強度を保たせる為に用いる芯材２６を、構造体に於ける、側板に用いる部品１７
に、連結をする高さ迄、構造体に於ける、座面内部の芯材及び、底板に用いる部品を連結
しつつ、座面の高さを調節する為に用いる、柱状な部品２９同士を、差し込む或いは螺子
締めで以て、複数個を連結する。其の際に留意する事として、構造体に於ける、座面内部
の芯材及び、底板に用いる部品を連結しつつ、座面の高さを調節する為に用いる、柱状な
部品２９同士を連結する際、構造体に於ける、座面内部の芯材及び、底板に用いる部品を
連結しつつ、座面の高さを調節する為に用いる、柱状な部品２９の接合部に対し、隙間が
出来無い様にする事が挙げられる。
【００３１】
構造体に於ける、座面内部の芯材及び、底板に用いる部品を連結しつつ、座面の高さを
調節する為に用いる、柱状な部品２９を、全て確実に連結したら、構造体に於ける、側板
に用いる部品に対し、ナット状な部品及び、棒螺子状な部品を、連結する為に設けられた
切り溝１９の両面に対して、其々の構造体に於ける、側板に用いる部品及び、座面の芯材
に用いる部品を、棒螺子状な部品で連結する為に用いる、ナット状な部品２４を嵌め込む
或いは、螺子締めで連結をして、構造体に於ける、側板に用いる部品、背板に用いる部品
、底板に用いる部品、座面の高さを調節する為に用いる部品を、連結する為に用いる、棒
螺子状な部品２３を用いて、二つ在る、構造体に於ける、側板に用いる部品及び、座面の
芯材に用いる部品を、棒螺子状な部品で連結する為に用いる、ナット状な部品２４同士を
、螺子締めで仮組する。其の際に留意する事として、構造体に於ける、側板に用いる部品
、背板に用いる部品、底板に用いる部品、座面の高さを調節する為に用いる部品を、連結
する為に用いる、棒螺子状な部品２３に設けられている、螺子締めの溝を、削ら無い事が
挙げられる。
【００３２】
全ての、構造体に於ける、側板に用いる部品及び、座面の芯材に用いる部品を、棒螺子
状な部品で連結する為に用いる、ナット状な部品２４を仮組した上で、予め構造体の座面
に於ける、座面の強度を保たせる為に用いる芯材２６に設けられている、構造体の座面に
於ける、座面内部に用いる芯材及び、座面の高さを調節する為に用いる部品を、連結する
為に設ける差込穴２８に対し、構造体に於ける、座面内部の芯材及び、底板に用いる部品
を連結しつつ、座面の高さを調節する為に用いる、柱状な部品２９の突起部を、差し込む
事に依って連結をさせる。其の際に留意する事として、構造体の座面に於ける、座面内部
に用いる芯材及び、座面の高さを調節する為に用いる部品を、連結する為に設ける差込穴
２８と、構造体に於ける、座面内部の芯材及び、底板に用いる部品を連結しつつ、座面の
高さを調節する為に用いる、柱状な部品２９の接合部は荷重が掛かる為、重量が在る物を
載せる用途に使う場合には、構造体の座面に於ける、座面内部に用いる芯材及び、座面の
高さを調節する為に用いる部品を、連結する為に設ける差込穴２８と、構造体に於ける、
座面内部の芯材及び、底板に用いる部品を連結しつつ、座面の高さを調節する為に用いる
、柱状な部品２９の接合部に対し、可塑性が在る樹脂系素材（例えば、接着剤やパテ等）
を充填した上で、連結する事が挙げられる。
【００３３】
全ての、構造体の座面に於ける、座面の強度を保たせる為に用いる芯材２６を、構造体
に於ける、座面内部の芯材及び、底板に用いる部品を連結しつつ、座面の高さを調節する
為に用いる、柱状な部品２９に連結したら、図１４の様に、仮組をした、構造体に於ける
、側板に用いる部品、背板に用いる部品、底板に用いる部品、座面の高さを調節する為に
用いる部品を、連結する為に用いる、棒螺子状な部品２３並びに、構造体に於ける、側板
に用いる部品及び、座面の芯材に用いる部品を、棒螺子状な部品で連結する為に用いる、
ナット状な部品２４同士とを、構造体の座面に於ける、座面の強度を保たせる為に用いる
芯材２６に合わせて、構造体の座面に於ける、座面の強度を保たせる為に用いる芯材２６
に対して、構造体に於ける、側板に用いる部品、背板に用いる部品、底板に用いる部品、
座面の高さを調節する為に用いる部品を、連結する為に用いる、棒螺子状な部品２３を、
螺子締めして固定する事で、構造体に於ける、側板に用いる部品１７に、構造体に於ける
、側板に用いる部品、背板に用いる部品、底板に用いる部品、座面の高さを調節する為に
用いる部品を、連結する為に用いる、棒螺子状な部品２３並びに、構造体に於ける、側板
に用いる部品及び、座面の芯材に用いる部品を、棒螺子状な部品で連結する為に用いる、
ナット状な部品２４、構造体の座面に於ける、座面の強度を保たせる為に用いる芯材２６
を連結する。其の際に留意する事として、此れ等の連結箇所は、荷重が掛かる為、重量が
在る物を載せる場合は、構造体に於ける、側板に用いる部品、背板に用いる部品、底板に
用いる部品、座面の高さを調節する為に用いる部品を、連結する為に用いる、棒螺子状な
部品２３と、構造体の座面に於ける、座面内部の芯材及び、側板に用いる部品を、リング
状な部品及び、棒螺子状な部品を用いて、連結する為に設ける螺子穴２７の接合部に対し
、樹脂系素材（例えば、接着剤やパテ等）を充填した上で、確実に、接合する箇所を連結
する事と、構造体に於ける、側板に用いる部品、背板に用いる部品、底板に用いる部品、
座面の高さを調節する為に用いる部品を、連結する為に用いる、棒螺子状な部品２３が、
構造体に於ける、側板に用いる部品１７から、食み出さ無い事が挙げられる。
【００３４】
全ての部品を連結したら、使用用途に応じて、補助部品（例えば、キャスター、手摺、
マット等）を設置する事で、構造体の完成と成る。
【００３５】
補足事項として、完成後に形状を変更する場合、先ず、構造体に於ける、側板に用いる
部品１７に連結された、構造体に於ける、側板に用いる部品、背板に用いる部品、底板に
用いる部品、座面の高さを調節する為に用いる部品を、連結する為に用いる、棒螺子状な
部品２３の、螺子締めを緩めて全て外す事で、構造体に於ける、側板に用いる部品１７と
、構造体の座面に於ける、座面の強度を保たせる為に用いる芯材２６の連結を外したら、
構造体に於ける、側板に用いる部品、背板に用いる部品、底板に用いる部品を連結する為
に用いる、棒状な部品２２を抜く事に依り、構造体に於ける、背板に用いる部品３０から
、構造体に於ける、側板に用いる部品１７を外した上で、構造体の座面に於ける、座面の
強度を保たせる為に用いる芯材２６に対し、構造体に於ける、座面内部の芯材及び、底板
に用いる部品を連結しつつ、座面の高さを調節する為に用いる、柱状な部品２９の接合部
で在る、構造体の座面に於ける、座面内部に用いる芯材及び、座面の高さを調節する為に
用いる部品を、連結する為に設ける差込穴２８に連結された、構造体に於ける、座面内部
の芯材及び、底板に用いる部品を連結しつつ、座面の高さを調節する為に用いる、柱状な
部品２９を抜く事で、構造体の座面に於ける、座面の強度を保たせる為に用いる芯材２６
を外す。
【００３６】
次に、構造体に於ける、底板に用いる部品を補強する為に用いる、板状な部品３１から
、複数個連結している、構造体に於ける、座面内部の芯材及び、底板に用いる部品を連結
しつつ、座面の高さを調節する為に用いる、柱状な部品２９から、構造体に於ける、側板
に用いる部品、背板に用いる部品、底板に用いる部品、座面の高さを調節する為に用いる
部品を、連結する為に用いる、棒螺子状な部品２３の螺子締めを、緩めて外したら、構造
体に於ける、底板に用いる部品２１から、構造体に於ける、座面内部の芯材及び、底板に
用いる部品を連結しつつ、座面の高さを調節する為に用いる、柱状な部品２９を引き抜き
、新たに追加する、構造体に於ける、側板に用いる部品１７と、構造体に於ける、底板に
用いる部品２１〜到る構造体に於ける、側板に用いる部品及び、座面の芯材に用いる部品
を、棒螺子状な部品で連結する為に用いる、ナット状な部品２４、構造体の座面に於ける
、座面の強度を保たせる為に用いる芯材２６、更に構造体に於ける、座面内部の芯材及び
、底板に用いる部品を連結しつつ、座面の高さを調節する為に用いる、柱状な部品２９〜
到る構造体に於ける、底板に用いる部品を補強する為に用いる、板状な部品３１を、必要
に応じて、外した箇所に対し、前述した様に、継ぎ足して組み直す事に依り、強度と安定
性を維持しつつ、形状を変更する事が出来る。
【００３７】
次に、異なる構造体同士の連結方法を、図１５及び図１６で説明する。
【００３８】
異なる構造体同士の、連結方法として、図１５の様に、構造体に於ける、側板に用いる
部品、背板に用いる部品、底板に用いる部品、座面の高さを調節する為に用いる部品を、
連結する為に用いる、棒螺子状な部品２３と、構造体に於ける、側板に用いる部品及び、
座面の芯材に用いる部品を、棒螺子状な部品で連結する為に用いる、ナット状な部品２４
が連結されている、複数個在る構造体に於ける、側板に用いる部品１７に対し、構造体に
於ける、側板に用いる部品、背板に用いる部品、底板に用いる部品を連結する為に用いる
、棒状な部品２２と、異なる構造体同士の連結に於ける、其々の側板に用いる部品を、棒
状な部品、螺子状な部品、ナット状な部品を用いて、其々を連結する為に用いる部品３２
を用いる事で連結する方法と、図１６の様に、構造体に於ける、側板に用いる部品、背板
に用いる部品、底板に用いる部品、座面の高さを調節する為に用いる部品を、連結する為
に用いる、棒螺子状な部品２３と、構造体に於ける、側板に用いる部品及び、座面の芯材
に用いる部品を、棒螺子状な部品で連結する為に用いる、ナット状な部品２４が、複数個
連結された、構造体に於ける、側板に用いる部品１７を、重ねて連結する事に依り、連結
する方法が在る。
【００３９】
構造体に於ける、側板に用いる部品、背板に用いる部品、底板に用いる部品を連結する
為に用いる、棒状な部品２２に対して、異なる構造体同士の連結に於ける、其々の側板に
用いる部品を、棒状な部品、螺子状な部品、ナット状な部品を用いて、其々を連結する為
に用いる部品３２を用いて、異なる構造体同士を連結する場合は、最初に、異なる構造体
同士の連結に於ける、其々の側板に用いる部品を、棒状な部品、螺子状な部品、ナット状
な部品を用いて、其々を連結する為に用いる部品３２に、構造体に於ける、側板に用いる
部品、背板に用いる部品、底板に用いる部品を連結する為に用いる、棒状な部品２２を、
確実に差し込む事に依り、異なる構造体同士の連結に於ける、其々の側板に用いる部品を
、棒状な部品、螺子状な部品、ナット状な部品を用いて、其々を連結する為に用いる部品
３２同士を連結した上で、連結をされた、異なる構造体同士の連結に於ける、其々の側板
に用いる部品を、棒状な部品、螺子状な部品、ナット状な部品を用いて、其々を連結する
為に用いる部品３２同士を、両側から挟み込む様にして、構造体に於ける、側板に用いる
部品、背板に用いる部品、底板に用いる部品、座面の高さを調節する為に用いる部品を、
連結する為に用いる、棒螺子状な部品２３と、構造体に於ける、側板に用いる部品及び、
座面の芯材に用いる部品を、棒螺子状な部品で連結する為に用いる、ナット状な部品２４
を用いて、異なる構造体に、其々が構成された、構造体に於ける、側板に用いる部品１７
同士を、連結する事が出来る。
【００４０】
構造体に於ける、側板に用いる部品１７に対して、構造体に於ける、側板に用いる部品
、背板に用いる部品、底板に用いる部品、座面の高さを調節する為に用いる部品を、連結
する為に用いる、棒螺子状な部品２３と、構造体に於ける、側板に用いる部品及び、座面
の芯材に用いる部品を、棒螺子状な部品で連結する為に用いる、ナット状な部品２４を、
複数個用いて連結する場合、螺子締めで連結する為、中心に位置する、構造体に於ける、
側板に用いる部品１７から、順番に重ねて連結する事に依り、其々に於いて、同様な部品
を用いつつ、異なる複数の構造体を、強固に連結する事が出来る。
【００４１】
其々の方法に於いて留意する事としては、構造体に於ける、側板に用いる部品、背板に
用いる部品、底板に用いる部品、座面の高さを調節する為に用いる部品を、連結する為に
用いる、棒螺子状な部品２３と、構造体に於ける、側板に用いる部品及び、座面の芯材に
用いる部品を、棒螺子状な部品で連結する為に用いる、ナット状な部品２４を、構造体に
於ける、側板に用いる部品１７に対して、確実に固定する事と、構造体に於ける、側板に
用いる部品１７の接面に、隙間が無い事が挙げられる。
【００４２】
更に、其れ等の部品に対して、一定の強度が求められる場合は、構造体に於ける、側板
に用いる部品に対し、ナット状な部品及び、棒螺子状な部品を、連結する為に設けられた
切り溝１９に対して、構造体に於ける、側板に用いる部品に対し、ナット状な部品及び、
棒螺子状な部品を、連結する為に設けられた切り溝１９の形状に併せた、防護に用いる為
の補助部品（例えば、防護カバー等）を用いる事で、構造体に於ける、側板に用いる部品
に対し、ナット状な部品及び、棒螺子状な部品を、連結する為に設けられた切り溝１９を
塞ぐ或いは、シリコン樹脂やセメント等を始めとする、可塑性が在り且つ、剥離が容易な
充填素材を、構造体に於ける、側板に用いる部品に対し、ナット状な部品及び、棒螺子状
な部品を、連結する為に設けられた切り溝１９に対し、斑無く充填する事に依り、構造体
に於ける、側板に用いる部品１７を、保護する事が挙げられる。
【実施例】
【００４３】
以下に於いて、本発明に於ける実施例を、図１７及び図１８で説明する。
【００４４】
図１７に於いては、構造体の座面とするシートに連結されている、デスク及びラックと
した、構造体の構成を、構造体の実施例に於ける、シート及びデスクの天板に用いる部品
３３〜到る、構造体の実施例に於ける、シートとデスクの底板に用いる部品及び、シート
とデスクを連結しつつ、高さを調節する為に用いる部品４２で構成している。従来の工法
で形成した場合、シートとは別に、デスク或いはラックを形成し、其々を配置して用いる
或いは、専用の部品を形成した上で、其々が連結された製品を用いる事に依り、使用目的
を達成している。
【００４５】
然し、本案件の図例に於いては、構造体の実施例に於ける、シート及びデスクの背板に
用いる部品３６と、構造体の実施例に於ける、シート及びデスクの側板に用いる部品３７
に連結する様に、大きさを併せた、構造体の実施例に於ける、シート及びデスクの天板に
用いる部品３３を用いて、シートの天井及び、デスクの天板を形成し、構造体の実施例に
於ける、シート及びデスクの背板に用いる部品３６と、構造体の実施例に於ける、シート
及びデスクの側板に用いる部品３７の内縁に大きさを併せた、構造体の実施例に於ける、
シート及びデスクに用いる部品３４を用いて、シート面及び、デスク面を形成している。
【００４６】
更に、構造体の実施例に於ける、シート及びデスクに用いる部品３４の下側に対して、
構造体の実施例に於ける、デスクを支えつつ、高さを調節する為に用いる部品３５並びに
、構造体の実施例に於ける、シートとデスクの底板に用いる部品及び、シートとデスクを
連結しつつ、高さを調節する為に用いる部品４２を、複数個連結して、構造体の実施例に
於ける、シート及びデスクに用いる部品３４に対して、構造体の実施例に於ける、シート
及びデスクの底板に用いる部品３９及び、構造体の実施例に於ける、シート及びデスクの
底板に用いる部品を、補強する為に用いる部品４０を連結する事に依り、構造体の実施例
に於ける、シート及びデスクに用いる部品３４を、部品の下側から支えつつ、高さを調節
している。
【００４７】
加えて、構造体の実施例に於ける、背板、側板、底板、天板を連結する為に用いる部品
３８を用いて連結をされた、構造体の実施例に於ける、シート及びデスクの背板に用いる
部品３６並びに、構造体の実施例に於ける、シート及びデスクの背板に用いる部品３７を
用いて、構造体の実施例に於ける、シート及びデスクに用いる部品３４、構造体の実施例
に於ける、シート及びデスクの底板に用いる部品３９、構造体の実施例に於ける、シート
及びデスクの底板に用いる部品を、補強する為に用いる部品４０を、囲う様に組み立てて
、其の上から、構造体の実施例に於ける、背板、側板、底板、天板を連結する為に用いる
部品３８を用いて、構造体の実施例に於ける、シート及びデスクの天板に用いる部品３３
を連結する事に依り、実施例に於ける、構造体の安定性及び、遮光性を高める事を可能に
している。
【００４８】
そして、構造体の実施例に於ける、シート及びデスクの天板に用いる部品３３の下側に
対し、照明器具を設置する事で、少ない電力でも、構造体内部を、明るく照らせる効果を
得られる。又、構造体の実施例に於ける、シート及びデスクの天板に用いる部品３３及び
、構造体の実施例に於ける、シート及びデスクに用いる部品３４の下側或いは、構造体の
実施例に於ける、シート及びデスクの背板に用いる部品３６と、構造体の実施例に於ける
、シート及びデスクの背板に用いる部品３７の内側に対し、音響装置を設置する事に依り
、音響効果を高める効果を得られる。
【００４９】
最後に、構造体の実施例に於ける、シート及びデスクの背板に用いる部品３６と、構造
体の実施例に於ける、シート及びデスクの背板に用いる部品３７の内側に対して、シート
ベルトを設置する事に依り、災害時及び、事故発生時に於いて、極めて安全性能が高い、
シート並びに、デスクを構築する事が出来る。又、構造体の実施例に於ける、シート及び
デスクの底板に用いる部品を、補強する為に用いる部品４０の下部に対し、キャスターを
付ける事に依り、構造体全体の移動も容易に成る。
【００５０】
図１８に於いては、仮設住居等の建築を始めとする、小型の建造物とした構成を、構造
体の実施例に於ける、建造物を構成する為の屋根材４３〜到る構造体の実施例に於ける、
建造物を構成する為に設ける、地中のアンカーを、柱材及び床材へと連結する為に設ける
、アンカーの突起部分５４で構成している。先ず、建造する土地の按地をした上で、構造
体の実施例に於ける、建造物を構成する為に設ける、地中のアンカーを、柱材及び床材へ
と連結する為に設ける、アンカーの突起部分５４が地上に出る様にして、構造体の実施例
に於ける、建造物を安定させる為に用いるアンカー５３を地中に埋設し、構造体の実施例
に於ける、建造物を構成する為に設ける、地中のアンカーを、柱材及び床材へと連結する
為に設ける、アンカーの突起部分５４に、構造体の実施例に於ける、建造物を構成する為
に設ける、地中のアンカーを、柱材及び床材へと、連結する為に設ける差込穴５２を貫通
させて、構造体の実施例に於ける、建造物を構成する為の床材５１を設置したら、構造体
の実施例に於ける、建造物を構成する為に設ける、地中のアンカーを、柱材及び床材へと
連結する為に設ける、アンカーの突起部分５４に対し、構造体の実施例に於ける、建造物
を構成する為に用いる、天板材と床材を連結且つ、建造物の高さを調節しつつ、建造物を
アンカーへと固定する為に用いる柱材５０を連結する。
【００５１】
次に、複数個在る、構造体の実施例に於ける、建造物を構成する為に用いる、天板材と
床材を連結且つ、建造物の高さを調節しつつ、建造物をアンカーへと固定する為に用いる
柱材５０を、必要に応じた高さ迄、連結して固定したら、構造体の実施例に於ける、建造
物を構成する屋根材、天板材、壁材、床材を、連結する為に用いる棒螺子４９を用いて、
構造体の実施例に於ける、建造物を構成する為に設ける、建材を連結する為の螺子穴４４
を、螺子締めで固定する事で、構造体の実施例に於ける、建造物を構成する為の床材５１
に対し、構造体の実施例に於ける、建造物を構成する為の、五角形を象った壁材４７と、
構造体の実施例に於ける、建造物を構成する為の、四角形を象った壁材４８を連結する。
其の際に留意する事として、構造体の実施例に於ける、建造物を構成する為の、五角形を
象った壁材４７、構造体の実施例に於ける、建造物を構成する為の、四角形を象った壁材
４８、構造体の実施例に於ける、建造物を構成する為の床材５１に設ける、構造体の実施
例に於ける、建造物を構成する為に設ける、建材を連結する為の螺子穴４４を形成する際
に、構造体の実施例に於ける、建造物を構成する為に設ける、建材を連結する為の螺子穴
４４の、位置ずれ或いは、歪みが無い様にする事が挙げられる。
【００５２】
構造体の実施例に於ける、建造物を構成する為の床材５１に対して、構造体の実施例に
於ける、建造物を構成する為の、五角形を象った壁材４７と、構造体の実施例に於ける、
建造物を構成する為の、四角形を象った壁材４８を連結したら、既に連結している、構造
体の実施例に於ける、建造物を構成する為に用いる、天板材と床材を連結且つ、建造物の
高さを調節しつつ、建造物をアンカーへと固定する為に用いる柱材５０の上端に対して、
構造体の実施例に於ける、天板材と柱材を連結する為に設ける差込穴４６を、差し込む事
に依り、構造体の実施例に於ける、建造物を構成する為の天板材４５を、構造体の実施例
に於ける、建造物を構成する為に用いる、天板材と床材を連結且つ、建造物の高さを調節
しつつ、建造物をアンカーへと固定する為に用いる柱材５０に連結させる。其の際に留意
する事として、構造体の実施例に於ける、建造物を構成する為の天板材４５に対し、構造
体の実施例に於ける、天板材と柱材を連結する為に設ける差込穴４６を形成する際、構造
体の実施例に於ける、天板材と柱材を連結する為に設ける差込穴４６の位置ずれ或いは、
歪みが無い様にする事が挙げられる。
【００５３】
構造体の実施例に於ける、建造物を構成する為の天板材４５に対し、構造体の実施例に
於ける、建造物を構成する為に用いる、天板材と床材を連結且つ、建造物の高さを調節し
つつ、建造物をアンカーへと固定する為に用いる柱材５０を連結したら、構造体の実施例
に於ける、建造物を構成する為の天板材４５に、構造体の実施例に於ける、建造物を構成
する屋根材、天板材、壁材、床材を、連結する為に用いる棒螺子４９を用いて、構造体の
実施例に於ける、建造物を構成する為に設ける、建材を連結する為の螺子穴４４を、螺子
締めで固定をする事に依り、構造体の実施例に於ける、建造物を構成する為の、五角形を
象った壁材４７及び、構造体の実施例に於ける、建造物を構成する為の、四角形を象った
壁材４８を連結させる。其の際に留意する事として、構造体の実施例に於ける、建造物を
構成する為の天板材４５に対し、構造体の実施例に於ける、建造物を構成する為に設ける
、建材を連結する為の螺子穴４４を形成する際、構造体の実施例に於ける、建造物を構成
する為に設ける、建材を連結する為の螺子穴４４の位置ずれ或いは、歪みが無い様にする
事が挙げられる。
【００５４】
構造体の実施例に於ける、建造物を構成する為の天板材４５に対し、構造体の実施例に
於ける、建造物を構成する為の、五角形を象った壁材４７と、構造体の実施例に於ける、
建造物を構成する為の、四角形を象った壁材４８を連結させたら、最後に、構造体の実施
例に於ける、建造物を構成する為の屋根材４３に対して、構造体の実施例に於ける、建造
物を構成する屋根材、天板材、壁材、床材を、連結する為に用いる棒螺子４９を用いて、
構造体の実施例に於ける、建造物を構成する為に設ける、建材を連結する為の螺子穴４４
を螺子締めで固定する事に依り、構造体の実施例に於ける、建造物を構成する為の、五角
形を象った壁材４７に連結する事で、構造体の完成と成る。其の際に留意する事として、
構造体の実施例に於ける、建造物を構成する為の屋根材４３に対して、構造体の実施例に
於ける、建造物を構成する為に設ける、建材を連結する為の螺子穴４４を形成する際に、
構造体の実施例に於ける、建造物を構成する為に設ける、建材を連結する為の螺子穴４４
の位置ずれ或いは、歪みが無い様にする事と、構造上、構造体の実施例に於ける、建造物
を構成する為の屋根材４３同士に、隙間が出来無い様に連結をした後で、構造体の実施例
に於ける、建造物を構成する為の屋根材４３の内側に対して、防水性及び、耐候性が在る
部品を連結する或いは、接着剤、パテ、コーキング剤等を充填する事が挙げられる。
【００５５】
以上の製造手法に依り、製造された建造物に於いては、安定性に於いて、建造物の地下
から、構造体の実施例に於ける、建造物を安定させる為に用いるアンカー５３から、構造
体の実施例に於ける、建造物を構成する為に用いる、天板材と床材を連結且つ、建造物の
高さを調節しつつ、建造物をアンカーへと固定する為に用いる柱材５０に連結され、其処
から更に、構造体の実施例に於ける、建造物を構成する為の天板材４５、と連結する事に
依り、上下の振動に対し、極めて強い構造と成る。又、左右の振動に対しても、構造体の
実施例に於ける、建造物を構成する為に用いる、天板材と床材を連結且つ、建造物の高さ
を調節しつつ、建造物をアンカーへと固定する為に用いる柱材５０及び構造体の実施例に
於ける、建造物を安定させる為に用いるアンカー５３に連結されている、構造体の実施例
に於ける、建造物を構成する為の床材５１が、地面と連動して振動する為、構造体の実施
例に於ける、建造物を構成する為の床材５１に連結されている、構造体の実施例に於ける
、建造物を構成する為の、五角形を象った壁材４７及び、構造体の実施例に於ける、建造
物を構成する為の、五角形を象った壁材４７に連結されている、構造体の実施例に於ける
、建造物を構成する為の、四角形を象った壁材４８と、建造物内部の空間は、極めて高い
安定性を保つ事が出来る。
【００５６】
更には、構造体の実施例に於ける、建造物を構成する為に用いる、天板材と床材を連結
且つ、建造物の高さを調節しつつ、建造物をアンカーへと固定する為に用いる柱材５０の
上端部分と、構造体の実施例に於ける、建造物を構成する為の天板材４５を、確実に連結
する事に依り、既製の建造物では困難で在った、土台や柱に該当する材料の、取り外しが
極めて容易な為、建造後の建造物に於ける、建造物の修復、拡張、高さの変更を容易にし
つつ、建造物としての強度を保つ事が出来る。
【産業上の利用可能性】
【００５７】
本発明に於ける、産業上の利用用途に関し、一般的な用途に於いては、屋内外に用いる
事が出来る、椅子、ベッド、テーブル、階段、ラック、児童遊具等が挙げられる。業務的
な用途に於いては、住居、階段、ステージ、コンテナ、橋脚、建造物等が挙げられる。
【００５８】
特に、住居及び建造物に於いては、構造上極めて強固な上に、高さの調節が可能な支柱
を、地中から構造体と連結させる事に依り、既製の建造物と比較すると、耐震性が極めて
高く且つ、組み立て及び解体が容易な事や、建築作業に要する時間が短い事、更に、共通
の部品を用いる事に依る、生産性の向上、製造コストの削減、部品の再利用等が出来る事
が挙げられる。
【符号の説明】
【００５９】
１      本案件に於ける、構造体の完成例
２      折り畳み式ベッドの座面
３      折り畳み式ベッドに於ける、高さの調節が可能な脚部
４      折り畳み式ベッドに於ける、座面同士の連結及び、高さの調節を可能にする為
に用いる部品
５      オフィスチェアの背凭れに用いる部品
６      オフィスチェアの背凭れを支える為に用いる部品
７      オフィスチェアに於ける、背凭れを支える為に用いる部品及び、座面を支える
為に用いる部品を、互いに連結する為に用いる部品
８      オフィスチェアの座面を支える為に用いる部品
９      オフィスチェアの座面に用いる部品
１０    オフィスチェアに於ける、圧縮ガスを用いる事に依り、座面を支えつつ、座面
の高さを調節する事を可能にした部品
１１    オフィスチェアに於ける、圧縮ガスの内圧を調整する為に用いる部品
１２    オフィスチェアに於ける、背凭れ及び座面を支える為に用いる部品
１３    オフィスチェアの脚に用いる部品
１４    オフィスチェアに於ける、移動を容易にする為に用いる、キャスター状な部品
１５    仮設住居に於ける、壁面に用いる部品
１６    仮設住居に於ける、壁面同士を連結する為に用いる部品
１７    構造体に於ける、側板に用いる部品
１８    構造体に於ける、側板に用いる部品、背板に用いる部品、底板に用いる部品、
底板を補強する為に用いる部品を、連結する為に設けられた、差し込む或いは、螺子締め
をして、固定する為に用いる差込穴
１９    構造体に於ける、側板に用いる部品に対し、ナット状な部品及び、棒螺子状な
部品を、連結する為に設けられた切り溝
２０    構造体の底板に設けられた、底板に用いる部品及び、座面の高さを調節する為
に用いる部品を、連結する為に用いる差込穴
２１    構造体に於ける、底板に用いる部品
２２    構造体に於ける、側板に用いる部品、背板に用いる部品、底板に用いる部品を
連結する為に用いる、棒状な部品
２３    構造体に於ける、側板に用いる部品、背板に用いる部品、底板に用いる部品、
座面の高さを調節する為に用いる部品を、連結する為に用いる、棒螺子状な部品
２４    構造体に於ける、側板に用いる部品及び、座面の芯材に用いる部品を、棒螺子
状な部品で連結する為に用いる、ナット状な部品
２５    構造体の座面に於ける、クッション及び防護カバー
２６    構造体の座面に於ける、座面の強度を保たせる為に用いる芯材
２７    構造体の座面に於ける、座面内部の芯材及び、側板に用いる部品を、リング状
な部品及び、棒螺子状な部品を用いて、連結する為に設ける螺子穴
２８    構造体の座面に於ける、座面内部に用いる芯材及び、座面の高さを調節する為
に用いる部品を、連結する為に設ける差込穴
２９    構造体に於ける、座面内部の芯材及び、底板に用いる部品を連結しつつ、座面
の高さを調節する為に用いる、柱状な部品
３０    構造体に於ける、背板に用いる部品
３１    構造体に於ける、底板に用いる部品を補強する為に用いる、板状な部品
３２    異なる構造体同士の連結に於ける、其々の側板に用いる部品を、棒状な部品、
螺子状な部品、ナット状な部品を用いて、其々を連結する為に用いる部品
３３    構造体の実施例に於ける、シート及びデスクの天板に用いる部品
３４    構造体の実施例に於ける、シート及びデスクに用いる部品
３５    構造体の実施例に於ける、デスクを支えつつ、高さを調節する為に用いる部品
３６    構造体の実施例に於ける、シート及びデスクの背板に用いる部品
３７    構造体の実施例に於ける、シート及びデスクの側板に用いる部品
３８    構造体の実施例に於ける、背板、側板、底板、天板を連結する為に用いる部品
３９    構造体の実施例に於ける、シート及びデスクの底板に用いる部品
４０    構造体の実施例に於ける、シート及びデスクの底板に用いる部品を、補強する
為に用いる部品
４１    構造体の実施例に於ける、シートとデスクの側板に用いる部品及び、シートと
デスクの底板に用いる部品を、連結する為に用いる部品
４２    構造体の実施例に於ける、シートとデスクの底板に用いる部品及び、シートと
デスクを連結しつつ、高さを調節する為に用いる部品
４３    構造体の実施例に於ける、建造物を構成する為の屋根材
４４    構造体の実施例に於ける、建造物を構成する為に設ける、建材を連結する為の
螺子穴
４５    構造体の実施例に於ける、建造物を構成する為の天板材
４６    構造体の実施例に於ける、天板材と柱材を連結する為に設ける差込穴
４７    構造体の実施例に於ける、建造物を構成する為の、五角形を象った壁材
４８    構造体の実施例に於ける、建造物を構成する為の、四角形を象った壁材
４９    構造体の実施例に於ける、建造物を構成する屋根材、天板材、壁材、床材を、
連結する為に用いる棒螺子
５０    構造体の実施例に於ける、建造物を構成する為に用いる、天板材と床材を連結
且つ、建造物の高さを調節しつつ、建造物をアンカーへと固定する為に用いる柱材
５１    構造体の実施例に於ける、建造物を構成する為の床材
５２    構造体の実施例に於ける、建造物を構成する為に設ける、地中のアンカーを、
柱材及び床材へと、連結する為に設ける差込穴
５３    構造体の実施例に於ける、建造物を安定させる為に用いるアンカー
５４    構造体の実施例に於ける、建造物を構成する為に設ける、地中のアンカーを、
柱材及び床材へと連結する為に設ける、アンカーの突起部分
【手続補正２】
【補正対象書類名】特許請求の範囲
【補正対象項目名】請求項１
【補正方法】変更
【補正の内容】
【請求項１】
寝具のベッド（ベビーベッド・シングルベッド・二段ベッド・介護用ベッド）や、椅子
（オフィスチェア・チャイルドチェア・公共施設等のベンチ・娯楽施設等の遊具に用いる
シート・椅子学習机の椅子）或いは、建造物（仮設住居・仮設ライブステージ・堤防）の
構造体に於いて、使用用途毎に発生する、荷重・衝撃・振動等に、耐えられる素材で形成
された、構造体を構成する為の各部品を用いて、大型の建造物で用いられる工法を、簡易
化させた方法で、組み立てる事に依り、構造体の設置、解体、再構築が容易且つ、荷重や
衝撃に強い、構造体の製造方法を目的とする。
【手続補正３】
【補正対象書類名】図面
【補正対象項目名】全図
【補正方法】変更
【補正の内容】
【図１】
2017082946.tif 000037
【図２】
2017082946.tif 000038
【図３】
2017082946.tif 000039
【図４】
2017082946.tif 000040
【図５】
2017082946.tif 000041
【図６】
2017082946.tif 000042
【図７】
2017082946.tif 000043
【図８】
2017082946.tif 000044
【図９】
2017082946.tif 000045
【図１０】
2017082946.tif 000046
【図１１】
2017082946.tif 000047
【図１２】
2017082946.tif 000048
【図１３】
2017082946.tif 000049
【図１４】
2017082946.tif 000050
【図１５】
2017082946.tif 000051
【図１６】
2017082946.tif 000052
【図１７】
2017082946.tif 000053
【図１８】
2017082946.tif 000054